(57)【特許請求の範囲】
【請求項１】
遊技者側である前面に遊技球が転動可能な遊技領域を有する遊技盤と、
前記遊技盤に設けられ、遊技球が入球可能な入球口と、
前記遊技盤の前面に前方から隙間を介して対向するものであって、前記入球口を前方から覆う透明な窓と、
パチンコホールの電源設備が供給する主電源の無効状態で駆動電源が供給されるものであって、地磁気を検出することが可能な磁気センサと、
前記主電源の無効状態で駆動電源が供給されるものであって、前記主電源の無効状態で前記磁気センサに外力が加えられることで前記磁気センサの地磁気に対する相対的な姿勢が変動した場合に当該行為を前記磁気センサの検出結果に応じて検出可能な異常判定手段を備えたことを特徴とするパチンコ遊技機。
【発明の詳細な説明】
【技術分野】
【０００１】
本発明はパチンコ遊技機に関する。
【背景技術】
【０００２】
パチンコ遊技機には磁気センサを備えたものがある。この磁気センサは磁気の変化量に応じた大きさの電気信号を出力するものであり、磁気センサの電気的なオン状態で遊技盤に前方から窓を介して磁石が近付けられた場合には磁気センサからの電気信号が大きく変動することで異常有りと判定される。
【先行技術文献】
【特許文献】
【０００３】
【特許文献１】特開２００９−２７９２４５号公報
【発明の概要】
【発明が解決しようとする課題】
【０００４】
パチンコ遊技機の場合にはソフトウェアを改竄する等の不正行為が行われることがある。この不正行為はパチンコホールの閉店中にパチンコホールに忍び込んで行われるものであり、主電源の無効状態で行われるので、不正行為を検出できない。
【課題を解決するための手段】
【０００５】
本発明のパチンコ遊技機は次の［１］遊技盤〜［５］異常判定手段を備えたところに特徴を有する。
［１］遊技盤は遊技者側である前面に遊技球が転動可能な遊技領域を有するものである。図３の符号２３は遊技盤に相当し、図３の符号２８は遊技領域に相当する。
［２］入球口は遊技盤に設けられたものであり、遊技球が入球可能なものである。図３の特別図柄始動口３１および特別入賞口３７のそれぞれは入球口に相当する。
［３］窓は遊技盤の前面に前方から隙間を介して対向するものであり、入球口を前方から覆う透明なものである。図１の符号８は窓に相当する。
［４］磁気センサはパチンコホールの電源設備が供給する主電源の無効状態で駆動電源が供給されるものであり、地磁気を検出可能なものである。図７の符号６９は電源設備に相当し、図４のＸ軸ＭＩセンサ７０とＹ軸ＭＩセンサ７１とＺ軸ＭＩセンサ７２のそれぞれは磁気センサに相当するものであり、主電源スイッチ６８のオフ状態は無効状態に相当する。
［５］異常判定手段は主電源の無効状態で駆動電源が供給されるものであり、主電源の無効状態で磁気センサに外力が加えられることで磁気センサの地磁気に対する相対的な姿勢が変動した場合に当該行為を磁気センサの検出結果に応じて検出可能なものである。図４のセンサ制御回路７７は異常判定手段に相当する。
【発明の効果】
【０００６】
主電源の無効状態で磁気センサに外力を加える不正行為が行われた場合に磁気センサからの出力信号が変化するので、当該不正行為を検出できる。
【図面の簡単な説明】
【０００７】
【図１】実施例１を示す図（パチンコ遊技機の外観を斜め前方から示す図）
【図２】内枠の外観を斜め前方から示す図
【図３】遊技盤の外観を前方から示す図
【図４】電気的な構成を示す図
【図５】装飾図柄の組合せを示す図
【図６】図柄要素の配列を示す図
【図７】電源の供給経路を示す図
【図８】ＭＩセンサを示す図
【図９】メイン制御回路から演出制御回路に送信される制御コマンドの一覧を示す図
【図１０】メイン制御回路の変数の一覧を示す図
【図１１】カウンタＭＮ３の値の一覧を示す図
【図１２】メイン制御回路の大当り判定テーブルを示す図
【図１３】メイン制御回路の特別図柄選択テーブルを示す図
【図１４】メイン制御回路の当り判定テーブルを示す図
【図１５】メイン制御回路の図柄情報コマンドテーブルを示す図
【図１６】メイン制御回路の制御データ格納領域を示す図
【図１７】演出制御回路の変数の一覧を示す図
【図１８】演出制御回路の図柄テーブルを示す図
【図１９】演出制御回路の演出制御データ格納領域を示す図
【図２０】センサ制御回路の変数の一覧を示す図
【図２１】センサ制御回路のセンサデータ格納領域を示す図
【図２２】メイン制御回路のメイン処理を示すフローチャート
【図２３】メイン制御回路のタイマ割込み処理を示すフローチャート
【図２４】メイン制御回路のテスト運転処理を示すフローチャート
【図２５】メイン制御回路のテスト処理０を示すフローチャート
【図２６】メイン制御回路のテスト処理１を示すフローチャート
【図２７】メイン制御回路のテスト処理２を示すフローチャート
【図２８】メイン制御回路のテスト処理３を示すフローチャート
【図２９】メイン制御回路のテスト処理４を示すフローチャート
【図３０】メイン制御回路のテスト処理５を示すフローチャート
【図３１】メイン制御回路のテスト処理６を示すフローチャート
【図３２】メイン制御回路のテスト処理７を示すフローチャート
【図３３】メイン制御回路のテスト処理８を示すフローチャート
【図３４】メイン制御回路のテスト処理９を示すフローチャート
【図３５】メイン制御回路のテスト処理１０を示すフローチャート
【図３６】メイン制御回路のテスト処理１１を示すフローチャート
【図３７】メイン制御回路のテスト処理１２を示すフローチャート
【図３８】メイン制御回路のテスト処理１３を示すフローチャート
【図３９】メイン制御回路のテスト処理１４を示すフローチャート
【図４０】メイン制御回路のテスト処理１５を示すフローチャート
【図４１】メイン制御回路の入力処理を示すフローチャート
【図４２】メイン制御回路の賞球信号処理を示すフローチャート
【図４３】メイン制御回路の普通図柄プロセス処理を示すフローチャート
【図４４】メイン制御回路の当り判定処理を示すフローチャート
【図４５】メイン制御回路の普通図柄遊技処理を示すフローチャート
【図４６】メイン制御回路の当り遊技処理を示すフローチャート
【図４７】メイン制御回路の特別図柄プロセス処理を示すフローチャート
【図４８】メイン制御回路の大当り判定処理を示すフローチャート
【図４９】メイン制御回路の特別図柄遊技処理を示すフローチャート
【図５０】メイン制御回路の大当り遊技処理を示すフローチャート
【図５１】メイン制御回路の遊技状態検出処理を示すフローチャート
【図５２】メイン制御回路のカウンタ送信処理を示すフローチャート
【図５３】センサ制御回路のメイン処理を示すフローチャート
【図５４】センサ制御回路の外部割込み処理１を示すフローチャート
【図５５】センサ制御回路の外部割込み処理２を示すフローチャート
【図５６】センサ制御回路のタイマ割込み処理を示すフローチャート
【図５７】センサ制御回路のリモコン処理を示すフローチャート
【図５８】センサ制御回路の異常判定処理を示すフローチャート
【図５９】演出制御回路のメイン処理を示すフローチャート
【図６０】演出制御回路の外部割込み処理２を示すフローチャート
【図６１】異常報知映像を示す図
【図６２】演出制御回路のタイマ割込み処理を示すフローチャート
【図６３】演出制御回路の装飾図柄遊技処理を示すフローチャート
【図６４】演出制御回路の装飾図柄遊技開始処理を示すフローチャート
【図６５】演出制御回路の外れ図柄設定処理を示すフローチャート
【図６６】演出制御回路の大当り図柄設定処理を示すフローチャート
【図６７】演出制御回路の装飾図柄遊技中処理を示すフローチャート
【図６８】装飾図柄遊技の映像を示す図
【図６９】演出制御回路の装飾図柄遊技停止処理を示すフローチャート
【図７０】演出制御回路の大当り遊技演出処理を示すフローチャート
【図７１】実施例２を示す図（センサ制御回路の補正データテーブルを示す図）
【図７２】メイン制御回路のテスト運転処理を示すフローチャート
【図７３】センサ制御回路の異常判定処理を示すフローチャート
【発明を実施するための形態】
【実施例１】
【０００８】
パチンコホールの台島には、図１に示すように、外枠１が設置されている。この外枠１は前面および後面のそれぞれが開口する四角筒状をなすものであり、外枠１には外枠１の前方に位置して内枠２が装着されている。この内枠２は、図２に示すように、縦長な四角環状をなすものであり、左板部と右板部と上板部と下板部を有している。この内枠２は外枠１の前端面に前方から接触する閉鎖状態および外枠１の前端面から前方へ離間する開放状態相互間で軸３を中心に回動可能にされたものであり、内枠２には内枠ロック機構が装着されている。この内枠ロック機構は操作力が作用していない状態でロック状態になるものであり、操作力が作用している状態でアンロック状態になる。この内枠ロック機構は内枠２の閉鎖状態でロック状態になることで内枠２を閉鎖状態にロックするものであり、内枠２のロック状態で内枠ロック機構に操作力が作用した場合にはアンロック状態になることで内枠２を閉鎖状態から開放状態に操作することが可能にロック解除される。この内枠２には台板４が形成されている。この台板４は内枠２の下端部を閉鎖する垂直な板状をなすものであり、内枠２には台板４の上方に位置して空間状の遊技盤収納部５が形成されている。
【０００９】
内枠２には、図１に示すように、内枠２の前方に位置して前枠６が装着されている。この前枠６は内枠２の前面を閉鎖する閉鎖状態および内枠２の前面を開放する開放状態相互間で内枠２と共通の軸３を中心に回動操作されるものであり、内枠ロック機構を閉鎖状態で操作不能に閉鎖し、内枠ロック機構を開放状態で操作可能に開放する。この前枠６には円形状の貫通孔７が形成されており、貫通孔７の内周面には透明な窓８が固定されている。
【００１０】
内枠２には、図１に示すように、前枠ロック機構９が固定されている。この前枠ロック機構９はロック状態およびアンロック状態相互間で切換えられるものであり、前枠６は前枠６の閉鎖状態で前枠ロック機構がロック状態になることで閉鎖状態にロックされ、前枠ロック機構がアンロック状態になることで閉鎖状態から開放状態に操作することが可能にロック解除される。この前枠ロック機構は前枠６の閉鎖状態で前方から専用の鍵で操作されるものであり、内枠２および前枠６のそれぞれの閉鎖状態で前枠ロック機構９に鍵が挿入されて鍵が左回り方向へ回転操作された場合には内枠ロック機構のロック状態で前枠ロック機構９がロック状態からアンロック状態に切換えられ、前枠６が閉鎖状態から開放状態に操作可能になる。これら内枠２および前枠６のそれぞれの閉鎖状態で前枠ロック機構９に鍵が挿入されて鍵が右回り方向へ回転操作された場合には前枠ロック機構９のロック状態で内枠ロック機構がロック状態からアンロック状態に切換えられ、内枠２が閉鎖状態から開放状態に操作可能になる。
【００１１】
前枠６には、図１に示すように、左上隅部および右上隅部のそれぞれに位置してスピーカカバー１０が固定されている。これら両スピーカカバー１０のそれぞれは網状をなすものであり、前枠６には両スピーカカバー１０のそれぞれの後方に位置してスピーカ１１が固定されている。これら両スピーカ１１のそれぞれは効果音を出力するものであり、両スピーカ１１のそれぞれから出力された効果音は前方のスピーカカバー１０を通して放出される。前枠６には両スピーカカバー１０のそれぞれの下方に位置して有色透明な複数のランプカバー１２が固定されている。この前枠６には複数のランプカバー１２のそれぞれの後方に位置して電飾ＬＥＤ１３（図４参照）が固定されており、複数のランプカバー１２のそれぞれは後方の電飾ＬＥＤ１３が点灯することで照明される。
【００１２】
前枠６には、図１に示すように、前枠６の前方に位置して上皿１４が固定されている。この上皿１４は上面が開口する容器状をなすものであり、内枠２の台板４には、図２に示すように、上皿１４の後方に位置して払出口１５が形成されている。この払出口１５は遊技球を上皿１４内に賞品として払出すものであり、払出口１５から上皿１４内に払出された遊技球は上皿１４内に貯留される。内枠２には、図１に示すように、上皿１４の下方に位置して下皿板１６が固定されており、下皿板１６には下皿１７が固定されている。この下皿１７は上皿１４内から溢れた遊技球を受けるものであり、上面が開口する容器状をなしている。
【００１３】
下皿板１６には、図１に示すように、下皿１７の右方に位置してハンドル台１８が固定されており、ハンドル台１８内にはハンドルセンサ１９（図４参照）が固定されている。このハンドルセンサ１９は固定接点および可動接点を有する常開形のスイッチからなるものであり、可動接点に操作力が作用することで可動接点が固定接点に接触した状態に弾性変形する。ハンドル台１８には発射ハンドル２０が装着されている。この発射ハンドル２０は初期位置および初期位置に比べて時計回り方向の限度位置相互間で前後方向へ指向する軸を中心に回動可能にされたものであり、発射ハンドル２０が初期位置に静止した発射ハンドル２０の非操作状態ではハンドルセンサ１９の可動接点に操作力が作用せずに可動接点が固定接点に対して離間する。この発射ハンドル２０は発射ハンドル２０の操作状態でハンドルセンサ１９の可動接点に操作力を加えるものであり、発射ハンドル２０の操作状態では発射ハンドル２０からハンドルセンサ１９の可動接点に操作力が加えられることで可動接点が固定接点に接触する。即ち、ハンドルセンサ１９は発射ハンドル２０の操作状態で可動接点が固定接点に接触したオン状態になるものであり、発射ハンドル２０の非操作状態では可動接点が固定接点から離間したオフ状態になる。
【００１４】
内枠２の台板４には発射ソレノイド２１（図４参照）が固定されている。この発射ソレノイド２１は電磁ソレノイドからなるものであり、発射ハンドル２０の操作状態で電気的なオンオフを一定の時間的な周期で繰返す。この発射ソレノイド２１の出力軸には、図１に示すように、打球槌２２が連結されている。この打球槌２２は発射ソレノイド２１が電気的なオフ状態からオン状態になることで待機位置から打球位置に往動するものであり、発射ソレノイド２１が電気的なオン状態からオフ状態になることで打球位置から待機位置に復動する。この打球槌２２は打球位置から待機位置に復動するタイミングで上皿１４内から遊技球が与えられ、待機位置から打球位置に往動することで遊技球を右から左に向けて叩くものであり、遊技球を右から左に向けて叩くことで同方向へ転動させる。即ち、発射ハンドル２０の操作状態では発射ソレノイド２１が一定周期でオンオフを繰返すことで遊技球が一定周期で発射される。
【００１５】
内枠２の遊技盤収納部５内には、図３に示すように、垂直な板状の遊技盤２３が固定されている。この遊技盤２３は前枠６の閉鎖状態で前枠６に後方から隙間を介して対向するものであり、前枠６の閉鎖状態で手指を触れることが不能に閉鎖され、前枠６の開放状態で手指を触れることが可能に開放される。この遊技盤２３には遊技盤２３の前方に位置して内レール２４と外レール２５と球止めゴム２６が固定されている。内レール２４は上面が開口する円弧状の金属板から構成されたものであり、外レール２５は内レール２４の外周部に配置された円弧状の金属板から構成されたものであり、球止めゴム２６は内レール２４の右端部および外レール２５の右端部相互間の隙間を塞ぐゴムから構成されている。これら内レール２４および外レール２５相互間には発射通路２７が形成されている。この発射通路２７は下端部および上端部のそれぞれが開口する円弧状をなすものであり、打球槌２２が叩いた遊技球は発射通路２７の下端部を通って発射通路２７内に進入し、発射通路２７内に進入した遊技球は発射通路２７に沿って円弧状の軌跡を描きながら上昇する。
【００１６】
遊技盤２３の前面には、図３に示すように、遊技領域２８が形成されている。この遊技領域２８は内レール２４と外レール２５と球止めゴム２６で囲まれた領域のうち発射通路２７を除く残りの円形状の領域を称するものであり、打球槌２２が叩いた遊技球は発射通路２７の上端部から遊技領域２８内に放出される。この遊技領域２８内には複数の障害釘２９が固定されており、遊技領域２８内に放出された遊技球は障害釘２９に当りながら遊技領域２８内を落下する。この遊技領域２８は前枠６の閉鎖状態で前枠６の窓８に後方から隙間を介して対向するものであり、前枠６の閉鎖状態で前方から窓８を通して視覚的に認識可能にされている。
【００１７】
遊技盤２３には、図３に示すように、遊技領域２８内に位置して普通図柄始動口３０および特別図柄始動口３１が固定されている。普通図柄始動口３０は上面および下面のそれぞれが開口するコ字枠状をなすものであり、遊技球が上から下に向けて通過することが可能にされている。この普通図柄始動口３０内には近接スイッチからなる普通図柄始動口センサ３２（図４参照）が固定されており、遊技球が普通図柄始動口３０内を通過した場合には普通図柄始動口センサ３２から普通図柄始動信号が出力される。特別図柄始動口３１は上面が開口するポケット状をなすものであり、遊技球が上面から入賞することが可能にされている。この特別図柄始動口３１内には近接スイッチからなる特別図柄始動口センサ３３（図４参照）が固定されており、遊技球が特別図柄始動口３１内に入賞した場合には特別図柄始動口センサ３３から特別図柄始動信号が出力される。
【００１８】
特別図柄始動口３１には、図３に示すように、２枚の羽根板３４が装着されている。これら両羽根板３４のそれぞれは垂直な閉鎖状態および水平な開放状態相互間で前後方向へ指向する軸３５を中心に回動可能にされたものであり、両羽根板３４のそれぞれの閉鎖状態では遊技球が両羽根板３４相互間の隙間のみを通って特別図柄始動口３１の上面に入賞することが許容され、両羽根板３４のそれぞれの開放状態では遊技球が両羽根板３４のそれぞれに乗って特別図柄始動口３１の上面に入賞することが許容される。この特別図柄始動口３１は両羽根板３４のそれぞれの閉鎖状態で遊技球が入賞可能な外れ状態になるものであり、両羽根板３４のそれぞれの開放状態では遊技球が外れ状態に比べて容易に入賞可能な当り状態になる。この特別図柄始動口３１の両羽根板３４のそれぞれは特別図柄始動口ソレノイド３６（図４参照）の出力軸に連結されている。この特別図柄始動口ソレノイド３６は電磁ソレノイドからなるものであり、両羽根板３４のそれぞれは特別図柄始動口ソレノイド３６の電気的なオフ状態で閉鎖状態になり、特別図柄始動口ソレノイド３６の電気的なオン状態で開放状態になる。
【００１９】
遊技盤２３には、図３に示すように、遊技領域２８内に位置して特別入賞口３７が固定されている。この特別入賞口３７は前面が開口する箱状をなすものであり、遊技球は特別入賞口３７内に前面から入賞することが可能にされている。この特別入賞口３７内には近接スイッチからなる特別入賞口センサ３８（図４参照）が固定されており、遊技球が特別入賞口３７内に入賞した場合には特別入賞口センサ３８から特別入賞信号が出力される。この特別入賞口３７には扉板３９が装着されている。この扉板３９は垂直な閉鎖状態および水平な開放状態相互間で左右方向へ指向する軸４０を中心に回動可能にされたものであり、扉板３９の閉鎖状態では特別入賞口３７の前面が遊技球が入賞不能に閉鎖され、扉板３９の開放状態では遊技球が扉板３９に乗って特別入賞口３７の前面に入賞することが可能になる。この扉板３９は特別入賞口ソレノイド４１（図４参照）の出力軸に連結されている。この特別入賞口ソレノイド４１は電磁ソレノイドからなるものであり、扉板３９は特別入賞口ソレノイド４１の電気的なオフ状態で閉鎖状態になり、特別入賞口ソレノイド４１の電気的なオン状態で開放状態になる。
【００２０】
内枠２には、図２に示すように、賞球タンク４２および賞球ケース４３が固定されている。賞球タンク４２は遊技球を貯留するものであり、上面が開口する容器状をなしている。賞球ケース４３は上下方向へ指向する通路状をなすものであり、賞球ケース４３の上端部は賞球タンク４２内に接続されている。この賞球ケース４３は賞球タンク４２内から遊技球が上端部を通して供給されるものであり、賞球ケース４２内には賞球払出装置が固定されている。この賞球払出装置はケース内にスプロケットおよびステッピングモータ４４（図４参照）を収納したものである。スプロケットは遊技球が進入可能な複数の凹部を有するものであり、ステッピングモータ４４はスプロケットを回転操作することでスプロケットから遊技球を排出するものであり、スプロケットから排出された遊技球は賞球ケース４３の下端部から落下する。この賞球ケース４３の下端部は内枠２の払出口１５に接続されており、賞球ケース４３の下端部から落下した遊技球は払出口１５を通して上皿１４内に賞品として払出される。この賞球ケース４３には近接スイッチからなる賞球センサ４５（図４参照）が固定されている。この賞球センサ４５は賞球払出装置に比べて遊技球の流れの下流側に配置されたものであり、賞球払出装置のスプロケットから１個の遊技球が排出される毎に賞球信号を出力する。
【００２１】
遊技盤２３には、図３に示すように、遊技領域２８内に位置して表示台枠４６が固定されており、表示台枠４６には普通図柄表示器４７が固定されている。この普通図柄表示器４７はＬＥＤ表示器から構成されたものであり、遊技球が普通図柄始動口３０内を通過することで普通図柄始動口センサ３２から普通図柄始動信号が出力された場合には当りであるか否かが判定され、当りであるか否かが判定された場合には普通図柄表示器４７に普通図柄遊技の映像が表示される。この普通図柄遊技の映像は普通図柄（○）（×）を交互に表示するものであり、当りであると判定された場合には普通図柄遊技の映像が普通図柄（○）で停止し、当りでない外れであると判定された場合には普通図柄遊技の映像が普通図柄（×）で停止する。この普通図柄（○）を当り図柄と称し、普通図柄（×）を外れ図柄と称する。この普通図柄遊技で当り図柄（○）が停止表示された場合には当り遊技が開始される。この当り遊技は特別図柄始動口３１を外れ状態から当り状態に切換えることで特別図柄始動口３１内に外れ状態に比べて多数個の遊技球が入賞することを許容するものであり、特別図柄始動口３１は当り遊技の所要時間が経過することで当り状態から外れ状態に戻される。
【００２２】
表示台枠４６には、図３に示すように、特別図柄表示器４８が固定されている。この特別図柄表示器４８はＬＥＤ表示器から構成されたものであり、遊技球が特別図柄始動口３１内に入賞することで特別図柄始動口センサ３３から特別図柄始動信号が出力された場合には大当りであるか否かが判定され、大当りであるか否かが判定された場合には特別図柄表示器４８に特別図柄遊技の映像が表示開始される。この特別図柄遊技の映像は特別図柄を予め決められた順序（１）→（２）→（３）→（１）・・・で循環的に変化させるものであり、大当りでない外れであると判定された場合には特別図柄の循環的な変動表示が（１）で停止し、大当りであると判定された場合には特別図柄の循環的な変動表示が（２）および（３）のいずれかで停止する。この特別図柄（１）を外れ図柄と称し、特別図柄（２）を通常大当り図柄と称し、特別図柄（３）を確変大当り図柄と称する。この特別図柄表示器４８に特別図柄遊技の映像で通常大当り図柄（２）が停止表示された場合および確変大当り図柄（３）が停止表示された場合のそれぞれには大当り遊技が開始される。この大当り遊技は５回の大当りラウンドから構成されたものである。これら５回の大当りラウンドのそれぞれは特別入賞口３７を開放状態にすることで開始されるものであり、上限個数の遊技球が特別入賞口３７内に入賞した場合および特別入賞口３７の開放時間が上限時間に到達した場合のいずれかに終了する。
【００２３】
特別図柄表示器４８に特別図柄遊技の映像で通常大当り図柄が停止表示された場合には大当り遊技で初回の大当りラウンドが始まる前に確率変動モードおよび電チューサポートモードのそれぞれがオフ状態に設定され、特別図柄表示器４８に特別図柄遊技の映像で確変大当り図柄が停止表示された場合には大当り遊技で最終回の大当りラウンドが終了した後に確率変動モードおよび電チューサポートモードのそれぞれがオン状態に設定される。確率変動モードは遊技球が特別図柄始動口３１内に入賞した場合に大当りであると一定の高確率で判定するモードであり、確率変動モードのオフ状態では遊技球が特別図柄始動口３１内に入賞した場合に大当りであると高確率に比べて低い一定の通常確率で判定される。電チューサポートモードは遊技球が普通図柄始動口３０内を通過した場合に当りであると一定の高確率で判定するモードであり、電チューサポートモードのオフ状態では遊技球が普通図柄始動口３０内を通過した場合に当りであると高確率に比べて低い一定の通常確率で判定される。
【００２４】
表示台枠４６には、図３に示すように、装飾図柄表示器４９が固定されている。この装飾図柄表示器４９はカラー液晶表示器からなるものであり、遊技球が特別図柄始動口３１内に入賞することで特別図柄始動口センサ３３から特別図柄始動信号が出力された場合には装飾図柄表示器４９に装飾図柄遊技の映像が表示開始される。この装飾図柄遊技の映像の表示中には両スピーカ１１のそれぞれから装飾図柄遊技の映像に応じた内容の効果音が出力され、複数の電飾ＬＥＤ１３のそれぞれが装飾図柄遊技の映像に応じた内容で発光し、装飾図柄遊技の映像が音および光の双方によって演出される。この装飾図柄遊技の映像は、図５に示すように、装飾図柄表示器４９の表示領域内に左変動領域Ｌと中変動領域Ｃと右変動領域Ｒを横一列に設定し、左変動領域Ｌ内〜右変動領域Ｒ内のそれぞれに図柄要素を変動状態および変動停止状態で順に表示するものである。図６の（ａ）は装飾図柄遊技の映像で左変動領域Ｌ内に表示される左列の図柄要素の種類を示すものであり、図６の（ｂ）は中変動領域Ｃ内に表示される中列の図柄要素の種類を示すものであり、図６の（ｃ）は右変動領域Ｒ内に表示される右列の図柄要素の種類を示すものである。これら各列の図柄要素には（１）（２）（３）（４）（５）（６）（７）（８）の８種類が共通に設定されており、各列の図柄要素の変動表示は図柄要素を予め決められた順序（１）→（２）→（３）→（４）→（５）→（６）→（７）→（８）→（１）・・・で循環的に変化させることで行われる。
【００２５】
左列の図柄要素と中列の図柄要素と右列の図柄要素の３つは特別図柄遊技の映像で特別図柄が変動状態で表示開始されることに時間的に同期して変動状態で表示開始されるものであり、左列の図柄要素は１番目に（１）〜（８）のいずれか１つで変動停止し、右列の図柄要素は２番目に（１）〜（８）のいずれか１つで変動停止し、中列の図柄要素は３番目に（１）〜（８）のいずれか１つで変動停止する。これら左列の図柄要素と中列の図柄要素と右列の図柄要素の３つは装飾図柄を構成するものであり、装飾図柄の組合せには大当りの組合せおよび外れの組合せの２種類が設定されている。大当りの組合せは、図５の（ａ）に示すように、左列の図柄要素と中列の図柄要素と右列の図柄要素が相互に同一な組合せを称するものであり、大当りの組合せには（１１１）（２２２）（３３３）（４４４）（５５５）（６６６）（７７７）（８８８）の８種類が設定されている。外れの組合せは、図５の（ｂ）および（ｃ）に示すように、左列の図柄要素〜中列の図柄要素が相互に同一でない組合せを称するものであり、装飾図柄は特別図柄遊技の映像で通常大当り図柄が停止表示される場合および確変大当り図柄が停止表示される場合のそれぞれに大当りの組合せとなり、特別図柄遊技の映像で外れ図柄が停止表示される場合に外れの組合せとなる。
【００２６】
内枠２の台板４には、図２に示すように、台板４の後方に位置してメイン基板ボックス５０が固定されている。このメイン基板ボックス５０は遊技盤２３に比べて低所に配置されたものであり、前方から見て横長な長方形状をなしている。このメイン基板ボックス５０は前面が開口するケースおよびケースの前面を閉鎖するカバーを相互に接合してなる中空状をなすものであり、ケースはメイン基板ボックス５０内をメイン基板ボックス５０の外部からケースを通して視覚的に認識可能な透明性を有している。このメイン基板ボックス５０は台板４に複数のネジを螺合することで固定されたものであり、複数のネジのそれぞれを取外すことで台板４から取外される。
【００２７】
メイン基板ボックス５０内にはメイン基板が収納されている。このメイン基板は前面および後面を有する垂直なプリント配線基板からなるものであり、メイン基板の前面には配線パターンが形成されている。このメイン基板の後面にはメイン制御回路５１とセンサ回路５２とソレノイド回路５３とソレノイド回路５４とＬＥＤ回路５５とＬＥＤ回路５６と払出制御回路５７とモータ回路５８（いずれも図４参照）が搭載されている。これらメイン制御回路５１〜モータ回路５８のそれぞれはメイン基板の前面の配線パターンに電気的に接続されたものであり、メイン基板ボックス５０の外部からケースを通して視認可能にされている。
【００２８】
メイン制御回路５１は普通図柄遊技と当り遊技と特別図柄遊技と大当り遊技のそれぞれの遊技内容を制御するものであり、ＣＰＵとＲＯＭとＲＡＭを有している。このメイン制御回路５１のＲＯＭには制御プログラムおよび制御データのそれぞれが予め記録されており、メイン制御回路５１のＣＰＵはＲＡＭをワークエリアとしてＲＯＭの制御プログラムおよびＲＯＭの制御データのそれぞれに基づいて処理動作を実行する。センサ回路５２は普通図柄始動口センサ３２からの普通図柄始動信号と特別図柄始動口センサ３３からの特別図柄始動信号と特別入賞口センサ３８からの特別入賞信号と賞球センサ４５からの賞球信号のそれぞれをメイン制御回路５１に送信するものであり、メイン制御回路５１はセンサ回路５２を介して特別図柄始動信号を検出した場合に制御コマンドおよび賞球コマンド１を設定し、特別入賞信号を検出した場合に賞球コマンド２を設定する。
【００２９】
ソレノイド回路５３は特別図柄始動口ソレノイド３６を電気的にオンオフするものであり、メイン制御回路５１のＣＰＵはソレノイド回路５３を電気的に制御することで特別図柄始動口３１を外れ状態および当り状態相互間で操作する。ソレノイド回路５４は特別入賞口ソレノイド４１を電気的にオンオフするものであり、メイン制御回路５１のＣＰＵはソレノイド回路５４を電気的に制御することで特別入賞口３７を閉鎖状態および開放状態相互間で操作する。ＬＥＤ回路５５は普通図柄表示器４７の複数のＬＥＤのそれぞれを電気的にオンオフするものであり、メイン制御回路５１のＣＰＵはＬＥＤ回路５５を電気的に制御することで普通図柄表示器４７に普通図柄遊技の映像を表示する。ＬＥＤ回路５６は特別図柄表示器４８の複数のＬＥＤのそれぞれを電気的にオンオフするものであり、メイン制御回路５１のＣＰＵはＬＥＤ回路５６を電気的に制御することで特別図柄表示器４８に特別図柄遊技の映像を表示する。
【００３０】
払出制御回路５７は遊技球を上皿１４内に賞品として払出す払出動作を制御するものであり、ＣＰＵとＲＯＭとＲＡＭを有している。この払出制御回路５７のＲＯＭには制御プログラムおよび制御データのそれぞれが予め記録されており、払出制御回路５７のＣＰＵはＲＡＭをワークエリアとしてＲＯＭの制御プログラムおよびＲＯＭの制御データのそれぞれに基づいて処理動作を実行する。この払出制御回路５７はメイン制御回路５１が賞球コマンド１を設定した場合に賞球コマンド１が送信され、メイン制御回路５１が賞球コマンド２を設定した場合に賞球コマンド２が送信されるものであり、賞球コマンド１を受信した場合には駆動信号１を設定し、賞球コマンド２を受信した場合には駆動信号２を設定する。この払出制御回路５７は駆動信号１を設定した場合に駆動信号１をモータ回路５８に送信するものであり、駆動信号２を設定した場合には駆動信号２をモータ回路５８に送信する。このモータ回路５８は駆動信号１を受信した場合にステッピングモータ４４を駆動信号１に応じて駆動することで上皿１４内にＮ１個の遊技球を賞品として払出すものであり、駆動信号２を受信した場合にはステッピングモータ４４を駆動信号２に応じて駆動することで上皿１４内にＮ２（＞Ｎ１）個の遊技球を賞品として払出す。
【００３１】
遊技盤２３の後方には発射基板ボックスが固定されている。この発射基板ボックス内にはプリント配線基板からなる発射基板が収納されており、発射基板には発射制御回路５９およびソレノイド回路６０（いずれも図４参照）が搭載されている。発射制御回路５９はハンドルセンサ１９の電気的な状態を検出するものであり、ハンドルセンサ１９がオフ状態からオン状態に変化したと検出した場合にメイン制御回路５１に発射開始コマンドを送信し、ハンドルセンサ１９がオン状態からオフ状態に変化したと検出した場合にメイン制御回路５１に発射停止コマンドを送信する。ソレノイド回路６０は発射ソレノイド２１に駆動電源を供給するものであり、発射制御回路５９はハンドルセンサ１９の電気的なオン状態ではソレノイド回路６０を電気的に制御することで発射ソレノイド２１に一定周期で駆動電源を供給し、打球槌２２を継続的に往復動させることで遊技盤２３の遊技領域２８内に遊技球を一定の時間間隔で発射する。
【００３２】
遊技盤２３の後面にはサブ基板ボックスが固定されている。このサブ基板ボックス内にはプリント配線基板からなるサブ基板が収納されており、サブ基板には演出制御回路６１と表示制御回路６２と音制御回路６３と電飾制御回路６４（いずれも図４参照）が搭載されている。演出制御回路６１はメイン制御回路５１から制御コマンドの設定結果が送信されるものであり、ＣＰＵとＲＯＭとＲＡＭを有している。この演出制御回路６１のＲＯＭには制御プログラムおよび制御データのそれぞれが予め記録されており、演出制御回路６１のＣＰＵは制御コマンドの設定結果を受信した場合にはＲＡＭをワークエリアとしてＲＯＭの制御プログラムおよびＲＯＭの制御データのそれぞれに基づいて演出制御コマンドを設定する。
【００３３】
表示制御回路６２は演出制御回路６１から演出制御コマンドの設定結果が送信されるものであり、ＶＤＰとＶＲＯＭとＶＲＡＭを有している。この表示制御回路６２のＶＲＯＭには図柄要素（１）〜（８）のそれぞれを表示するための画像データが予め記録されており、表示制御回路６２のＶＤＰはＶＲＯＭの画像データに応じて装飾図柄表示器４９に演出制御コマンドの受信結果に応じた装飾図柄遊技の映像を表示する。音制御回路６３は演出制御回路６１から演出制御コマンドの設定結果が送信されるものである。この音制御回路６３は演出制御コマンドの設定結果を受信することで演出制御コマンドの受信結果に応じた音信号を設定するものであり、両スピーカ１１のそれぞれを音信号の設定結果に応じて駆動することで両スピーカ１１のそれぞれから演出制御コマンドの受信結果に応じた効果音を出力する。電飾制御回路６４は演出制御回路６１から演出制御コマンドの設定結果が送信されるものである。この電飾制御回路６４は演出制御コマンドの設定結果を受信することで演出制御コマンドの受信結果に応じた電飾信号を設定するものであり、複数の電飾ＬＥＤ１３のそれぞれを電飾信号の設定結果に応じて駆動することで演出制御コマンドに応じたパターンで点滅させる。
【００３４】
内枠２の台板４には、図２に示すように、台板４の後方に位置して電源基板ボックス６５が固定されている。この電源基板ボックス６５は中空状をなすものであり、電源基板ボックス６５内には電源基板６６（図７参照）が収納されている。この電源基板６６は前面および後面を有する垂直なプリント配線基板からなるものであり、電源基板６６の後面には主電源回路６７および主電源スイッチ６８（いずれも図７参照）が搭載されている。主電源スイッチ６８は操作子およびストッパ機構を有するものである。操作子はオフ位置およびオン位置相互間で変位可能なものであり、ストッパ機構は操作子がオフ位置からオン位置に変位することで操作子をオン位置に保持し、操作子がオン位置からオフ位置に変位することで操作子をオフ位置に保持する。この主電源スイッチ６８は主給電路に介在されたものである。この主給電路はパチンコールの電源設備６９から主電源回路６７に直流の主電源を供給するものであり、主電源スイッチ６８は操作子のオフ位置で主給電路を電気的に遮断するオフ状態になり、操作子のオン位置では主給電路を電気的に導通するオン状態になる。
【００３５】
主電源回路６７はスピーカ１１と電飾ＬＥＤ１３と発射ソレノイド２１と普通図柄始動口センサ３２と特別図柄始動口センサ３３と特別図柄始動口ソレノイド３６と特別入賞口センサ３８と特別入賞口ソレノイド４１とステッピングモータ４４と賞球センサ４５と普通図柄表示器４７と特別図柄表示器４８と装飾図柄表示器４９とメイン制御回路５１と払出制御回路５７と発射制御回路５９と演出制御回路６１と表示制御回路６２と音制御回路６３と電飾制御回路６４のそれぞれの直流の駆動電源を主電源に基づいて生成するものである。この主電源回路６７は主電源スイッチ６８のオン状態でパチンコホールの電源設備６９から主給電路を通して主電源が供給されるものであり、主電源スイッチ６８のオフ状態では主電源が遮断される。この主電源スイッチ６８の操作子は内枠２の閉鎖状態で電源基板ボックス６５を貫通して後方に突出するものであり、内枠２の開放状態で前方から操作可能になり、内枠２の閉鎖状態では前方から操作不能になる。
【００３６】
メイン基板の後面には、図７に示すように、Ｘ軸ＭＩセンサ７０とＹ軸ＭＩセンサ７１とＺ軸ＭＩセンサ７２が搭載されている。これらＸ軸ＭＩセンサ７０〜Ｚ軸ＭＩセンサ７２のそれぞれは、図８に示すように、アモルファスワイヤ７３とピックアップコイル７４と出力回路７５を有するものであり、ピックアップコイル７４はアモルファスワイヤ７３を取囲むように配置されている。このアモルファスワイヤ７３は高周波交流電流が供給されるものであり、アモルファスワイヤ７３のインピーダンスが外部磁界の変動に応じて変化した場合にはピックアップコイル７４に電圧が発生し、出力回路７５がピックアップコイル７４の電圧に応じた電圧信号を出力する。Ｘ軸ＭＩセンサ７０はアモルファスワイヤ７３およびピックアップコイル７４のそれぞれが上下方向へ指向するように配置されたものであり、Ｘ軸ＭＩセンサ７０の出力回路７５は上下方向の磁気変化を電圧信号として出力する。Ｙ軸ＭＩセンサ７１はアモルファスワイヤ７３およびピックアップコイル７４のそれぞれが左右方向へ指向するように配置されたものであり、Ｙ軸ＭＩセンサ７１の出力回路７５は左右方向の磁気変化を電圧信号として出力する。Ｚ軸ＭＩセンサ７２はアモルファスワイヤ７３およびピックアップコイル７４のそれぞれが前後方向へ指向するように配置されたものであり、Ｚ軸ＭＩセンサ７２の出力回路７５は前後方向の磁気変化を電圧信号として出力する。即ち、Ｘ軸ＭＩセンサ７０〜Ｚ軸ＭＩセンサ７２は３軸のジャイロセンサに相当する。
【００３７】
電源基板６６には、図７に示すように、インバータ回路７６およびセンサ制御回路７７が搭載されている。インバータ回路７６は複数のスイッチング素子を有するものであり、主電源スイッチ６８のオン状態で主電源回路６７から直流電源が与えられる。センサ制御回路７７はＣＰＵとＲＯＭとＲＡＭを有するものであり、主電源スイッチ６８のオン状態で主電源回路６７から直流の駆動電源が与えられる。このセンサ制御回路７７はインバータ回路７６の複数のスイッチング素子のそれぞれをオンオフすることで直流電源を高周波交流電源に変換するものであり、Ｘ軸ＭＩセンサ７０〜Ｚ軸ＭＩセンサ７２のそれぞれのアモルファスワイヤ７３にはインバータ回路７６から高周波交流電源が供給される。このセンサ制御回路７７はＸ軸ＭＩセンサ７０〜Ｚ軸ＭＩセンサ７２のそれぞれの出力回路７５から出力される電圧信号に基づいて不正の有無を判定するものであり、不正が有ったと判定した場合には演出制御回路６１に不正コマンドを送信する。
【００３８】
電源基板６６には、図７に示すように、予備電源回路７８および予備電源スイッチ７９が搭載されている。予備電源スイッチ７９はオン位置およびオフ位置相互間で変位可能な操作子を有するものであり、操作子のオフ位置で予備給電路を電気的に遮断するオフ状態になる。この予備給電路は予備電源回路７８からインバータ回路７６およびセンサ制御回路７７のそれぞれに直流電源を供給するものであり、予備電源スイッチ７９は予備電源スイッチ７９の操作子のオン位置で予備給電路を電気的に導通するオン状態になる。この予備電源スイッチ７９の操作子は主電源スイッチ６８の操作子に機械的に連結されている。この予備電源スイッチ７９の操作子は主電源スイッチ６８の操作子のオン位置でオフ位置になり、主電源スイッチ６８の操作子のオフ位置でオン位置になるものであり、主電源スイッチ６８のオン状態ではインバータ回路７６およびセンサ制御回路７７のそれぞれにパチンコホールの電源設備６９から主電源回路６７を通して直流電源が供給され、主電源スイッチ６８のオフ状態では予備電源回路７８から直流電源が供給される。即ち、Ｘ軸ＭＩセンサ７０〜Ｚ軸ＭＩセンサ７２およびセンサ制御回路７７のそれぞれは主電源スイッチ６８がオン状態に操作された主電源の投入状態では主電源回路６７からの電源で動作するものであり、主電源スイッチ６８がオフ状態に操作された主電源の遮断状態では予備電源回路７８からの電源で動作する。この予備電源回路７８は充電式の電池を有するものであり、予備電源回路７８の電池は専用の充電器に接続することで充電される。
【００３９】
前枠６には、図１に示すように、窓１１０が固定されている。この窓１１０は透明な透光性を有するものであり、遊技盤２３には、図３に示すように、窓１１０の後方に位置して貫通孔１１１が形成されている。この貫通孔１１１は遊技領域２８の外部に配置されたものであり、遊技盤２３の後面には貫通孔１１１の後方に位置して受光回路１１２（図４参照）が固定されている。この受光回路１１２は予め決められた光量を上回る光を受光することでセンサ制御回路７７に受光信号を出力するものであり、図７に示すように、主電源スイッチ６８のオン状態では主電源回路６７から駆動電源が供給され、主電源スイッチ６８のオフ状態では予備電源回路７８から駆動電源が供給される。
【００４０】
図４のリモートコントローラ１１３はパチンコホールの店員が携帯するものであり、操作スイッチ１１４と投光回路とレンズ１１５と電源回路を有している。操作スイッチ１１４はパチンコホールの店員が手指で操作することが可能なものであり、投光回路は操作スイッチ１１４が操作された場合に電源回路から電源が供給されることで光を投射するものであり、投光回路から投射された光はレンズ１１５を通ってリモートコントローラ１１３の外部に出射する。このリモートコントローラ１１３は受光回路１１２からセンサ制御回路７７に受光信号を送信するためのものであり、パチンコホールの店員がリモートコントローラ１１３のレンズ１１５を前枠６の窓１１０に前方から押し当てて操作スイッチ１１４を操作した場合には受光回路１１２がレンズ１１５からの光を受光することでセンサ制御回路７７に受光信号を出力する。
【００４１】
電源基板６６には、図７に示すように、ブザー回路１２１およびブザー１２２が搭載されている。ブザー回路１２１はブザー１２２に駆動電源を供給するものであり、ブザー１２２はブザー回路１２１から駆動電源が供給されることで鳴動する。このブザー回路１２１は主電源スイッチ６８のオン状態では主電源回路６７から駆動電源が供給されるものであり、主電源スイッチ６８のオフ状態では予備電源回路７８から駆動電源が供給される。センサ制御回路７７はブザー回路１２１を電気的に制御するものであり、ブザー回路１２１を電気的に制御することでブザー１２２をオンオフ操作する。
【００４２】
外枠１には内枠センサ１２３（図４参照）が固定されている。この内枠センサ１２３はオン状態およびオフ状態相互間で電気的な状態が変化するスイッチからなるものであり、メイン制御回路５１は内枠センサ１２３の電気的な状態を検出する。この内枠センサ１２３は操作子を有している。この内枠センサ１２３の操作子は内枠２の閉鎖状態で内枠２から操作力が加えられるものであり、内枠２の閉鎖状態では内枠２から内枠センサ１２３の操作子に操作力が加えられることで内枠センサ１２３が電気的なオン状態になる。この内枠センサ１２３の操作子は内枠２の開放状態で内枠２から操作力が加えられないものであり、内枠２の開放状態では内枠センサ１２３の操作子に対する操作力が消滅することで内枠センサ１２３が電気的なオフ状態になる。この内枠センサ１２３は主電源スイッチ６８のオン状態で主電源回路６７から電源が供給されるものであり、主電源スイッチ６８のオフ状態では電源が遮断される。
【００４３】
内枠２には前枠センサ１２４（図４参照）が固定されている。この前枠センサ１２４はオン状態およびオフ状態相互間で電気的な状態が変化するスイッチからなるものであり、メイン制御回路５１は前枠センサ１２４の電気的な状態を検出する。この前枠センサ１２４は操作子を有している。この前枠センサ１２４の操作子は前枠６の閉鎖状態で前枠６から操作力が加えられるものであり、前枠６の閉鎖状態では前枠６から前枠センサ１２４の操作子に操作力が加えられることで前枠センサ１２４が電気的なオン状態になる。この前枠センサ１２４の操作子は前枠６の開放状態で前枠６から操作力が加えられないものであり、前枠６の開放状態では前枠センサ１２４の操作子に対する操作力が消滅することで前枠センサ１２４が電気的なオフ状態になる。この前枠センサ１２４は主電源スイッチ６８のオン状態で主電源回路６７から電源が供給されるものであり、主電源スイッチ６８のオフ状態では電源が遮断される。
【００４４】
図９はメイン制御回路５１から演出制御回路６１に送信される制御コマンドの一覧である。変動開始コマンドは特別図柄遊技を開始することを演出制御回路６１に通知するものであり、変動停止コマンドは特別図柄遊技が終了することを演出制御回路６１に通知するものであり、図柄情報コマンドは特別図柄遊技の映像で停止表示する特別図柄の種類を演出制御回路６１に通知するものである。大当り遊技開始コマンドは大当り遊技を開始することを演出制御回路６１に通知するものであり、大当り遊技停止コマンドは大当り遊技を停止することを演出制御回路６１に通知するものである。
【００４５】
図１０はメイン制御回路５１のＲＡＭの変数の一覧である。カウンタＭＲ１は特別入賞口３７を開放状態にする大当りであるか否かを判定するためのものであり、カウンタＭＲ１の下限値は（０）に設定され、カウンタＭＲ１の上限値は（１００）に設定されている。カウンタＭＲ２は特別図柄遊技の映像で特別図柄表示器４８に停止表示する特別図柄の種類を選択するためのものであり、カウンタＭＲ２の下限値は（０）に設定され、カウンタＭＲ２の上限値は（１９）に設定されている。カウンタＭＲ３は特別図柄始動口３１を当り状態にする当りであるか否かを判定するためのものであり、カウンタＭＲ３の下限値は（０）に設定され、カウンタＭＲ３の上限値は（３２）に設定されている。カウンタＭＮ１は大当りラウンドの継続回数を計測するためのものであり、カウンタＭＮ２は大当りラウンドで特別入賞口３７に対する遊技球の入賞個数を計測するためのものである。カウンタＭＮ３は発射ソレノイド２１と特別図柄始動口ソレノイド３６と特別入賞口ソレノイド４１とステッピングモータ４４のそれぞれの動作状態を記録するためのものであり、カウンタＭＮ４は賞球払出装置からの賞球の払出し個数を計測するためのものであり、タイマＭＴ１およびＭＴ２のそれぞれは時間を計測するためのものである。
【００４６】
図１１はカウンタＭＮ３の値の一覧であり、発射ソレノイド２１〜ステッピングモータ４４の４つが電気的なオフ状態にある場合にはカウンタＭＮ３の値が（０）に設定され、発射ソレノイド２１〜ステッピングモータ４４の４つが電気的なオン状態にある場合にはカウンタＭＮ３の値が（１５）に設定される。発射ソレノイド２１〜ステッピングモータ４４のうちで発射ソレノイド２１の１つが電気的なオン状態にある場合にはカウンタＭＮ３の値が（１）に設定され、特別図柄始動口ソレノイド３６の１つが電気的なオン状態にある場合にはカウンタＭＮ３の値が（２）に設定され、特別入賞口ソレノイド４１の１つが電気的なオン状態にある場合にはカウンタＭＮ３の値が（３）に設定され、ステッピングモータ４４の１つが電気的なオン状態にある場合にはカウンタＭＮ３の値が（４）に設定される。
【００４７】
発射ソレノイド２１〜ステッピングモータ４４のうちで発射ソレノイド２１および特別図柄始動口ソレノイド３６の２つが電気的なオン状態にある場合にはカウンタＭＮ３の値が（５）に設定され、発射ソレノイド２１および特別入賞口ソレノイド４１の２つが電気的なオン状態にある場合にはカウンタＭＮ３の値が（６）に設定され、発射ソレノイド２１およびステッピングモータ４４の２つが電気的なオン状態にある場合にはカウンタＭＮ３の値が（７）に設定され、特別図柄始動口ソレノイド３６および特別入賞口ソレノイド４１の２つが電気的なオン状態にある場合にはカウンタＭＮ３の値が（８）に設定され、特別図柄始動口ソレノイド３６およびステッピングモータ４４の２つが電気的なオン状態にある場合にはカウンタＭＮ３の値が（９）に設定され、特別入賞口ソレノイド４１およびステッピングモータ４４の２つが電気的なオン状態にある場合にはカウンタＭＮ３の値が（１０）に設定される。
【００４８】
発射ソレノイド２１〜ステッピングモータ４４のうちで発射ソレノイド２１と特別図柄始動口ソレノイド３６と特別入賞口ソレノイド４１の３つが電気的なオン状態にある場合にはカウンタＭＮ３の値が（１１）に設定され、発射ソレノイド２１と特別図柄始動口ソレノイド３６とステッピングモータ４４の３つが電気的なオン状態にある場合にはカウンタＭＮ３の値が（１２）に設定され、発射ソレノイド２１と特別入賞口ソレノイド４１とステッピングモータ４４の３つが電気的なオン状態にある場合にはカウンタＭＮ３の値が（１３）に設定され、特別図柄始動口ソレノイド３６と特別入賞口ソレノイド４１とステッピングモータ４４の３つが電気的なオン状態にある場合にはカウンタＭＮ３の値が（１４）に設定される。
【００４９】
図１２の（ａ）はメイン制御回路５１のＲＯＭに予め記録された大当り判定テーブル１である。この大当り判定テーブル１は確率変動モードのオフ状態で遊技球が特別図柄始動口３１内に入賞した場合に大当りであるか否かをカウンタＭＲ１の値の更新結果に基づいて判定するための制御データであり、大当り判定テーブル１にはカウンタＭＲ１の更新範囲内の１個の値に対して大当りの判定結果が割付けられ、残りの１００個の値のそれぞれに対して外れの判定結果が割付けられている。即ち、確率変動モードのオフ状態で遊技球が特別図柄始動口３１内に入賞した場合には大当りであると一定の通常確率（１／１０１）で判定される。
【００５０】
図１２の（ｂ）はメイン制御回路５１のＲＯＭに予め記録された大当り判定テーブル２である。この大当り判定テーブル２は確率変動モードのオン状態で遊技球が特別図柄始動口３１内に入賞した場合に大当りであるか否かをカウンタＭＲ１の値の更新結果に基づいて判定するための制御データであり、大当り判定テーブル２にはカウンタＭＲ１の更新範囲内の１０個の値に対して大当りの判定結果が割付けられ、残りの９１個の値のそれぞれに対して外れの判定結果が割付けられている。即ち、確率変動モードのオン状態で遊技球が特別図柄始動口３１内に入賞した場合には大当りであると一定の高確率（１０／１０１）で判定される。
【００５１】
図１３はメイン制御回路５１のＲＯＭに予め記録された特別図柄選択テーブルである。この特別図柄選択テーブルは大当りであると判定された場合に特別図柄として通常大当り図柄および確変大当り図柄のいずれを選択するかをカウンタＭＲ２の値の更新結果に基づいて決めるための制御データであり、特別図柄選択テーブルにはカウンタＭＲ２の更新範囲内の１０個の値のそれぞれに対して通常大当り図柄が割付けられ、残りの１０個の値のそれぞれに対して確変大当り図柄が割付けられている。即ち、大当りであると判定された場合には確変大当り図柄が（１０／２０）の確率で選択され、確率変動モードおよび電チューサポートモードのそれぞれが一定確率（１０／２０）でオン状態に設定される。
【００５２】
図１４の（ａ）はメイン制御回路５１のＲＯＭに予め記録された当り判定テーブル１である。この当り判定テーブル１は遊技球が電チューサポートモードのオフ状態で普通図柄始動口３０内を通過した場合に当りであるか否かをカウンタＭＲ３の値の更新結果に基づいて判定するための制御データであり、当り判定テーブル１にはカウンタＭＲ３の更新範囲内の全ての値のそれぞれに対して外れの判定結果が割付けられている。即ち、電チューサポートモードのオフ状態で遊技球が普通図柄始動口３０内を通過した場合には外れであると１００％の確率で判定される。
【００５３】
図１４の（ｂ）はメイン制御回路５１のＲＯＭに予め記録された当り判定テーブル２である。この当り判定テーブル２は遊技球が電チューサポートモードのオン状態で普通図柄始動口３０内を通過した場合に当りであるか否かをカウンタＭＲ３の値の更新結果に基づいて判定するための制御データであり、当り判定テーブル２にはカウンタＭＲ３の更新範囲内の全ての値のそれぞれに対して当りの判定結果が割付けられている。即ち、電チューサポートモードのオン状態で遊技球が普通図柄始動口３０内を通過した場合には当りであると１００％の確率で判定される。
【００５４】
図１５はメイン制御回路５１のＲＯＭに予め記録された図柄情報コマンドテーブルである。この図柄情報コマンドテーブルは外れ図柄に図柄情報コマンド１を割付け、通常大当り図柄に図柄情報コマンド２を割付け、確変大当り図柄に図柄情報コマンド３を割付けたものであり、特別図柄が選択された場合には図柄情報コマンドテーブルから特別図柄の選択結果に応じた図柄情報コマンドが選択される。
【００５５】
図１６はメイン制御回路５１のＲＡＭの制御データ格納領域８０であり、制御データ格納領域８０にはフラグ格納部８１とタイマ格納部８２とカウンタ格納部８３と特別図柄格納部８４と普通図柄格納部８５が設定されている。フラグ格納部８１は普通図柄始動信号フラグと当りフラグと普通図柄プロセスフラグと特別図柄始動信号フラグと特別入賞信号フラグと大当りフラグと確変フラグと電チューサポートフラグと特別図柄プロセスフラグとソレノイドフラグ１とソレノイドフラグ２とソレノイドフラグ３とモータフラグとテスト済フラグとテスト中フラグのそれぞれが記録される領域であり、タイマ格納部８２はタイマＭＴ１の値およびタイマＭＴ２の値のそれぞれが記録される領域である。カウンタ格納部８３はカウンタＭＲ１の値とカウンタＭＲ２の値とカウンタＭＲ３の値とカウンタＭＮ１の値とカウンタＭＮ２の値とカウンタＭＮ３の値とカウンタＭＮ４の値のそれぞれが記録される領域であり、特別図柄格納部８４は今回の特別図柄遊技の映像で特別図柄表示器４８に停止表示する特別図柄の設定結果が記録される領域であり、普通図柄格納部８５は今回の普通図柄遊技の映像で普通図柄表示器４７に停止表示する普通図柄の設定結果が記録される領域である。
【００５６】
普通図柄始動信号フラグは遊技球が普通図柄始動口３０内を通過したか否かを示すものであり、当りフラグは今回の普通図柄遊技で当りであると判定されたか否かを示すものであり、普通図柄プロセスフラグは図４３の普通図柄プロセス処理でステップＳ２３１の当り判定処理〜ステップＳ２３３の当り遊技処理のいずれを実行するかを示すものである。特別図柄始動信号フラグは遊技球が特別図柄始動口３１内に入賞したか否かを示すものであり、特別入賞信号フラグは遊技球が特別入賞口３７内に入賞したか否かを示すものであり、大当りフラグは今回の特別図柄遊技で大当りであると判定されたか否かを示すものであり、確変フラグは確率変動モードがオン状態に設定されているか否かを示すものである。電チューサポートフラグは電チューサポートモードがオン状態に設定されているか否かを示すものであり、特別図柄プロセスフラグは図４７の特別図柄プロセス処理でステップＳ２９１の大当り判定処理〜ステップＳ２９３の大当り遊技処理のいずれを実行するかを示すものである。ソレノイドフラグ１は発射ソレノイド２１がオン状態にあるか否かを示すものであり、ソレノイドフラグ２は特別図柄始動口ソレノイド３６がオン状態にあるか否かを示すものであり、ソレノイドフラグ３は特別入賞口ソレノイド４１がオン状態にあるか否かを示すものであり、モータフラグはステッピングモータ４４がオン状態にあるか否かを示すものである。テスト済フラグは図２３のステップＳ１２のテスト運転処理が終了しているか否かを示すものであり、テスト中フラグは図２４のステップＳ２１のテスト処理０〜ステップＳ３６のテスト処理１５のそれぞれでアクチュエータが運転されているか否かを示すものである。これら普通図柄始動信号フラグと当りフラグと特別図柄始動信号フラグと大当りフラグと確変フラグと電チューサポートフラグとソレノイドフラグ１とソレノイドフラグ２とソレノイドフラグ３とモータフラグとテスト済フラグとテスト中フラグのそれぞれはメイン制御回路５１のＲＯＭに予め記録された値（１）が投入されることでオン状態に設定されるものであり、メイン制御回路５１のＲＯＭに予め記録された値（０）が投入されることでオフ状態に設定される。
【００５７】
図１７は演出制御回路６１のＲＡＭの変数の一覧であり、タイマＳＴ１は装飾図柄遊技で時間を計測するためのものである。カウンタＳＲ１〜ＳＲ３のそれぞれは図柄要素を（１）〜（８）の８種類のうちから選択するためのものであり、カウンタＳＲ１〜ＳＲ３のそれぞれの下限値は（０）に設定され、カウンタＳＲ１の上限値は（２４９）に設定され、カウンタＳＲ２の上限値は（１６２）に設定され、カウンタＳＲ３の上限値は（７２）に設定されている。
【００５８】
図１８の（ａ）は演出制御回路６１のＲＯＭに予め記録された図柄テーブル１であり、図１８の（ｂ）は演出制御回路６１のＲＯＭに予め記録された図柄テーブル２であり、図１８の（ｃ）は演出制御回路６１のＲＯＭに予め記録された図柄テーブル３である。図柄テーブル１は（１）〜（８）の８種類の図柄要素のそれぞれにカウンタＳＲ１の更新範囲内の複数の値を割付けたものであり、図柄テーブル２は（１）〜（８）の８種類の図柄要素のそれぞれにカウンタＳＲ２の更新範囲内の複数の値を割付けたものであり、図柄テーブル３は（１）〜（８）の８種類の図柄要素のそれぞれにカウンタＳＲ３の更新範囲内の複数の値を割付けたものであり、図柄テーブル１〜図柄テーブル３のそれぞれは装飾図柄の組合せを設定する場合に使用される。
【００５９】
図１９は演出制御回路６１のＲＡＭに予め設定された演出制御データ格納領域９０であり、演出制御データ格納領域９０にはコマンド格納部９１とフラグ格納部９２とタイマ格納部９３とカウンタ格納部９４と確定図柄格納部９５が設定されている。コマンド格納部９１はメイン制御回路６１から送信される変動開始コマンドと変動停止コマンドと図柄情報コマンドと大当り遊技開始コマンドと大当り遊技停止コマンドのそれぞれに加えてセンサ制御回路７７から送信される不正コマンドが記録される領域であり、フラグ格納部９２は遊技中フラグが記録される領域である。この遊技中フラグは装飾図柄表示器４９に装飾図柄遊技の映像が表示されているか否かを示すものであり、演出制御回路６１のＲＯＭに予め記録された値（１）が設定されることでオン状態になり、演出制御回路６１のＲＯＭに予め記録された値（０）が設定されることでオフ状態になる。タイマ格納部９３はタイマＳＴ１の値が記録される領域であり、カウンタ格納部９４はカウンタＳＲ１〜ＳＲ３のそれぞれの値が記録される領域であり、確定図柄格納部９５は今回の装飾図柄遊技の映像で装飾図柄表示器４９に停止表示する装飾図柄の組合せが記録される領域である。
【００６０】
図２０はセンサ制御回路７７のＲＡＭの変数の一覧である。電圧値ＸｖはＸ軸ＭＩセンサ７０の出力回路７５から出力された電圧信号が投入されるものであり、電圧値ＹｖはＹ軸ＭＩセンサ７１の出力回路７５から出力された電圧信号が投入されるものであり、電圧値ＺｖはＺ軸ＭＩセンサ７２の出力回路７５から出力された電圧信号が投入されるものであり、タイマＴは時刻を計測するものである。基準値Ｘ０〜Ｘ１５のそれぞれはＸ軸ＭＩセンサ７０から出力される電圧信号に基づいて異常の有無を判定するための閾値であり、基準値Ｙ０〜Ｙ１５のそれぞれはＹ軸ＭＩセンサ７１から出力される電圧信号に基づいて異常の有無を判定するための閾値であり、基準値Ｚ０〜Ｚ１５のそれぞれはＺ軸ＭＩセンサ７２から出力される電圧信号に基づいて異常の有無を判定するための閾値である。
【００６１】
基準値Ｘ０とＹ０とＺ０のそれぞれはメイン制御回路６１がカウンタＭＮ３の値を（０）に設定している場合に使用されるものであり、主電源スイッチ６８がオフ状態に操作された主電源の遮断状態でも使用される。基準値Ｘ１とＹ１とＺ１のそれぞれはメイン制御回路６１がカウンタＭＮ３の値を（１）に設定している場合に使用されるものであり、基準値Ｘ２とＹ２とＺ２のそれぞれはメイン制御回路６１がカウンタＭＮ３の値を（２）に設定している場合に使用され、基準値Ｘ３とＹ３とＺ３のそれぞれはメイン制御回路６１がカウンタＭＮ３の値を（３）に設定している場合に使用され、基準値Ｘ４とＹ４とＺ４のそれぞれはメイン制御回路６１がカウンタＭＮ３の値を（４）に設定している場合に使用され、基準値Ｘ５とＹ５とＺ６のそれぞれはメイン制御回路６１がカウンタＭＮ３の値を（５）に設定している場合に使用される。基準値Ｘ６とＹ６とＺ６のそれぞれはメイン制御回路６１がカウンタＭＮ３の値を（６）に設定している場合に使用されるものであり、基準値Ｘ７とＹ７とＺ７のそれぞれはメイン制御回路６１がカウンタＭＮ３の値を（７）に設定している場合に使用され、基準値Ｘ８とＹ８とＺ８のそれぞれはメイン制御回路６１がカウンタＭＮ３の値を（８）に設定している場合に使用され、基準値Ｘ９とＹ９とＺ９のそれぞれはメイン制御回路６１がカウンタＭＮ３の値を（９）に設定している場合に使用され、基準値Ｘ１０とＹ１０とＺ１０のそれぞれはメイン制御回路６１がカウンタＭＮ３の値を（１０）に設定している場合に使用される。基準値Ｘ１１とＹ１１とＺ１１のそれぞれはメイン制御回路６１がカウンタＭＮ３の値を（１１）に設定している場合に使用されるものであり、基準値Ｘ１２とＹ１２とＺ１２のそれぞれはメイン制御回路６１がカウンタＭＮ３の値を（１２）に設定している場合に使用され、基準値Ｘ１３とＹ１３とＺ１３のそれぞれはメイン制御回路６１がカウンタＭＮ３の値を（１３）に設定している場合に使用され、基準値Ｘ１４とＹ１４とＺ１４のそれぞれはメイン制御回路６１がカウンタＭＮ３の値を（１４）に設定している場合に使用され、基準値Ｘ１５とＹ１５とＺ１５のそれぞれはメイン制御回路６１がカウンタＭＮ３の値を（１５）に設定している場合に使用される。
【００６２】
図２１はセンサ制御回路７７のＲＡＭに予め設定されたセンサデータ格納領域１００であり、センサデータ格納領域１００には電圧値格納部１０１と基準値格納部１０２とコマンド格納部１０３とデータ格納部１０４とフラグ格納部１０５と異常格納部１０６とタイマ格納部１０７が設定されている。電圧値格納部１０１は電圧値Ｘｖ〜Ｚｖの３個のそれぞれが記録される領域であり、基準値格納部１０２は基準値Ｘ０〜Ｘ１５とＹ０〜Ｙ１５とＺ０〜Ｚ１５の４８個のそれぞれが記録される領域である。コマンド格納部１０３はメイン制御回路５１からセンサ制御回路７７に送信されたコマンドが記録される領域であり、データ格納部１０４はメイン制御回路５１からセンサ制御回路７７に送信されたデータが記録される領域である。フラグ格納部１０５は異常の有無を判定するか否かを決めるための処理停止フラグが記録される領域であり、異常格納部１０６は異常有りと判定された場合に異常有りと判定された時刻が記録される領域であり、タイマ格納部１０７はタイマＴの値が記録される領域である。
［１］メイン処理
図２２はメイン制御回路５１のＣＰＵがＲＯＭの制御プログラムに基づいて実行するメイン処理である。このメイン処理は主電源スイッチ６８がオフ状態からオン状態に切換えられることで主電源が投入された場合に先頭のステップＳ１から起動するものであり、メイン制御回路５１のＣＰＵはステップＳ１でレジスタおよびＰＩＯ（パラレル入出力ポート）のそれぞれを初期設定する。そして、ステップＳ２で制御データ格納領域８０のフラグ格納部８１とタイマ格納部８２とカウンタ格納部８３と特別図柄格納部８４と普通図柄格納部８５のそれぞれを初期設定し、ステップＳ４で４ｍｓｅｃ毎にタイマ割込みが発生するようにＣＴＣ（カウンタ／タイマ）を初期設定する。
［２］タイマ割込み処理
図２３はメイン制御回路５１のＣＰＵがタイマ割込みの発生する４ｍｓｅｃ毎に実行するタイマ割込み処理であり、メイン制御回路５１のＣＰＵはタイマ割込みが発生する毎にステップＳ１１でフラグ格納部８１のテスト済フラグがオフ状態に設定されているか否かを判断する。このテスト済フラグはステップＳ２でオフ状態に初期設定されるものであり、メイン制御回路５１のＣＰＵはステップＳ１１でテスト済フラグがオフ状態に設定されていると判断した場合にはステップＳ１２のテスト運転処理へ移行し、ステップＳ１１でテスト済フラグがオン状態に設定されていると判断した場合にはステップＳ１３の入力処理とステップＳ１４のカウンタ更新処理とステップＳ１５の賞球信号処理とステップＳ１６の普通図柄プロセス処理とステップＳ１７の特別図柄プロセス処理とステップＳ１８の遊技状態検出処理とステップＳ１９のカウンタ送信処理のそれぞれを順に実行する。
［２−１］テスト運転処理
図２４はステップＳ１２のテスト運転処理であり、メイン制御回路５１のＣＰＵはステップＳ２１で内枠センサ１２３がオン状態にあるか否かを判断する。ここで内枠センサ１２３がオフ状態にあると判断した場合にはテスト運転処理を終え、内枠センサ１２３がオン状態にあると判断した場合にはステップＳ２２で前枠センサ１２４がオン状態にあるか否かを判断する。ここで前枠センサ１２４がオフ状態にあると判断した場合にはテスト運転処理を終え、前枠センサ１２４がオン状態にあると判断した場合にはステップＳ２３のテスト処理０〜ステップＳ３８のテスト処理１５のそれぞれを順に実行する。即ち、ステップＳ２３のテスト処理０〜ステップＳ３８のテスト処理１５のそれぞれは内枠２および前枠６のそれぞれが閉鎖状態にされている場合に実行される。
【００６３】
図２５はステップＳ２３のテスト処理０であり、メイン制御回路５１のＣＰＵはステップＳ４１でカウンタ格納部８３のカウンタＭＮ３の値が（０）に設定されているか否かを判断する。このカウンタＭＮ３の値はステップＳ２で（０）に初期設定されるものであり、メイン制御回路５１のＣＰＵはステップＳ４１でカウンタＭＮ３の値が（０）に設定されていると判断した場合にはステップＳ４２でフラグ格納部８１のテスト中フラグがオフ状態に設定されているか否かを判断する。このテスト中フラグはステップＳ２でオフ状態に初期設定されるものであり、ＣＰＵはステップＳ４２でテスト中フラグがオフ状態に設定されていると判断した場合にはステップＳ４３へ移行する。
【００６４】
メイン制御回路５１のＣＰＵはステップＳ４３へ移行すると、センサ制御回路７７に電圧検出コマンド０を送信する。そして、ステップＳ４４でタイマ格納部８２のタイマＭＴ１の値にＲＯＭに予め記録されたテスト時間（０．８×１０００ｍｓｅｃ）を設定し、ステップＳ４５でフラグ格納部８１のテスト中フラグをオン状態に設定する。
【００６５】
メイン制御回路５１のＣＰＵはステップＳ４２でフラグ格納部８１のテスト中フラグがオン状態に設定されていると判断すると、ステップＳ４６でタイマ格納部８２のタイマＭＴ１の値からＲＯＭに予め記録された一定値（４ｍｓｃ）を減算し、ステップＳ４７でタイマＭＴ１の値の減算結果を限度値（０）と比較する。ここでタイマＭＴ１の値の減算結果が限度値（０）に到達したと判断した場合にはステップＳ４８でフラグ格納部８１のテスト中フラグをオフ状態に設定し、ステップＳ４９でカウンタ格納部８３のカウンタＭＮ３の値に一定値（１）を加算する。即ち、テスト処理０は発射ソレノイド２１と特別図柄始動口ソレノイド３６と特別入賞口ソレノイド４１とステッピングモータ４４のそれぞれのオフ状態でセンサ制御回路７７に電圧検出コマンド０を送信するものである。
【００６６】
図２６はステップＳ２４のテスト処理１である。このテスト処理１はステップＳ４１〜Ｓ４３に換えてステップＳ５１〜Ｓ５４が実行される点でテスト処理０と相違するものであり、メイン制御回路５１のＣＰＵはステップＳ５１でカウンタ格納部８３のカウンタＭＮ３の値が（１）に設定されているか否かを判断する。ここでカウンタＭＮ３の値が（１）に設定されていると判断した場合にはステップＳ５２へ移行し、フラグ格納部８１のテスト中フラグがオフ状態に設定されているか否かを判断する。
【００６７】
メイン制御回路５１のＣＰＵはステップＳ５２でテスト中フラグがオフ状態に設定されていると判断すると、ステップＳ５３で発射制御回路５９にソレノイド運転コマンドを送信する。このソレノイド運転コマンドは発射ソレノイド２１をテスト時間と同一の一定時間だけ継続的にオン状態にすることを指令するものであり、メイン制御回路５１のＣＰＵはステップＳ５３で発射制御回路５９にソレノイド運転コマンドを送信した場合にはステップＳ５４でセンサ制御回路７７に電圧検出コマンド１を送信する。そして、ステップＳ４４でタイマＭＴ１の値にテスト時間（０．８×１０００ｍｓｅｃ）を設定し、ステップＳ４５でテスト中フラグをオン状態に設定する。このテスト中フラグのオン状態ではステップＳ４６でタイマＭＴ１の値から一定値（４ｍｓｃ）を減算し、ステップＳ４７でタイマＭＴ１の値の減算結果が限度値（０）に到達したと判断した場合にはステップＳ４８でテスト中フラグをオフ状態に設定し、ステップＳ４９でカウンタＭＮ３の値に一定値（１）を加算する。即ち、テスト処理１は発射ソレノイド２１のオン状態でセンサ制御回路７７に電圧検出コマンド１を送信するものである。
【００６８】
図２７はステップＳ２５のテスト処理２である。このテスト処理２はステップＳ４１〜Ｓ４３に換えてステップＳ６１〜Ｓ６５が実行される点でテスト処理０と相違するものであり、メイン制御回路５１のＣＰＵはステップＳ６１でカウンタ格納部８３のカウンタＭＮ３の値が（２）に設定されているか否かを判断する。ここでカウンタＭＮ３の値が（２）に設定されていると判断した場合にはステップＳ６２へ移行し、フラグ格納部８１のテスト中フラグがオフ状態に設定されているか否かを判断する。
【００６９】
メイン制御回路５１のＣＰＵはステップＳ６２でテスト中フラグがオフ状態に設定されていると判断すると、ステップＳ６３で特別図柄始動口ソレノイド３６をオフ状態からオン状態に切換え、ステップＳ６４でセンサ制御回路７７に電圧検出コマンド２を送信する。そして、ステップＳ４４でタイマＭＴ１の値にテスト時間（０．８×１０００ｍｓｅｃ）を設定し、ステップＳ４５でテスト中フラグをオン状態に設定する。このテスト中フラグのオン状態ではステップＳ４６でタイマＭＴ１の値から一定値（４ｍｓｃ）を減算し、ステップＳ４７でタイマＭＴ１の値の減算結果が限度値（０）に到達したと判断した場合にはステップＳ６５で特別図柄始動口ソレノイド３６をオン状態からオフ状態に切換え、ステップＳ４８でテスト中フラグをオフ状態に設定し、ステップＳ４９でカウンタＭＮ３の値に一定値（１）を加算する。即ち、テスト処理２は特別図柄始動口ソレノイド３６のオン状態でセンサ制御回路７７に電圧検出コマンド２を送信するものである。
【００７０】
図２８はステップＳ２６のテスト処理３である。このテスト処理３はステップＳ４１〜Ｓ４３に換えてステップＳ７１〜Ｓ７５が実行される点でテスト処理０と相違するものであり、メイン制御回路５１のＣＰＵはステップＳ７１でカウンタ格納部８３のカウンタＭＮ３の値が（３）に設定されているか否かを判断する。ここでカウンタＭＮ３の値が（３）に設定されていると判断した場合にはステップＳ７２へ移行し、フラグ格納部８１のテスト中フラグがオフ状態に設定されているか否かを判断する。
【００７１】
メイン制御回路５１のＣＰＵはステップＳ７２でテスト中フラグがオフ状態に設定されていると判断すると、ステップＳ７３で特別入賞口ソレノイド４１をオフ状態からオン状態に切換え、ステップＳ７４でセンサ制御回路７７に電圧検出コマンド３を送信する。そして、ステップＳ４４でタイマＭＴ１の値にテスト時間（０．８×１０００ｍｓｅｃ）を設定し、ステップＳ４５でテスト中フラグをオン状態に設定する。このテスト中フラグのオン状態ではステップＳ４６でタイマＭＴ１の値から一定値（４ｍｓｃ）を減算し、ステップＳ４７でタイマＭＴ１の値の減算結果が限度値（０）に到達したと判断した場合にはステップＳ７５で特別入賞口ソレノイド４１をオン状態からオフ状態に切換え、ステップＳ４８でテスト中フラグをオフ状態に設定し、ステップＳ４９でカウンタＭＮ３の値に一定値（１）を加算する。即ち、テスト処理３は特別入賞口ソレノイド４１のオン状態でセンサ制御回路７７に電圧検出コマンド３を送信するものである。
【００７２】
図２９はステップＳ２７のテスト処理４である。このテスト処理４はステップＳ４１〜Ｓ４３に換えてステップＳ８１〜Ｓ８４が実行される点でテスト処理０と相違するものであり、メイン制御回路５１のＣＰＵはステップＳ８１でカウンタ格納部８３のカウンタＭＮ３の値が（４）に設定されているか否かを判断する。ここでカウンタＭＮ３の値が（４）に設定されていると判断した場合にはステップＳ８２へ移行し、フラグ格納部８１のテスト中フラグがオフ状態に設定されているか否かを判断する。
【００７３】
メイン制御回路５１のＣＰＵはステップＳ８２でテスト中フラグがオフ状態に設定されていると判断すると、ステップＳ８３で払出制御回路５７にモータ運転コマンドを送信する。このモータ運転コマンドはステッピングモータ４４に一定の複数個のパルス信号を供給することを指令するものであり、払出制御回路５７はモータ運転コマンドを受信した場合にはステッピングモータ４４に一定個数のパルス信号を供給することでステッピングモータ４４をテスト時間（０．８×１０００ｍｓｅｃ）だけ回転操作する。
【００７４】
メイン制御回路５１のＣＰＵはステップＳ８３で払出制御回路５７にモータ運転コマンドを送信すると、ステップＳ８４でセンサ制御回路７７に電圧検出コマンド４を送信する。そして、ステップＳ４４でタイマＭＴ１の値にテスト時間（０．８×１０００ｍｓｅｃ）を設定し、ステップＳ４５でテスト中フラグをオン状態に設定する。このテスト中フラグのオン状態ではステップＳ４６でタイマＭＴ１の値から一定値（４ｍｓｃ）を減算し、ステップＳ４７でタイマＭＴ１の値の減算結果が限度値（０）に到達したと判断した場合にはステップＳ４８でテスト中フラグをオフ状態に設定し、ステップＳ４９でカウンタＭＮ３の値に一定値（１）を加算する。即ち、テスト処理４はステッピングモータ４４のオン状態でセンサ制御回路７７に電圧検出コマンド４を送信するものである。
【００７５】
図３０はステップＳ２８のテスト処理５であり、メイン制御回路５１のＣＰＵはステップＳ９１でカウンタ格納部８３のカウンタＭＮ３の値が（５）に設定されているか否かを判断する。ここでカウンタＭＮ３の値が（５）に設定されていると判断した場合にはステップＳ９２へ移行し、フラグ格納部８１のテスト中フラグがオフ状態に設定されているか否かを判断する。このテスト処理５は発射ソレノイド２１および特別図柄始動口ソレノイド３６のそれぞれのオン状態でセンサ制御回路７７に電圧検出コマンド５を送信するものであり、メイン制御回路５１のＣＰＵはステップＳ９２でテスト中フラグがオフ状態に設定されていると判断した場合にはステップＳ５３で発射ソレノイド２１をオフ状態からオン状態に切換え、ステップＳ６３で特別図柄始動口ソレノイド３６をオフ状態からオン状態に切換え、ステップＳ９３でセンサ制御回路７７に電圧検出コマンド５を送信する。これら発射ソレノイド２１および特別図柄始動口ソレノイド３６のそれぞれのオンからテスト時間が経過した場合にはステップＳ６５で特別図柄始動口ソレノイド３６をオン状態からオフ状態に切換え、ステップＳ４８でテスト中フラグをオフ状態に設定し、ステップＳ４９でカウンタＭＮ３の値に一定値（１）を加算する。
【００７６】
図３１はステップＳ２９のテスト処理６であり、メイン制御回路５１のＣＰＵはステップＳ１０１でカウンタ格納部８３のカウンタＭＮ３の値が（６）に設定されているか否かを判断する。ここでカウンタＭＮ３の値が（６）に設定されていると判断した場合にはステップＳ１０２へ移行し、フラグ格納部８１のテスト中フラグがオフ状態に設定されているか否かを判断する。このテスト処理６は発射ソレノイド２１および特別入賞口ソレノイド４１のそれぞれのオン状態でセンサ制御回路７７に電圧検出コマンド６を送信するものであり、メイン制御回路５１のＣＰＵはステップＳ１０２でテスト中フラグがオフ状態に設定されていると判断した場合にはステップＳ５３で発射ソレノイド２１をオフ状態からオン状態に切換え、ステップＳ７３で特別入賞口ソレノイド４１をオフ状態からオン状態に切換え、ステップＳ１０３でセンサ制御回路７７に電圧検出コマンド６を送信する。これら発射ソレノイド２１および特別入賞口ソレノイド４１のそれぞれのオンからテスト時間が経過した場合にはステップＳ７５で特別入賞口ソレノイド４１をオン状態からオフ状態に切換え、ステップＳ４８でテスト中フラグをオフ状態に設定し、ステップＳ４９でカウンタＭＮ３の値に一定値（１）を加算する。
【００７７】
図３２はステップＳ３０のテスト処理７であり、メイン制御回路５１のＣＰＵはステップＳ１１１でカウンタ格納部８３のカウンタＭＮ３の値が（７）に設定されているか否かを判断する。ここでカウンタＭＮ３の値が（７）に設定されていると判断した場合にはステップＳ１１２へ移行し、フラグ格納部８１のテスト中フラグがオフ状態に設定されているか否かを判断する。このテスト処理７は発射ソレノイド２１およびステッピングモータ４４のそれぞれのオン状態でセンサ制御回路７７に電圧検出コマンド７を送信するものであり、メイン制御回路５１のＣＰＵはステップＳ１１２でテスト中フラグがオフ状態に設定されていると判断した場合にはステップＳ５３で発射ソレノイド２１をオフ状態からオン状態に切換え、ステップＳ８３でステッピングモータ４４をオフ状態からオン状態に切換え、ステップＳ１１３でセンサ制御回路７７に電圧検出コマンド７を送信する。これら発射ソレノイド２１およびステッピングモータ４４のそれぞれのオンからテスト時間が経過した場合にはステップＳ４８でテスト中フラグをオフ状態に設定し、ステップＳ４９でカウンタＭＮ３の値に一定値（１）を加算する。
【００７８】
図３３はステップＳ３１のテスト処理８であり、メイン制御回路５１のＣＰＵはステップＳ１２１でカウンタ格納部８３のカウンタＭＮ３の値が（８）に設定されているか否かを判断する。ここでカウンタＭＮ３の値が（８）に設定されていると判断した場合にはステップＳ１２２へ移行し、フラグ格納部８１のテスト中フラグがオフ状態に設定されているか否かを判断する。このテスト処理８は特別図柄始動口ソレノイド３６および特別入賞口ソレノイド４１のそれぞれのオン状態でセンサ制御回路７７に電圧検出コマンド８を送信するものであり、メイン制御回路５１のＣＰＵはステップＳ１２２でテスト中フラグがオフ状態に設定されていると判断した場合にはステップＳ６３で特別図柄始動口ソレノイド３６をオフ状態からオン状態に切換え、ステップＳ７３で特別入賞口ソレノイド４１をオフ状態からオン状態に切換え、ステップＳ１２３でセンサ制御回路７７に電圧検出コマンド８を送信する。これら特別図柄始動口ソレノイド３６および特別入賞口ソレノイド４１のそれぞれのオンからテスト時間が経過した場合にはステップＳ６５で特別図柄始動口ソレノイド３６をオン状態からオフ状態に切換え、ステップＳ７５で特別入賞口ソレノイド４１をオン状態からオフ状態に切換え、ステップＳ４８でテスト中フラグをオフ状態に設定し、ステップＳ４９でカウンタＭＮ３の値に一定値（１）を加算する。
【００７９】
図３４はステップＳ３２のテスト処理９であり、メイン制御回路５１のＣＰＵはステップＳ１３１でカウンタ格納部８３のカウンタＭＮ３の値が（９）に設定されているか否かを判断する。ここでカウンタＭＮ３の値が（９）に設定されていると判断した場合にはステップＳ１３２へ移行し、フラグ格納部８１のテスト中フラグがオフ状態に設定されているか否かを判断する。このテスト処理９は特別図柄始動口ソレノイド３６およびステッピングモータ４４のそれぞれのオン状態でセンサ制御回路７７に電圧検出コマンド９を送信するものであり、メイン制御回路５１のＣＰＵはステップＳ１３２でテスト中フラグがオフ状態に設定されていると判断した場合にはステップＳ６３で特別図柄始動口ソレノイド３６をオフ状態からオン状態に切換え、ステップＳ８３でステッピングモータ４４をオフ状態からオン状態に切換え、ステップＳ１３３でセンサ制御回路７７に電圧検出コマンド９を送信する。これら特別図柄始動口ソレノイド３６およびステッピングモータ４４のそれぞれのオンからテスト時間が経過した場合にはステップＳ６５で特別図柄始動口ソレノイド３６をオン状態からオフ状態に切換え、ステップＳ４８でテスト中フラグをオフ状態に設定し、ステップＳ４９でカウンタＭＮ３の値に一定値（１）を加算する。
【００８０】
図３５はステップＳ３３のテスト処理１０であり、メイン制御回路５１のＣＰＵはステップＳ１４１でカウンタ格納部８３のカウンタＭＮ３の値が（１０）に設定されているか否かを判断する。ここでカウンタＭＮ３の値が（１０）に設定されていると判断した場合にはステップＳ１４２へ移行し、フラグ格納部８１のテスト中フラグがオフ状態に設定されているか否かを判断する。このテスト処理１０は特別入賞口ソレノイド４１およびステッピングモータ４４のそれぞれのオン状態でセンサ制御回路７７に電圧検出コマンド１０を送信するものであり、メイン制御回路５１のＣＰＵはステップＳ１４２でテスト中フラグがオフ状態に設定されていると判断した場合にはステップＳ７３で特別入賞口ソレノイド４１をオフ状態からオン状態に切換え、ステップＳ８３でステッピングモータ４４をオフ状態からオン状態に切換え、ステップＳ１４３でセンサ制御回路７７に電圧検出コマンド１０を送信する。これら特別入賞口ソレノイド４１およびステッピングモータ４４のそれぞれのオンからテスト時間が経過した場合にはステップＳ７５で特別入賞口ソレノイド４１をオン状態からオフ状態に切換え、ステップＳ４８でテスト中フラグをオフ状態に設定し、ステップＳ４９でカウンタＭＮ３の値に一定値（１）を加算する。
【００８１】
図３６はステップＳ３４のテスト処理１１であり、メイン制御回路５１のＣＰＵはステップＳ１５１でカウンタ格納部８３のカウンタＭＮ３の値が（１１）に設定されているか否かを判断する。ここでカウンタＭＮ３の値が（１１）に設定されていると判断した場合にはステップＳ１５２へ移行し、フラグ格納部８１のテスト中フラグがオフ状態に設定されているか否かを判断する。このテスト処理１１は発射ソレノイド２１と特別図柄始動口ソレノイド３６と特別入賞口ソレノイド４１のそれぞれのオン状態でセンサ制御回路７７に電圧検出コマンド１１を送信するものであり、メイン制御回路５１のＣＰＵはステップＳ１５２でテスト中フラグがオフ状態に設定されていると判断した場合にはステップＳ５３で発射ソレノイド２１をオフ状態からオン状態に切換え、ステップＳ６３で特別図柄始動口ソレノイド３６をオフ状態からオン状態に切換え、ステップＳ７３で特別入賞口ソレノイド４１をオフ状態からオン状態に切換え、ステップＳ１５３でセンサ制御回路７７に電圧検出コマンド１１を送信する。これら発射ソレノイド２１〜特別入賞口ソレノイド４１のそれぞれのオンからテスト時間が経過した場合にはステップＳ６５で特別図柄始動口ソレノイド３６をオン状態からオフ状態に切換え、ステップＳ７５で特別入賞口ソレノイド４１をオン状態からオフ状態に切換え、ステップＳ４８でテスト中フラグをオフ状態に設定し、ステップＳ４９でカウンタＭＮ３の値に一定値（１）を加算する。
【００８２】
図３７はステップＳ３５のテスト処理１２であり、メイン制御回路５１のＣＰＵはステップＳ１６１でカウンタ格納部８３のカウンタＭＮ３の値が（１２）に設定されているか否かを判断する。ここでカウンタＭＮ３の値が（１２）に設定されていると判断した場合にはステップＳ１６２へ移行し、フラグ格納部８１のテスト中フラグがオフ状態に設定されているか否かを判断する。このテスト処理１２は発射ソレノイド２１と特別図柄始動口ソレノイド３６とステッピングモータ４４のそれぞれのオン状態でセンサ制御回路７７に電圧検出コマンド１２を送信するものであり、メイン制御回路５１のＣＰＵはステップＳ１６２でテスト中フラグがオフ状態に設定されていると判断した場合にはステップＳ５３で発射ソレノイド２１をオフ状態からオン状態に切換え、ステップＳ６３で特別図柄始動口ソレノイド３６をオフ状態からオン状態に切換え、ステップＳ８３でステッピングモータ４４をオフ状態からオン状態に切換え、ステップＳ１６３でセンサ制御回路７７に電圧検出コマンド１２を送信する。これら発射ソレノイド２１〜ステッピングモータ４４のそれぞれのオンからテスト時間が経過した場合にはステップＳ６５で特別図柄始動口ソレノイド３６をオン状態からオフ状態に切換え、ステップＳ４８でテスト中フラグをオフ状態に設定し、ステップＳ４９でカウンタＭＮ３の値に一定値（１）を加算する。
【００８３】
図３８はステップＳ３６のテスト処理１３であり、メイン制御回路５１のＣＰＵはステップＳ１７１でカウンタ格納部８３のカウンタＭＮ３の値が（１３）に設定されているか否かを判断する。ここでカウンタＭＮ３の値が（１３）に設定されていると判断した場合にはステップＳ１７２へ移行し、フラグ格納部８１のテスト中フラグがオフ状態に設定されているか否かを判断する。このテスト処理１３は発射ソレノイド２１と特別入賞口ソレノイド４１とステッピングモータ４４のそれぞれのオン状態でセンサ制御回路７７に電圧検出コマンド１３を送信するものであり、メイン制御回路５１のＣＰＵはステップＳ１７２でテスト中フラグがオフ状態に設定されていると判断した場合にはステップＳ５３で発射ソレノイド２１をオフ状態からオン状態に切換え、ステップＳ７３で特別入賞口ソレノイド４１をオフ状態からオン状態に切換え、ステップＳ８３でステッピングモータ４４をオフ状態からオン状態に切換え、ステップＳ１７３でセンサ制御回路７７に電圧検出コマンド１３を送信する。これら発射ソレノイド２１〜ステッピングモータ４４のそれぞれのオンからテスト時間が経過した場合にはステップＳ７５で特別入賞口ソレノイド４１をオン状態からオフ状態に切換え、ステップＳ４８でテスト中フラグをオフ状態に設定し、ステップＳ４９でカウンタＭＮ３の値に一定値（１）を加算する。
【００８４】
図３９はステップＳ３７のテスト処理１４であり、メイン制御回路５１のＣＰＵはステップＳ１８１でカウンタ格納部８３のカウンタＭＮ３の値が（１４）に設定されているか否かを判断する。ここでカウンタＭＮ３の値が（１４）に設定されていると判断した場合にはステップＳ１８２へ移行し、フラグ格納部８１のテスト中フラグがオフ状態に設定されているか否かを判断する。このテスト処理１４は特別図柄始動口ソレノイド３６と特別入賞口ソレノイド４１とステッピングモータ４４のそれぞれのオン状態でセンサ制御回路７７に電圧検出コマンド１４を送信するものであり、メイン制御回路５１のＣＰＵはステップＳ１８２でテスト中フラグがオフ状態に設定されていると判断した場合にはステップＳ６３で特別図柄始動口ソレノイド３６をオフ状態からオン状態に切換え、ステップＳ７３で特別入賞口ソレノイド４１をオフ状態からオン状態に切換え、ステップＳ８３でステッピングモータ４４をオフ状態からオン状態に切換え、ステップＳ１８３でセンサ制御回路７７に電圧検出コマンド１４を送信する。これら特別図柄始動口ソレノイド３６〜ステッピングモータ４４のそれぞれのオンからテスト時間が経過した場合にはステップＳ６５で特別図柄始動口ソレノイド３６をオン状態からオフ状態に切換え、ステップＳ７５で特別入賞口ソレノイド４１をオン状態からオフ状態に切換え、ステップＳ４８でテスト中フラグをオフ状態に設定し、ステップＳ４９でカウンタＭＮ３の値に一定値（１）を加算する。
【００８５】
図４０はステップＳ３８のテスト処理１５であり、メイン制御回路５１のＣＰＵはステップＳ１９１でカウンタ格納部８３のカウンタＭＮ３の値が（１５）に設定されているか否かを判断する。ここでカウンタＭＮ３の値が（１５）に設定されていると判断した場合にはステップＳ１９２へ移行し、フラグ格納部８１のテスト中フラグがオフ状態に設定されているか否かを判断する。このテスト処理１５は発射ソレノイド２１と特別図柄始動口ソレノイド３６と特別入賞口ソレノイド４１とステッピングモータ４４のそれぞれのオン状態でセンサ制御回路７７に電圧検出コマンド１５を送信するものであり、メイン制御回路５１のＣＰＵはステップＳ１９２でテスト中フラグがオフ状態に設定されていると判断した場合にはステップＳ５３で発射ソレノイド２１をオフ状態からオン状態に切換え、ステップＳ６３で特別図柄始動口ソレノイド３６をオフ状態からオン状態に切換え、ステップＳ７３で特別入賞口ソレノイド４１をオフ状態からオン状態に切換え、ステップＳ８３でステッピングモータ４４をオフ状態からオン状態に切換え、ステップＳ１９３でセンサ制御回路７７に電圧検出コマンド１５を送信する。これら発射ソレノイド２１〜ステッピングモータ４４のそれぞれのオンからテスト時間が経過した場合にはステップＳ６５で特別図柄始動口ソレノイド３６をオン状態からオフ状態に切換え、ステップＳ７５で特別入賞口ソレノイド４１をオン状態からオフ状態に切換え、ステップＳ４８でテスト中フラグをオフ状態に設定し、ステップＳ１９４でテスト済フラグをオン状態に設定することでテスト運転処理を終える。
［２−２］入力処理
図４１はステップＳ１３の入力処理であり、メイン制御回路５１のＣＰＵはステップＳ２０１でセンサ回路５２から普通図柄始動信号が出力されているか否かを判断する。ここでセンサ回路５２から普通図柄始動信号が出力されていると判断した場合にはステップＳ２０２でフラグ格納部８１の普通図柄始動信号フラグをオン状態に設定し、センサ回路５２から普通図柄始動信号が出力されていないと判断した場合にはステップＳ２０３でフラグ格納部８１の普通図柄始動信号フラグをオフ状態に設定する。この普通図柄始動信号フラグはステップＳ２でオフ状態に初期設定されるものである。
【００８６】
メイン制御回路５１のＣＰＵはステップＳ２０４へ移行すると、センサ回路５２から特別図柄始動信号が出力されているか否かを判断する。ここでセンサ回路５２から特別図柄始動信号が出力されていると判断した場合にはステップＳ２０５でフラグ格納部８１の特別図柄始動信号フラグをオン状態に設定し、センサ回路５２から特別図柄始動信号が出力されていないと判断した場合にはステップＳ２０６でフラグ格納部８１の特別図柄始動信号フラグをオフ状態に設定する。この特別図柄始動信号フラグはステップＳ２でオフ状態に初期設定されるものである。
【００８７】
メイン制御回路５１のＣＰＵはステップＳ２０７へ移行すると、センサ回路５２から特別入賞信号が出力されているか否かを判断する。ここでセンサ回路５２から特別入賞信号が出力されていると判断した場合にはステップＳ２０８でフラグ格納部８１の特別入賞信号フラグをオン状態に設定し、センサ回路５２から特別入賞信号が出力されていないと判断した場合にはステップＳ２０９でフラグ格納部８１の特別入賞信号フラグをオフ状態に設定する。この特別入賞信号フラグはステップＳ２でオフ状態に初期設定されるものである。
［２−３］カウンタ更新処理
図２３のステップＳ１４のカウンタ更新処理はメイン制御回路５１のＲＯＭに予め記録された一定値（１）をカウンタ格納部８３のカウンタＭＲ１の値とカウンタＭＲ２の値とカウンタＭＲ３の値のそれぞれに加算するものである。これらカウンタＭＲ１の値〜カウンタＭＲ３の値のそれぞれはステップＳ２で下限値（０）に初期設定されるものであり、ステップＳ１４のカウンタ更新処理ではカウンタＭＲ１の値が下限値（０）から上限値（１００）に加算された後に下限値（０）に戻して循環的に加算され、カウンタＭＲ２の値が下限値（０）から上限値（１９）に加算された後に下限値（０）に戻して循環的に加算され、カウンタＭＲ３の値が下限値（０）から上限値（３２）に加算された後に下限値（０）に戻して循環的に加算される。これら下限値（０）と上限値（１００）と上限値（１９）と上限値（３２）のそれぞれはメイン制御回路５１のＲＯＭに予め記録されたものである。
［２−４］賞球信号処理
図４２はステップＳ１５の賞球信号処理であり、メイン制御回路５１のＣＰＵはステップＳ２１１でフラグ格納部８１の特別図柄始動信号フラグがオン状態に設定されているか否かを判断する。ここで特別図柄始動信号フラグがオン状態に設定されていると判断した場合にはステップＳ２１２へ移行し、カウンタ格納部８３のカウンタＭＮ４の値にＲＯＭに予め記録された値Ｎ１（３）を加算する。このカウンタＭＮ４の値はステップＳ２で（０）に初期設定されるものであり、メイン制御回路５１のＣＰＵはステップＳ２１２でカウンタＭＮ４の値を加算した場合にはステップＳ２１３で払出制御回路５７に賞球コマンド１を送信する。即ち、遊技球が特別図柄始動口３１内に入賞した場合にはメイン制御回路５１から払出制御回路５７に賞球コマンド１が送信されることでステッピングモータ４４がＮ１個の遊技球を上皿１４内に払出す。
【００８８】
メイン制御回路５１のＣＰＵはステップＳ２１４へ移行すると、フラグ格納部８１の特別入賞信号フラグがオン状態に設定されているか否かを判断する。ここで特別入賞信号フラグがオン状態に設定されていると判断した場合にはステップＳ２１５でカウンタ格納部８３のカウンタＭＮ４の値にＲＯＭに予め記録された値Ｎ２（１０）を加算し、ステップＳ２１６で払出制御回路５７に賞球コマンド２を送信する。即ち、遊技球が特別入賞口３７内に入賞した場合にはメイン制御回路５１から払出制御回路５７に賞球コマンド２が送信されることでステッピングモータ４４がＮ２個の遊技球を上皿１４内に払出す。
【００８９】
メイン制御回路５１のＣＰＵはステップＳ２１７へ移行すると、センサ回路５２から賞球信号が出力されているか否かを判断する。ここでセンサ回路５２から賞球信号が出力されていると判断した場合にはステップＳ２１８へ移行し、カウンタＭＮ４の値から一定値（１）を減算する。即ち、カウンタＭＮ４の値はステッピングモータ４４が１個の遊技球を払出す毎に一定値（１）だけ減算されるものであり、ステッピングモータ４４はカウンタＭＮ４の値が（０）である場合に停止状態にされ、カウンタＭＮ４の値が（０）に比べて大きい場合に運転状態にされている。
【００９０】
メイン制御回路５１のＣＰＵはステップＳ２１９へ移行すると、フラグ格納部８１のモータフラグがオフ状態に設定されているか否かを判断する。このモータフラグはステップＳ２でオフ状態に初期設定されるものであり、メイン制御回路５１のＣＰＵはステップＳ２１９でモータフラグがオフ状態に設定されていると判断した場合にはステップＳ２２０でカウンタＭＮ４の値が（０）に比べて大きいか否かを判断する。ここでカウンタＭＮ４の値が（０）に比べて大きいと判断した場合にはステップＳ２２１でモータフラグをオン状態に設定し、ステッピングモータ４４が運転状態にあると記録する。
【００９１】
メイン制御回路５１のＣＰＵはステップＳ２１９でモータフラグがオン状態に設定されていると判断すると、ステップＳ２２２でカウンタＭＮ４の値が（０）であるか否かを判断する。ここでカウンタＭＮ４の値が（０）であると判断した場合にはステップＳ２２３でモータフラグをオフ状態に設定し、ステッピングモータ４４が停止状態にあると記録する。即ち、モータフラグはステッピングモータ４４の停止状態でオフ状態に設定されるものであり、ステッピングモータ４４の運転状態ではオン状態に設定される。
［２−５］普通図柄プロセス処理
図４３はステップＳ１６の普通図柄プロセス処理である。この普通図柄プロセス処理はステップＳ２３１の当り判定処理とステップＳ２３２の普通図柄遊技処理とステップＳ２３３の当り遊技処理を有するものであり、ステップＳ２３１の当り判定処理〜ステップＳ２３３の当り遊技処理はフラグ格納部８１の普通図柄プロセスフラグの設定状態に応じて択一的に行われる。
［２−５−１］当り判定処理
図４４はステップＳ２３１の当り判定処理である。この当り判定処理はフラグ格納部８１の普通図柄プロセスフラグの値が（０）に設定されている場合に実行されるものであり、普通図柄プロセスフラグの値はステップＳ２で（０）に初期設定される。メイン制御回路５１のＣＰＵはステップＳ２４１でセンサ回路５２から普通図柄始動信号が出力されているか否かを判断する。ここでセンサ回路５２から普通図柄始動信号が出力されていると判断した場合にはステップＳ２４２へ移行し、カウンタ格納部８３からカウンタＭＲ３の値の更新結果を検出する。
【００９２】
メイン制御回路５１のＣＰＵはステップＳ２４２でカウンタＭＲ３の値の更新結果を検出すると、ステップＳ２４３でフラグ格納部８１の電チューサポートフラグがオフ状態に設定されているか否かを判断する。この電チューサポートフラグはステップＳ２でオフ状態に初期設定されるものであり、メイン制御回路５１のＣＰＵはステップＳ２４３で電チューサポートフラグがオフ状態に設定されていると判断した場合にはステップＳ２４４でＲＯＭから図１４の（ａ）の当り判定テーブル１を検出し、ステップＳ２４３で電チューサポートフラグがオン状態に設定されていると判断した場合にはステップＳ２４５でＲＯＭから図１４の（ｂ）の当り判定テーブル２を検出する。
【００９３】
メイン制御回路５１のＣＰＵは当り判定テーブル１または当り判定テーブル２を検出すると、ステップＳ２４６で当り判定テーブルの検出結果からカウンタＭＲ３の値の検出結果に応じた１つの判定結果を選択し、ステップＳ２４７で判定結果が当りであるか否かを判断する。ここで判定結果が当りであると判断した場合にはステップＳ２４８でフラグ格納部８１の当りフラグをオン状態に設定し、ステップＳ２４９で普通図柄格納部８５に当り図柄を記録する。この当りフラグはステップＳ２でオフ状態に初期設定されるものであり、メイン制御回路５１のＣＰＵはステップＳ２４７で判定結果が外れであると判断した場合にはステップＳ２５０で当りフラグをオフ状態に設定し、ステップＳ２５１で普通図柄格納部８５に外れ図柄を記録する。
【００９４】
メイン制御回路５１のＣＰＵは普通図柄格納部８５に当り図柄または外れ図柄を記録すると、ステップＳ２５２でタイマ格納部８２のタイマＭＴ１の値に普通図柄遊技時間（１×１０００ｍｓｅｃ）を設定する。この普通図柄遊技時間はＲＯＭに予め記録されたものであり、メイン制御回路５１のＣＰＵはステップＳ２５２でタイマＭＴ１の値を設定した場合にはステップＳ２５３で普通図柄プロセスフラグの値に（１）を設定する。
［２−５−２］普通図柄遊技処理
図４５はステップＳ２３２の普通図柄遊技処理である。この普通図柄遊技処理は普通図柄プロセスフラグの値が（１）に設定されている場合に実行されるものであり、メイン制御回路５１のＣＰＵはステップＳ２６１で普通図柄表示器４７のＬＥＤをオンオフ制御することで普通図柄表示器４７に当り図柄および外れ図柄を交互に表示する。そして、ステップＳ２６２でタイマＭＴ１の値から一定値（４ｍｓｅｃ）を減算し、ステップＳ２６３でタイマＭＴ１の値の減算結果を限度値（０）と比較する。ここでタイマＭＴ１の値の減算結果が限度値（０）に到達したと判断した場合にはステップＳ２６４へ移行し、普通図柄の変動表示を停止する。この普通図柄の停止表示は普通図柄格納部８５に記録されている普通図柄の設定結果で行われるものであり、当りであると判定された場合には普通図柄の変動表示が当り図柄で停止し、外れであると判定された場合には普通図柄の変動表示が外れ図柄で停止する。
【００９５】
メイン制御回路５１のＣＰＵはステップＳ２６４で普通図柄の変動表示を停止すると、ステップＳ２６５で普通図柄格納部８５から普通図柄の設定結果を消去し、ステップＳ２６６で当りフラグがオン状態に設定されているか否かを判断する。ここで当りフラグがオフ状態に設定されていると判断した場合にはステップＳ２６７へ移行し、普通図柄プロセスフラグの値に（０）を設定する。
【００９６】
メイン制御回路５１のＣＰＵはステップＳ２６６で当りフラグがオン状態に設定されていると判断すると、ステップＳ２６８で当りフラグをオフ状態に設定し、ステップＳ２６９でタイマＭＴ１の値に当り遊技時間（４×１０００ｍｓｅｃ）を設定する。この当り遊技時間はメイン制御回路５１のＲＯＭに予め記録されたものであり、メイン制御回路５１のＣＰＵはステップＳ２６９でタイマＭＴ１の値を設定した場合にはステップＳ２７０で特別図柄始動口ソレノイド３６をオフ状態からオン状態に切換えることで特別図柄始動口３１を外れ状態から当り状態に切換え、ステップＳ２７１でソレノイドフラグ２をオン状態に設定することで特別図柄始動口ソレノイド３６がオン状態にあると記録する。このソレノイドフラグ２はステップＳ２でオフ状態に初期設定されるものであり、メイン制御回路５１のＣＰＵはステップＳ２７１でソレノイドフラグ２をオン状態に設定した場合にはステップＳ２７２で普通図柄プロセスフラグの値に（２）を設定する。
［２−５−３］当り遊技処理
図４６はステップＳ２３３の当り遊技処理である。この当り遊技処理は普通図柄プロセスフラグの値が（２）に設定されている場合に実行されるものであり、メイン制御回路５１のＣＰＵはステップＳ２８１でタイマＭＴ１の値から一定値（４ｍｓｅｃ）を減算し、ステップＳ２８２でタイマＭＴ１の値の減算結果を限度値（０）と比較する。ここでタイマＭＴ１の値の減算結果が限度値（０）に到達したと判断した場合にはステップＳ２８３で特別図柄始動口ソレノイド３６を電気的なオン状態からオフ状態に切換えることで特別図柄始動口３１を当り状態から外れ状態に戻し、ステップＳ２８４でソレノイドフラグ２をオフ状態に設定することで特別図柄始動口ソレノイド３６がオフ状態にあると記録し、ステップＳ２８５で普通図柄プロセスフラグの値に（０）を設定する。
［２−６］特別図柄プロセス処理
図４７はステップＳ１７の特別図柄プロセス処理である。この特別図柄プロセス処理はステップＳ２９１の大当り判定処理とステップＳ２９２の特別図柄遊技処理とステップＳ２９３の大当り遊技処理を有するものであり、ステップＳ２９１の大当り判定処理〜ステップＳ２９３の大当り遊技処理は特別図柄プロセスフラグの値の設定状態に応じて択一的に行われる。
［２−６−１］大当り判定処理
図４８はステップＳ２９１の大当り判定処理である。この大当り判定処理はフラグ格納部８１の特別図柄プロセスフラグの値が（０）に設定されている場合に実行されるものであり、フラグ格納部８１の特別図柄プロセスフラグの値はステップＳ２で（０）に初期設定される。メイン制御回路５１のＣＰＵはステップＳ３０１で特別図柄始動信号フラグがオン状態に設定されているか否かを判断する。ここで特別図柄始動信号フラグがオン状態に設定されていると判断した場合にはステップＳ３０２で特別図柄始動信号フラグをオフ状態に設定し、ステップＳ３０３でカウンタ格納部８３からカウンタＭＲ１の値の更新結果を検出する。
【００９７】
メイン制御回路５１のＣＰＵはステップＳ３０３でカウンタＭＲ１の値の更新結果を検出すると、ステップＳ３０４でフラグ格納部８１の確変フラグがオフ状態に設定されているか否かを判断する。この確変フラグはステップＳ２でオフ状態に初期設定されるものであり、メイン制御回路５１のＣＰＵはステップＳ３０４で確変フラグがオフ状態に設定されていると判断した場合にはステップＳ３０５でＲＯＭから図１２の（ａ）の大当り判定テーブル１を検出し、ステップＳ３０４で確変フラグがオン状態に設定されていると判断した場合にはステップＳ３０６でＲＯＭから図１２の（ｂ）の大当り判定テーブル２を検出する。
【００９８】
メイン制御回路５１のＣＰＵは大当り判定テーブル１または大当り判定テーブル２を検出すると、ステップＳ３０７で大当り判定テーブルの検出結果からカウンタＭＲ１の値の検出結果に応じた１つの判定結果を選択し、ステップＳ３０８で判定結果が大当りであるか否かを判断する。ここで判定結果が外れであると判断した場合にはステップＳ３０９へ移行し、フラグ格納部８１の大当りフラグをオフ状態に設定する。この大当りフラグはステップＳ２でオフ状態に初期設定されるものであり、メイン制御回路５１のＣＰＵはステップＳ３０９で大当りフラグをオフ状態に設定した場合にはステップＳ３１０でＲＯＭから特別図柄として外れ図柄（１）を選択する。
【００９９】
メイン制御回路５１のＣＰＵはステップＳ３０８で判定結果が大当りであると判断すると、ステップＳ３１１で大当りフラグをオン状態に設定し、ステップＳ３１２でカウンタ格納部８３からカウンタＭＲ２の値の更新結果を検出する。そして、ステップＳ３１３でＲＯＭから図１３の特別図柄選択テーブルを検出し、ステップＳ３１４で特別図柄選択テーブルからカウンタＭＲ２の値の検出結果に応じた１つの特別図柄を選択する。
【０１００】
メイン制御回路５１のＣＰＵはステップＳ３１０またはステップＳ３１４で特別図柄を選択すると、ステップＳ３１５で特別図柄格納部８４に特別図柄の選択結果を記録し、ステップＳ３１６でＲＯＭから図１５の図柄情報コマンドテーブルを検出する。そして、ステップＳ３１７で図柄情報コマンドテーブルから特別図柄の選択結果に応じた１つの図柄情報コマンドを選択し、ステップＳ３１８で演出制御回路６１に図柄情報コマンドの選択結果を送信する。
【０１０１】
メイン制御回路５１のＣＰＵはステップＳ３１８で演出制御回路６１に図柄情報コマンドの選択結果を送信すると、ステップＳ３１９で演出制御回路６１に変動開始コマンドを送信し、ステップＳ３２０でタイマ格納部８２のタイマＭＴ２の値に特別図柄遊技時間（６×１０００ｍｓｅｃ）を設定する。この特別図柄遊技時間はメイン制御回路５１のＲＯＭに予め記録されたものであり、メイン制御回路５１のＣＰＵはステップＳ３２０でタイマＭＴ２の値を設定した場合にはステップＳ３２１で特別図柄プロセスフラグの値に（１）を設定する。
［２−６−２］特別図柄遊技処理
図４９はステップＳ２９２の特別図柄遊技処理である。この特別図柄遊技処理はフラグ格納部８１の特別図柄プロセスフラグの値が（１）に設定されている場合に実行されるものであり、メイン制御回路５１のＣＰＵはステップＳ３３１で特別図柄表示器４８の複数のＬＥＤのそれぞれをオンオフ制御することで特別図柄表示器４８に特別図柄を変動状態で表示する。そして、ステップＳ３３２でタイマＭＴ２の値から一定値（４ｍｓｅｃ）を減算し、ステップＳ３３３でタイマＭＴ２の値の減算結果を限度値（０）と比較する。ここでタイマＭＴ２の値の減算結果が限度値に到達したと判断した場合にはステップＳ３３４で特別図柄表示器４８の特別図柄の変動表示を停止し、ステップＳ３３５で演出制御回路６１に変動停止コマンドを送信する。この特別図柄の停止表示は特別図柄格納部８４に記録されている特別図柄の選択結果で行われるものであり、特別図柄格納部８４に外れ図柄が記録されている場合には特別図柄の変動表示が外れ図柄で停止し、特別図柄格納部８４に通常大当り図柄が記録されている場合には特別図柄の変動表示が通常大当り図柄で停止し、特別図柄格納部８４に確変大当り図柄が記録されている場合には特別図柄の変動表示が確変大当り図柄で停止する。
【０１０２】
メイン制御回路５１のＣＰＵはステップＳ３３５で演出制御回路６１に変動停止コマンドを送信すると、ステップＳ３３６で大当りフラグがオン状態に設定されているか否かを判断する。ここで大当りフラグがオフ状態に設定されていると判断した場合にはステップＳ３３７で特別図柄格納部８４から特別図柄の記録結果を消去し、ステップＳ３３８で特別図柄プロセスフラグの値に（０）を設定する。
【０１０３】
メイン制御回路５１のＣＰＵはステップＳ３３６で大当りフラグがオン状態に設定されていると判断すると、ステップＳ３３９で大当りフラグをオフ状態に設定する。そして、ステップＳ３４０でタイマＭＴ２の値に上限時間（３０×１０００ｍｓｅｃ）を設定し、ステップＳ３４１でカウンタＭＮ１の値に継続回数（５）を設定し、ステップＳ３４２でカウンタＭＮ２の値に上限個数（１０）を設定する。これら上限時間と継続回数と上限個数のそれぞれはメイン制御回路５１のＲＯＭに予め記録されたものであり、メイン制御回路５１のＣＰＵはステップＳ３４２でカウンタＭＮ２の値を設定した場合にはステップＳ３４３で確変フラグをオフ状態に設定し、ステップＳ３４４で電チューサポートフラグをオフ状態に設定する。
【０１０４】
メイン制御回路５１のＣＰＵはステップＳ３４４で電チューサポートフラグをオフ状態に設定すると、ステップＳ３４５で特別入賞口ソレノイド４１をオフ状態からオン状態に切換えることで特別入賞口３７を閉鎖状態から開放状態に切換える。そして、ステップＳ３４６で演出制御回路６１に大当り遊技開始コマンドを送信し、ステップＳ３４７でフラグ格納部８１のソレノイドフラグ３をオン状態に設定することで特別入賞口ソレノイド４１のオンを記録する。このソレノイドフラグ３はステップＳ２でオフ状態に設定されるものであり、メイン制御回路５１のＣＰＵはステップＳ３４７でソレノイドフラグ３をオン状態に設定した場合にはステップ３４８で特別図柄プロセスフラグの値に（２）を設定する。
［２−６−３］大当り遊技処理
図５０はステップＳ２９３の大当り遊技処理である。この大当り遊技処理はフラグ格納部８１の特別図柄プロセスフラグの値が（２）に設定されている場合に実行されるものであり、メイン制御回路５１のＣＰＵはステップＳ３５１でタイマＭＴ２の値から一定値（４ｍｓｅｃ）を減算し、ステップＳ３５２でタイマＭＴ２の値の減算結果を限度値（０）と比較する。ここでタイマＭＴ２の値の減算結果が限度値に到達したと判断した場合にはステップＳ３５７へ移行し、特別入賞口ソレノイド４１をオン状態からオフ状態に切換えることで特別入賞口３７を開放状態から閉鎖状態にする。
【０１０５】
メイン制御回路５１のＣＰＵはステップＳ３５２でタイマＭＴ２の値の減算結果が限度値に到達していないと判断すると、ステップＳ３５３で特別入賞信号フラグがオン状態に設定されているか否かを判断する。ここで特別入賞信号フラグがオン状態に設定されていると判断した場合にはステップＳ３５４で特別入賞信号フラグをオフ状態に設定し、ステップＳ３５５でカウンタＭＮ２の値から一定値（１）を減算し、ステップＳ３５６でカウンタＭＮ２の値の減算結果を限度値（０）と比較する。ここでカウンタＭＮ２の値の減算結果が限度値に到達したと判断した場合にはステップＳ３５７へ移行し、特別入賞口ソレノイド４１をオン状態からオフ状態に切換えることで特別入賞口４１を閉鎖状態にする。
【０１０６】
メイン制御回路５１のＣＰＵはステップＳ３５７で特別入賞口ソレノイド４１をオフ状態に切換えると、ステップＳ３５８でソレノイドフラグ３をオフ状態に設定することで特別入賞口ソレノイド４１のオフを記録する。そして、ステップＳ３５９でカウンタＭＮ１の値から一定値（１）を減算し、ステップＳ３６０でカウンタＭＮ１の値の減算結果を限度値（０）と比較する。ここでカウンタＭＮ１の値の減算結果が限度値に到達していないと判断した場合にはステップＳ３６１でカウンタＭＮ２の値に上限度個数（１０）を再設定し、ステップＳ３６２でタイマＭＴ２の値に上限時間（３０×１０００ｍｓｅｃ）を再設定する。そして、ステップＳ３６３で特別入賞口ソレノイド４１を再びオン状態にすることで特別入賞口３７を再び開放状態とし、ステップＳ３６４でソレノイドフラグ３をオン状態に設定する。
【０１０７】
メイン制御回路５１のＣＰＵはステップＳ３５７で特別入賞口４１を５回目に閉鎖状態にすると、ステップＳ３５９でカウンタＭＮ１の値を限度値（０）に減算し、ステップＳ３６０でカウンタＭＮ１の値の減算結果が限度値に到達したと判断する。そして、ステップＳ３６５で演出制御回路６１に大当り遊技停止コマンドを送信し、ステップＳ３６６で特別図柄格納部８４から特別図柄の選択結果を検出し、ステップＳ３６７で特別図柄の検出結果が確変大当り図柄であるか否かを判断する。ここで特別図柄の検出結果が通常大当り図柄であると判断した場合にはステップＳ３７０で特別図柄格納部８４から特別図柄を消去し、ステップＳ３７１で特別図柄プロセスフラグの値に（０）を設定する。
【０１０８】
メイン制御回路５１のＣＰＵはステップＳ３６７で特別図柄の検出結果が確変大当り図柄であると判断すると、ステップＳ３６８で確変フラグをオン状態に設定し、ステップＳ３６９で電チューサポートフラグをオン状態に設定する。そして、ステップＳ３７０で特別図柄格納部８４から特別図柄を消去し、ステップＳ３７１で特別図柄プロセスフラグの値に（０）を設定する。
［２−７］遊技状態検出処理
図５１はステップＳ１８の遊技状態検出処理であり、メイン制御回路５１のＣＰＵはステップＳ３８１でフラグ格納部８１のソレノイドフラグ１がオフ状態に設定されているか否かを判断する。このソレノイドフラグ１はステップＳ２でオフ状態に初期設定されるものであり、メイン制御回路５１のＣＰＵはステップＳ３８１でソレノイドフラグ１がオフ状態に設定されていると判断した場合にはステップＳ３８２で発射開始コマンドが有るか否かを判断する。この発射開始コマンドは発射ハンドル２０が非操作状態から操作状態に操作されることで発射ソレノイド２１が電気的なオフ状態からオン状態に切換えられた場合に発射制御回路５９が送信するものであり、メイン制御回路５１のＣＰＵはステップＳ３８２で発射開始コマンドが有ると判断した場合にはステップＳ３８３でソレノイドフラグ１をオン状態に設定し、ステップＳ３８３で発射開始コマンドを消去する。
【０１０９】
メイン制御回路５１のＣＰＵはステップＳ３８１でソレノイドフラグ１がオン状態に設定されていると判断すると、ステップＳ３８５で発射停止コマンドが有るか否かを判断する。この発射停止コマンドは発射ハンドル２０が操作状態から非操作状態に操作されることで発射ソレノイド２１が電気的なオン状態からオフ状態に切換えられた場合に発射制御回路５９が送信するものであり、メイン制御回路５１のＣＰＵはステップＳ３８５で発射停止コマンドが有ると判断した場合にはステップＳ３８６でソレノイドフラグ１をオフ状態に設定し、ステップＳ３８７で発射停止コマンドを消去する。即ち、ソレノイドフラグ１は発射ソレノイド２１のオン状態でオン状態に設定されるものであり、発射ソレノイド２１のオフ状態ではオフ状態に設定される。
［２−８］カウンタ送信処理
図５２はステップＳ１９のカウンタ送信処理であり、メイン制御回路５１のＣＰＵはステップＳ３９１でソレノイドフラグ１の値を検出する。そして、ステップＳ３９２でソレノイドフラグ２の値を検出し、ステップＳ３９３でソレノイドフラグ３の値を検出し、ステップＳ３９４でモータフラグの値を検出する。
【０１１０】
メイン制御回路５１のＣＰＵはステップＳ３９４でモータフラグの値を検出すると、ステップＳ３９５でＲＯＭからカウンタデータテーブルを検出する。このカウンタデータテーブルはカウンタデータ（０）〜（１５）の１６個のそれぞれにソレノイドフラグ１の値とソレノイドフラグ２の値とソレノイドフラグ３の値とモータフラグの値の４つを割付けたものであり、図１１はカウンタデータテーブルに相当する。このカウンタデータテーブルはメイン制御回路５１のＲＯＭに予め記録されたものであり、メイン制御回路５１のＣＰＵはステップＳ３９５でカウンタデータテーブルを検出した場合にはステップＳ３９６でカウンタデータテーブルからソレノイドフラグ１の値とソレノイドフラグ２の値とソレノイドフラグ３の値とモータフラグの値の４つに応じた１つのカウンタデータを選択する。そして、ステップＳ３９７でカウンタＭＮ３の値にカウンタデータの選択結果を設定し、ステップＳ３９８でセンサ制御回路７７にカウンタＭＮ３の値の設定結果を送信する。例えばソレノイドフラグ１の値〜モータフラグの値のそれぞれの検出結果がオフ状態（０）である場合にはカウンタデータ（０）が選択され、センサ制御回路７７にカウンタＭＮ３の値として（０）が送信される。ソレノイドフラグ１の値〜モータフラグの値のそれぞれの検出結果がオン状態（１）である場合にはカウンタデータ（１５）が選択され、センサ制御回路７７にカウンタＭＮ３の値として（１５）が送信される。
［３］メイン処理
図５３はセンサ制御回路７７のＣＰＵがＲＯＭの制御プログラムに基づいて実行するメイン処理である。このメイン処理はセンサ制御回路７７に対する駆動電源の供給が開始された場合に先頭のステップＳ４０１から起動するものであり、センサ制御回路７７のＣＰＵはステップＳ４０１でレジスタおよびＰＩＯのそれぞれを初期設定する。そして、ステップＳ４０２でセンサデータ格納領域１００の電圧値格納部１０１と基準値格納部１０２とコマンド格納部１０３とデータ格納部１０４とフラグ格納部１０５と異常格納部１０６とタイマ格納部１０７のそれぞれを初期設定し、ステップＳ４０３で１０ｍｓｅｃ毎にタイマ割込みが発生するようにＣＴＣ（カウンタ／タイマ）を初期設定する。
［４］外部割込み処理１
図５４はセンサ制御回路７７のＣＰＵが実行する外部割込み処理１である。この外部割込み処理１はメイン制御回路５１からセンサ制御回路７７に電圧検出コマンド０〜電圧検出コマンド１５のそれぞれが送信された場合に起動するものであり、センサ制御回路７７のＣＰＵはステップＳ４１１でコマンド格納部１０３に電圧検出コマンドの受信結果を記録する。そして、ステップＳ４１２でＸ軸ＭＩセンサ７０の出力回路７５からの電圧信号を検出し、ステップＳ４１３で基準値格納部１０２の基準値Ｘ０〜Ｘ１５のうちコマンド格納部１０３の電圧検出コマンドの記録結果に応じた１つにステップＳ４１２の電圧信号の検出結果を設定する。これら基準値Ｘ０〜Ｘ１５のそれぞれはステップＳ４０２でＲＯＭに予め記録された標準値に初期設定されるものである。
【０１１１】
センサ制御回路７７のＣＰＵはステップＳ４１３で基準値格納部１０２の基準値Ｘ０〜Ｘ１５のいずれか１つを設定すると、ステップＳ４１４でＹ軸ＭＩセンサ７１の出力回路７５からの電圧信号を検出し、ステップＳ４１５で基準値格納部１０２の基準値Ｙ０〜Ｙ１５のうちコマンド格納部１０３の電圧検出コマンドの記録結果に応じた１つにステップＳ４１４の電圧信号の検出結果を設定する。そして、ステップＳ４１６でＺ軸ＭＩセンサ７２の出力回路７５からの電圧信号を検出し、ステップＳ４１７で基準値格納部１０２の基準値Ｚ０〜Ｚ１５のうちコマンド格納部１０３の電圧検出コマンドの記録結果に応じた１つにステップＳ４１６の電圧信号の検出結果を設定し、ステップＳ４１８でコマンド格納部１０３から電圧検出コマンドを消去する。
【０１１２】
次の０）〜１５）は電圧検出コマンドの種類と基準値との対応関係であり、メイン制御回路５１が起動した場合にはメイン制御回路５１から電圧検出コマンド０〜電圧検出コマンド１５のそれぞれが１ｓｅｃ毎に順に送信されることで基準値（Ｘ０，Ｙ０，Ｚ０）〜（Ｘ１５，Ｙ１５，Ｚ１５）のそれぞれが順に設定される。
０）コマンド格納部１０３に電圧検出コマンド０が記録されている場合には基準値（Ｘ０，Ｙ０，Ｚ０）が設定される。
１）コマンド格納部１０３に電圧検出コマンド１が記録されている場合には基準値（Ｘ１，Ｙ１，Ｚ１）が設定される。
２）コマンド格納部１０３に電圧検出コマンド２が記録されている場合には基準値（Ｘ２，Ｙ２，Ｚ２）が設定される。
３）コマンド格納部１０３に電圧検出コマンド３が記録されている場合には基準値（Ｘ３，Ｙ３，Ｚ３）が設定される。
４）コマンド格納部１０３に電圧検出コマンド４が記録されている場合には基準値（Ｘ４，Ｙ４，Ｚ４）が設定される。
５）コマンド格納部１０３に電圧検出コマンド５が記録されている場合には基準値（Ｘ５，Ｙ５，Ｚ５）が設定される。
６）コマンド格納部１０３に電圧検出コマンド６が記録されている場合には基準値（Ｘ６，Ｙ６，Ｚ６）が設定される。
７）コマンド格納部１０３に電圧検出コマンド７が記録されている場合には基準値（Ｘ７，Ｙ７，Ｚ７）が設定される。
８）コマンド格納部１０３に電圧検出コマンド８が記録されている場合には基準値（Ｘ８，Ｙ８，Ｚ８）が設定される。
９）コマンド格納部１０３に電圧検出コマンド９が記録されている場合には基準値（Ｘ９，Ｙ９，Ｚ９）が設定される。
１０）コマンド格納部１０３に電圧検出コマンド１０が記録されている場合には基準値（Ｘ１０，Ｙ１０，Ｚ１０）が設定される。
１１）コマンド格納部１０３に電圧検出コマンド１１が記録されている場合には基準値（Ｘ１１，Ｙ１１，Ｚ１１）が設定される。
１２）コマンド格納部１０３に電圧検出コマンド１２が記録されている場合には基準値（Ｘ１２，Ｙ１２，Ｚ１２）が設定される。
１３）コマンド格納部１０３に電圧検出コマンド１３が記録されている場合には基準値（Ｘ１３，Ｙ１３，Ｚ１３）が設定される。
１４）コマンド格納部１０３に電圧検出コマンド１４が記録されている場合には基準値（Ｘ１４，Ｙ１４，Ｚ１４）が設定される。
１５）コマンド格納部１０３に電圧検出コマンド１５が記録されている場合には基準値（Ｘ１５，Ｙ１５，Ｚ１５）が設定される。
［４］外部割込み処理２
図５５はセンサ制御回路７７のＣＰＵが実行する外部割込み処理２である。この外部割込み処理２はメイン制御回路５１からセンサ制御回路７７にカウンタデータＭＮ３の値が送信された場合に起動するものであり、センサ制御回路７７のＣＰＵはステップＳ４２１でデータ格納部１０４にカウンタデータＭＮ３の値が記録されているか否かを判断する。ここでデータ格納部１０４にカウンタデータＭＮ３の値が記録されていないと判断した場合にはステップＳ４２３へ移行し、データ格納部１０４にカウンタデータＭＮ３の値の受信結果を記録する。
【０１１３】
センサ制御回路７７のＣＰＵはステップＳ４２１でデータ格納部１０４にカウンタデータＭＮ３の値が記録されていると判断した場合にはステップＳ４２２でデータ格納部１０４からカウンタデータＭＮ３の値を消去し、ステップＳ４２３でデータ格納部１０４にカウンタデータＭＮ３の値の受信結果を記録する。即ち、データ格納部１０４はメイン制御回路５１が設定した最新の１つのカウンタデータＭＮ３の値が記録される領域であり、データ格納部１０４のカウンタデータＭＮ３の値はメイン制御回路５１がカウンタデータＭＮ３の値を送信する４ｍｓｅｃ毎に更新される。
［５］タイマ割込み処理
図５６はセンサ制御回路７７のＣＰＵがタイマ割込みの発生する１０ｍｓｅｃ毎に実行するタイマ割込み処理である。このタイマ割込み処理は外部割込み処理１および外部割込み処理２のそれぞれに比べて割込みの優先順位が低く設定されたものであり、外部割込み処理１および外部割込み処理２のそれぞれはタイマ割込み処理の実行中および停止中のそれぞれで発生する。センサ制御回路７７のＣＰＵはステップＳ４３１でタイマ格納部１０７のタイマＴの値にＲＯＭに予め記録された一定値（１０ｍｓｅｃ）を加算する。このタイマＴの値はステップＳ４０２で（０）に初期設定されるものであり、センサ制御回路７７に対する駆動電源の供給が開始されたことを基準とする時間に相当する。
【０１１４】
センサ制御回路７７のＣＰＵはステップＳ４３１でタイマＴの値を加算すると、ステップＳ４３２のリモコン処理を経てステップＳ４３３へ移行し、フラグ格納部１０５の処理停止フラグがオフ状態に設定されているか否かを判断する。この処理停止フラグはステップＳ４０２でオフ状態に初期設定されるものであり、センサ制御回路７７のＣＰＵはステップＳ４３３で処理停止フラグがオフ状態に設定されていると判断した場合にはステップＳ４３４の異常判定処理へ移行し、ステップＳ４３３で処理停止フラグがオン状態に設定されていると判断した場合にはステップＳ４３４の異常判定処理へ移行しない。
［５−１］リモコン処理
図５７はステップＳ４３２のリモコン処理であり、センサ制御回路７７のＣＰＵはステップＳ４４１で受光回路１１２から受光信号が出力されているか否かを判断する。ここで受光回路１１２から受光信号が出力されていると判断した場合にはステップＳ４４２へ移行し、フラグ格納部１０５の処理停止フラグがオフ状態に設定されているか否かを判断する。この処理停止フラグはステップＳ４０２でオフ状態に設定されるものであり、センサ制御回路７７のＣＰＵはステップＳ４４２で処理停止フラグがオフ状態に設定されていると判断した場合にはステップ４４３で処理停止フラグをオン状態に設定し、ステップＳ４４２で処理停止フラグがオン状態に設定されていると判断した場合にはステップ４４４で処理停止フラグをオフ状態に設定する。即ち、パチンコホールの店員が窓１１０にリモートコントローラ１１３のレンズ１１５を接触させて操作スイッチ１１４を操作した場合には処理停止フラグが操作スイッチ１１４の操作毎にオン状態およびオフ状態に交互に設定される。
［５−２］異常判定処理
図５８はステップＳ４３４の異常判定処理である。この異常判定処理は処理停止フラグのオフ状態で実行されるものであり、パチンコホールの店員はリモートコントローラ１１３の操作スイッチ１１４を操作して処理停止フラグをオン状態に設定することで異常判定処理を無効化でき、処理停止フラグをオフ状態に設定することで異常判定処理を有効化できる。
【０１１５】
センサ制御回路７７のＣＰＵはステップＳ４５１でＸ軸ＭＩセンサ７０の出力回路７５からの電圧信号を検出し、ステップＳ４５２で電圧値格納部１０１の電圧値Ｘｖの値に電圧信号の検出結果を設定する。そして、ステップＳ４５３でＹ軸ＭＩセンサ７１の出力回路７５からの電圧信号を検出し、ステップＳ４５４で電圧値格納部１０１の電圧値Ｙｖの値に電圧信号の検出結果を設定する。次にステップＳ４５５でＺ軸ＭＩセンサ７２の出力回路７５からの電圧信号を検出し、ステップＳ４５６で電圧値格納部１０１の電圧値Ｚｖの値に電圧信号の検出結果を設定する。
【０１１６】
センサ制御回路７７のＣＰＵはステップＳ４５６で電圧値Ｚｖの値を設定すると、ステップＳ４５７でデータ格納部１０４からカウンタデータＭＮ３の値を検出し、ステップＳ４５８で基準値格納部１０２の基準値Ｘ０〜Ｘ１５のうちからカウンタデータＭＮ３の値の検出結果に応じた１つを選択し、基準値格納部１０２の基準値Ｙ０〜Ｙ１５のうちからカウンタデータＭＮ３の値の検出結果に応じた１つを選択し、基準値格納部１０２の基準値Ｚ０〜Ｚ１５のうちからカウンタデータＭＮ３の値の検出結果に応じた１つを選択する。次の０）〜１５）はカウンタデータと基準値との対応関係である。
０）カウンタデータＭＮ３の値が（０）である場合には基準値（Ｘ０，Ｙ０，Ｚ０）が選択される。
１）カウンタデータＭＮ３の値が（１）である場合には基準値（Ｘ１，Ｙ１，Ｚ１）が選択される。
２）カウンタデータＭＮ３の値が（２）である場合には基準値（Ｘ２，Ｙ２，Ｚ２）が選択される。
３）カウンタデータＭＮ３の値が（３）である場合には基準値（Ｘ３，Ｙ３，Ｚ３）が選択される。
４）カウンタデータＭＮ３の値が（４）である場合には基準値（Ｘ４，Ｙ４，Ｚ４）が選択される。
５）カウンタデータＭＮ３の値が（５）である場合には基準値（Ｘ５，Ｙ５，Ｚ５）が選択される。
６）カウンタデータＭＮ３の値が（６）である場合には基準値（Ｘ６，Ｙ６，Ｚ６）が選択される。
７）カウンタデータＭＮ３の値が（７）である場合には基準値（Ｘ７，Ｙ７，Ｚ７）が選択される。
８）カウンタデータＭＮ３の値が（８）である場合には基準値（Ｘ８，Ｙ８，Ｚ８）が選択される。
９）カウンタデータＭＮ３の値が（９）である場合には基準値（Ｘ９，Ｙ９，Ｚ９）が選択される。
１０）カウンタデータＭＮ３の値が（１０）である場合には基準値（Ｘ１０，Ｙ１０，Ｚ１０）が選択される。
１１）カウンタデータＭＮ３の値が（１１）である場合には基準値（Ｘ１１，Ｙ１１，Ｚ１１）が選択される。
１２）カウンタデータＭＮ３の値が（１２）である場合には基準値（Ｘ１２，Ｙ１２，Ｚ１２）が選択される。
１３）カウンタデータＭＮ３の値が（１３）である場合には基準値（Ｘ１３，Ｙ１３，Ｚ１３）が選択される。
１４）カウンタデータＭＮ３の値が（１４）である場合には基準値（Ｘ１４，Ｙ１４，Ｚ１４）が選択される。
１５）カウンタデータＭＮ３の値が（１５）である場合には基準値（Ｘ１５，Ｙ１５，Ｚ１５）が選択される。
【０１１７】
センサ制御回路７７のＣＰＵはステップＳ４５８で基準値（Ｘｎ，Ｙｎ，Ｚｎ）を選択すると、ステップＳ４５９で電圧値Ｘｖの設定結果が下限値および上限値の範囲内にあるか否かを判断する。下限値は基準値Ｘｎの選択結果から許容値αを減算することで設定されるものであり、上限値は基準値Ｘｎの選択結果に許容値αを加算することで設定されるものである。この許容値αはセンサ制御回路７７のＲＯＭに予め記録されたものであり、次の３つの差分を含んで設定されている。
【０１１８】
普通図柄始動口センサ３２の検出領域内に遊技球が進入していない状態でのＸ軸ＭＩセンサ７０からの出力信号および普通図柄始動口センサ３２の検出領域内に遊技球が進入した状態でのＸ軸ＭＩセンサ７０からの出力信号相互間の差分／特別図柄始動口センサ３３の検出領域内に遊技球が進入していない状態でのＸ軸ＭＩセンサ７０からの出力信号および特別図柄始動口センサ３３の検出領域内に遊技球が進入した状態でのＸ軸ＭＩセンサ７０からの出力信号相互間の差分／特別入賞口センサ３８の検出領域内に遊技球が進入していない状態でのＸ軸ＭＩセンサ７０からの出力信号および特別入賞口センサ３８の検出領域内に遊技球が進入した状態でのＸ軸ＭＩセンサ７０からの出力信号相互間の差分
センサ制御回路７７のＣＰＵはステップＳ４５９で電圧値Ｘｖの設定結果が下限値および上限値の範囲内にあると判断すると、ステップＳ４６０で電圧値Ｙｖの設定結果が下限値および上限値の範囲内にあるか否かを判断する。下限値は基準値Ｙｎの選択結果から許容値βを減算することで設定されるものであり、上限値は基準値Ｙｎの選択結果に許容値βを加算することで設定されるものである。この許容値βはセンサ制御回路７７のＲＯＭに予め記録されたものであり、次の３つの差分を含んで設定されている。
【０１１９】
普通図柄始動口センサ３２の検出領域内に遊技球が進入していない状態でのＹ軸ＭＩセンサ７１からの出力信号および普通図柄始動口センサ３２の検出領域内に遊技球が進入した状態でのＹ軸ＭＩセンサ７１からの出力信号相互間の差分／特別図柄始動口センサ３３の検出領域内に遊技球が進入していない状態でのＹ軸ＭＩセンサ７１からの出力信号および特別図柄始動口センサ３３の検出領域内に遊技球が進入した状態でのＹ軸ＭＩセンサ７１からの出力信号相互間の差分／特別入賞口センサ３８の検出領域内に遊技球が進入していない状態でのＹ軸ＭＩセンサ７１からの出力信号および特別入賞口センサ３８の検出領域内に遊技球が進入した状態でのＹ軸ＭＩセンサ７１からの出力信号相互間の差分
センサ制御回路７７のＣＰＵはステップＳ４６０で電圧値Ｙｖの設定結果が下限値および上限値の範囲内にあると判断すると、ステップＳ４６１で電圧値Ｚｖの設定結果が下限値および上限値の範囲内にあるか否かを判断する。下限値は基準値Ｚｎの選択結果から許容値γを減算することで設定されるものであり、上限値は基準値Ｚｎの選択結果に許容値γを加算することで設定されるものである。この許容値γはセンサ制御回路７７のＲＯＭに予め記録されたものであり、次の３つの差分を含んで設定されている。
【０１２０】
普通図柄始動口センサ３２の検出領域内に遊技球が進入していない状態でのＺ軸ＭＩセンサ７２からの出力信号および普通図柄始動口センサ３２の検出領域内に遊技球が進入した状態でのＺ軸ＭＩセンサ７２からの出力信号相互間の差分／特別図柄始動口センサ３３の検出領域内に遊技球が進入していない状態でのＺ軸ＭＩセンサ７２からの出力信号および特別図柄始動口センサ３３の検出領域内に遊技球が進入した状態でのＺ軸ＭＩセンサ７２からの出力信号相互間の差分／特別入賞口センサ３８の検出領域内に遊技球が進入していない状態でのＺ軸ＭＩセンサ７２からの出力信号および特別入賞口センサ３８の検出領域内に遊技球が進入した状態でのＺ軸ＭＩセンサ７２からの出力信号相互間の差分
センサ制御回路７７のＣＰＵはステップＳ４６１で電圧値Ｚｖの設定結果が下限値および上限値の範囲内にあると判断すると、ステップＳ４６６で電圧値格納部１０１から電圧値Ｘｖの値と電圧値Ｙｖの値と電圧値Ｚｖの値のそれぞれを消去する。即ち、電圧値Ｘｖの設定結果と電圧値Ｙｖの設定結果と電圧値Ｚｖの設定結果のそれぞれが許容範囲内にある場合には異常なしと判定される。
【０１２１】
センサ制御回路７７のＣＰＵはステップＳ４５９で電圧値Ｘｖの設定結果が下限値および上限値の範囲内にないと判断またはステップＳ４６０で電圧値Ｙｖの設定結果が下限値および上限値の範囲内にないと判断またはステップＳ４６１で電圧値Ｚｖの設定結果が下限値および上限値の範囲内にないと判断すると、ステップＳ４６２でタイマ格納部１０７からタイマＴの値の更新結果を検出し、ステップＳ４６３で異常格納部１０６にタイマＴの値の検出結果を記録する。そして、ステップＳ４６４で演出制御回路６１に異常コマンドを送信し、ステップＳ４６５でブザー回路１２１をオンすることでブザー１２２を鳴動させ、ステップＳ４６６で電圧値格納部１０１から電圧値Ｘｖの値と電圧値Ｙｖの値と電圧値Ｚｖの値のそれぞれを消去する。
【０１２２】
電圧値Ｘｖの設定結果または電圧値Ｙｖの設定結果または電圧値Ｚｖの設定結果が許容範囲内にない場合には異常ありと判定される。この異常ありと判定された場合には異常格納部１０６に異常有りと判定された時間Ｔが記録され、ブザー１２２がオンされ、演出制御回路６１に異常有りと判定されたことが通知される。このブザー１２２のオンはセンサ制御回路７７のＲＯＭに予め決められた一定時間だけ行われるものであり、異常ありと判定された場合には主電源の投入状態および主電源の遮断状態のそれぞれでブザー１２２が一定時間だけ鳴動することで異常の発生が報知される。
［６］メイン処理
図５９は演出制御回路６１のＣＰＵがＲＯＭの制御プログラムに基づいて実行するメイン処理である。このメイン処理は主電源スイッチ６８がオフ状態からオン状態に切換えられることで主電源が投入された場合に先頭のステップＳ５０１から起動するものであり、演出制御回路６１のＣＰＵはステップＳ５０１でレジスタおよびＰＩＯのそれぞれを初期設定する。そして、ステップＳ５０２でコマンド格納部９１とフラグ格納部９２とタイマ格納部９３とカウンタ格納部９４と確定図柄格納部９５のそれぞれを初期設定し、ステップＳ５０３で１０ｍｓｅｃ毎にタイマ割込みが発生するようにＣＴＣを初期設定する。
【０１２３】
演出制御回路６１のＣＰＵはステップＳ５０３でＣＴＣを初期設定すると、ステップＳ５０４のカウンタ更新処理でカウンタ格納部９４のカウンタＳＲ１の値とカウンタＳＲ２の値とカウンタＳＲ３の値のそれぞれにＲＯＭに予め記録された一定値（１）を加算する。これらカウンタＳＲ１〜ＳＲ３のそれぞれの値はステップＳ５０２で下限値（０）に初期設定されるものであり、ステップＳ５０４のカウンタ更新処理ではＳＲ１の値が下限値（０）から上限値（２４９）に加算された後に下限値（０）に戻して循環的に加算され、カウンタＳＲ２の値が下限値（０）から上限値（１６２）に加算された後に下限値（０）に戻して循環的に加算され、カウンタＳＲ３の値が下限値（０）から上限値（７２）に加算された後に下限値（０）に戻して循環的に加算される。これら下限値（０）と上限値（２４９）と上限値（１６２）と上限値（７２）のそれぞれは演出制御回路６１のＲＯＭに予め記録されたものである。
［７］外部割込み処理１
メイン制御回路５１から変動開始コマンドと変動停止コマンドと図柄情報コマンドと大当り遊技開始コマンドと大当り遊技停止コマンドのそれぞれが送信された場合には外部割込み処理１が起動する。この外部割込み処理１が起動した場合には割込み禁止状態になり、変動開始コマンド〜大当り遊技停止コマンドのそれぞれを外部割込み処理１で受信コマンドバッファに格納して割込み禁止状態を解除する。
［８］外部割込み処理２
図６０は演出制御回路６１のＣＰＵが実行する外部割込み処理２である。この外部割込み処理２はセンサ制御回路７７から異常コマンドが送信された場合に起動するものであり、演出制御回路６１のＣＰＵはステップＳ５１１でコマンド格納部９１に異常コマンドの受信結果を記録する。そして、ステップＳ５１２で表示制御回路６２に異常報知コマンド１を送信し、ステップＳ５１３で音制御回路６３に異常報知コマンド２を送信し、ステップＳ５１４で電飾制御回路６４に異常報知コマンド３を送信し、ステップＳ５１５でコマンド格納部９１から異常コマンドを消去する。
【０１２４】
表示制御回路６２のＣＰＵは異常報知コマンド１を受信した場合にはＶＲＯＭから異常報知コマンド１に応じた画像データを検出し、装飾図柄表示器４９に画像データの検出結果に応じて異常報知映像（異常が発生しました）を表示する。この異常報知映像は、図６１に示すように、装飾図柄遊技の映像の表示中および非表示中のそれぞれで左列の図柄要素と中列の図柄要素と右列の図柄要素の３つの前方に重ねて表示されるものであり、表示制御回路６２のＣＰＵは異常報知映像を表示した場合には異常報知映像を表示開始したことを基準に一定時間（６０×１０００ｍｓｅｃ）が経過することで異常報知映像を消去する。音制御回路６３は異常報知コマンド２を受信した場合には異常報知コマンド２に応じた音信号を設定し、両スピーカ１１のそれぞれを音信号の設定結果に応じて駆動することで異常の発生を音で報知する。電飾制御回路６４は異常報知コマンド３を受信した場合には異常報知コマンド３に応じた電飾信号を設定し、複数の電飾ＬＥＤ１３のそれぞれを電飾信号の設定結果に応じて駆動することで異常の発生を光で報知する。
［９］タイマ割込み処理
図６２は演出制御回路６１のＣＰＵがタイマ割込みの発生する１０ｍｓｅｃ毎に実行するタイマ割込み処理であり、演出制御回路６１のＣＰＵはタイマ割込みが発生する毎にステップＳ５２１のコマンド処理とステップＳ５２２の装飾図柄遊技処理とステップＳ５２３の大当り遊技演出処理のそれぞれを順に実行する。
［９−１］コマンド処理
図６２のステップＳ５２１のコマンド処理は受信コマンドバッファに変動開始コマンドと変動停止コマンドと図柄情報コマンドと大当り遊技開始コマンドと大当り遊技停止コマンドのそれぞれが記録されているか否かを判断するものであり、受信コマンドバッファに変動開始コマンドが記録されていると判断した場合には変動開始コマンドを受信コマンドバッファからコマンド格納部９１にシフトし、受信コマンドバッファに変動停止コマンドが記録されていると判断した場合には変動停止コマンドを受信コマンドバッファからコマンド格納部９１にシフトし、受信コマンドバッファに図柄情報コマンドが記録されていると判断した場合には図柄情報コマンドを受信コマンドバッファからコマンド格納部９１にシフトし、受信コマンドバッファに大当り遊技開始コマンドが記録されていると判断した場合には大当り遊技開始コマンドを受信コマンドバッファからコマンド格納部９１にシフトし、受信コマンドバッファに大当り遊技停止コマンドが記録されていると判断した場合には大当り遊技停止コマンドを受信コマンドバッファからコマンド格納部９１にシフトする。
［９−２］装飾図柄遊技処理
図６３はステップＳ５２２の装飾図柄遊技処理であり、演出制御回路６１のＣＰＵはステップＳ５３１でコマンド格納部９１に変動開始コマンドが記録されているか否かを判断する。ここでコマンド格納部９１に変動開始コマンドが記録されていると判断した場合にはステップＳ５３２へ移行し、フラグ格納部９２の遊技中フラグをオン状態に設定する。この遊技中フラグはステップＳ５０２でオフ状態に初期設定されるものであり、演出制御回路６１のＣＰＵはステップＳ５３２で遊技中フラグをオン状態に設定した場合にはステップＳ５３３の装飾図柄遊技開始処理を経てステップＳ５３４へ移行し、コマンド格納部９１から変動開始コマンドを消去する。
【０１２５】
演出制御回路６１のＣＰＵはステップＳ５３５へ移行すると、遊技中フラグがオン状態に設定されているか否かを判断する。ここで遊技中フラグがオン状態に設定されていると判断した場合にはステップＳ５３６でタイマ格納部９３のタイマＳＴ１の値にＲＯＭに予め記録された一定値（１０ｍｓｅｃ）を加算し、ステップＳ５３７の装飾図柄遊技中処理へ移行する。このステップＳ５３７の装飾図柄遊技中処理を終えた場合にはステップＳ５３８でコマンド格納部９１に変動停止コマンドが記録されているか否かを判断し、コマンド格納部９１に変動停止コマンドが記録されていると判断した場合にはステップＳ５３９で遊技中フラグをオフ状態に設定し、ステップＳ５４０でコマンド格納部９１から変動停止コマンドを消去し、ステップＳ５４１の装飾図柄遊技停止処理へ移行する。
［９−２−１］装飾図柄遊技開始処理
図６４はステップＳ５３３の装飾図柄遊技開始処理であり、演出制御回路６１のＣＰＵはステップＳ５５１でタイマ格納部９３のタイマＳＴ１の値に初期値（０）を設定する。そして、ステップＳ５５２でコマンド格納部９１から図柄情報コマンドを検出し、ステップＳ５５３で図柄情報コマンドの検出結果が図柄情報コマンド１であるか否かを判断する。
【０１２６】
演出制御回路６１のＣＰＵはステップＳ５５３で図柄情報コマンドの検出結果が図柄情報コマンド１であると判断した場合にはステップＳ５５４の外れ図柄設定処理で左列の図柄要素と中列の図柄要素と右列の図柄要素のそれぞれを設定する。これら左列の図柄要素〜右列の図柄要素のそれぞれは外れの組合せとなるように設定されるものであり、ＣＰＵはステップＳ５５４で左列の図柄要素〜右列の図柄要素のそれぞれを設定した場合にはステップＳ５５６で左列の図柄要素〜右列の図柄要素のそれぞれの設定結果を確定図柄格納部９５に記録する。
【０１２７】
演出制御回路６１のＣＰＵはステップＳ５５３で図柄情報コマンドの検出結果が図柄情報コマンド２または図柄情報コマンド３であると判断した場合にはステップＳ５５５の大当り図柄設定処理で左列の図柄要素と中列の図柄要素と右列の図柄要素のそれぞれを設定する。これら左列の図柄要素〜右列の図柄要素のそれぞれは大当りの組合せとなるように設定されるものであり、ＣＰＵはステップＳ５５５で左列の図柄要素〜右列の図柄要素のそれぞれを設定した場合にはステップＳ５５６で左列の図柄要素〜右列の図柄要素のそれぞれの設定結果を確定図柄格納部９５に記録する。
【０１２８】
図６５はステップＳ５５４の外れ図柄設定処理であり、演出制御回路６１のＣＰＵはステップＳ５６１でＲＯＭから図１８の（ａ）の図柄テーブル１を検出し、ステップＳ５６２でＲＯＭから図１８の（ｂ）の図柄テーブル２を検出し、ステップＳ５６３でＲＯＭから図１８の（ｃ）の図柄テーブル３を検出する。そして、ステップＳ５６４でカウンタ格納部９４からカウンタＳＲ１の値の更新結果を検出し、ステップＳ５６５で図柄テーブル１から左列の図柄要素としてカウンタＳＲ１の値の検出結果に応じた１つの図柄要素を選択する。
【０１２９】
演出制御回路６１のＣＰＵはステップＳ５６５で左列の図柄要素を選択すると、ステップＳ５６６でカウンタ格納部９４からカウンタＳＲ２の値の更新結果を検出し、ステップＳ５６７で図柄テーブル２から中列の図柄要素としてカウンタＳＲ２の値の検出結果に応じた１つの図柄要素を選択する。そして、ステップＳ５６８でカウンタ格納部９４からカウンタＳＲ３の値の更新結果を検出し、ステップＳ５６９で図柄テーブル３から右列の図柄要素としてカウンタＳＲ３の値の検出結果に応じた１つの図柄要素を選択し、ステップＳ５７０で左列の図柄要素の選択結果と中列の図柄要素の選択結果と右列の図柄要素の選択結果が相互に同一であるか否かを判断する。ここで左列の図柄要素の選択結果〜右列の図柄要素の選択結果が相互に同一でないと判断した場合にはステップＳ５７２で左列の図柄要素〜右列の図柄要素のそれぞれを選択結果に設定し、確定図柄格納部９５に左列の図柄要素〜右列の図柄要素のそれぞれの設定結果を記録する。例えば左列の図柄要素の選択結果が（５）で中列の図柄要素の選択結果が（６）で右列の図柄要素の選択結果が（４）である場合には装飾図柄が外れの組合せ（５６４）に設定される。
【０１３０】
演出制御回路６１のＣＰＵはステップＳ５７０で左列の図柄要素の選択結果〜右列の図柄要素の選択結果が相互に同一であると判断すると、ステップＳ５７１で中列の図柄要素の選択結果を次の図柄要素に変更する。そして、ステップ５７２で左列の図柄要素〜右列の図柄要素のそれぞれを選択結果に設定し、確定図柄格納部９５に左列の図柄要素〜右列の図柄要素のそれぞれの設定結果を記録する。例えば左列の図柄要素の選択結果〜右列の図柄要素の選択結果のそれぞれが（８）である場合には中列の図柄要素の選択結果が（８）の次の（１）に変更され、装飾図柄が外れの組合せ（８１８）に設定される。
【０１３１】
図６６はステップＳ５５５の大当り図柄設定処理であり、演出制御回路６１のＣＰＵはステップＳ５８１でカウンタ格納部９４からカウンタＳＲ１の値の更新結果を検出し、ステップＳ５８２でＲＯＭから図１８の（ａ）の図柄テーブル１を検出する。そして、ステップＳ５８３で図柄テーブル１からカウンタＳＲ１の値の検出結果に応じた１つの図柄要素を選択し、ステップＳ５８４で左列の図柄要素と中列の図柄要素と右列の図柄要素のそれぞれを共通の図柄要素の選択結果に設定し、確定図柄格納部９５に左列の図柄要素と中列の図柄要素と右列の図柄要素のそれぞれの設定結果を記録する。
［９−２−２］装飾図柄遊技中処理
図６７はステップＳ５３７の装飾図柄遊技中処理であり、演出制御回路６１のＣＰＵはステップＳ５９１でタイマ格納部９３のタイマＳＴ１の値の加算結果をＲＯＭに予め記録された全図変動開始時間と比較する。ここでタイマＳＴ１の値の加算結果が全図変動開始時間であると判断した場合にはステップＳ５９２へ移行し、表示制御回路６２に全図変動開始コマンドを送信する。この表示制御回路６２は全図変動開始コマンドを受信した場合にはＶＲＯＭから全図柄変動開始コマンドに応じた画像データを検出し、図６８の（ａ）に示すように、装飾図柄表示器４９の左変動領域Ｌ内と中変動領域Ｃ内と右変動領域Ｒ内のそれぞれに画像データの検出結果に応じて図柄要素を変動状態で表示開始する。
【０１３２】
演出制御回路６１のＣＰＵはステップＳ５９３でタイマＳＴ１の値の加算結果をＲＯＭに予め記録された左列の変動停止時間（＞全図変動開始時間）と比較する。ここでタイマＳＴ１の値の加算結果が左列の変動停止時間であると判断した場合にはステップＳ５９４で確定図柄格納部９５から左列の図柄要素の設定結果を検出し、ステップＳ５９５で表示制御回路６２に左列の図柄要素の検出結果を送信し、ステップＳ５９６で表示制御回路６２に左列の変動停止コマンドを送信する。この表示制御回路６２は左列の図柄要素の検出結果および左列の変動停止コマンドを受信した場合には左列の図柄要素の変動表示を受信結果で停止し、図６８の（ｂ）に示すように、左変動領域Ｌ内に左列の図柄要素の受信結果を変動停止状態で表示する。
【０１３３】
演出制御回路６１のＣＰＵはステップＳ５９７でタイマＳＴ１の値の加算結果をＲＯＭに予め記録された右列の変動停止時間（＞左列の変動停止時間）と比較する。ここでタイマＳＴ１の値の加算結果が右列の変動停止時間であると判断した場合にはステップＳ５９８で確定図柄格納部９５から右列の図柄要素の設定結果を検出し、ステップＳ５９９で表示制御回路６２に右列の図柄要素の検出結果を送信し、ステップＳ６００で表示制御回路６２に右列の変動停止コマンドを送信する。この表示制御回路６２は右列の図柄要素の検出結果および右列の変動停止コマンドを受信した場合には右列の図柄要素の変動表示を受信結果で停止し、図６８の（ｃ）に示すように、右変動領域Ｒ内に右列の図柄要素の受信結果を変動停止状態で表示する。
【０１３４】
演出制御回路６１のＣＰＵはステップＳ６０１でタイマＳＴ１の値の加算結果をＲＯＭに予め記録された中列の変動停止時間（＞右列の変動停止時間）と比較する。ここでタイマＳＴ１の値の加算結果が中列の変動停止時間であると判断した場合にはステップＳ６０２で確定図柄格納部９５から中列の図柄要素の設定結果を検出し、ステップＳ６０３で表示制御回路６２に中列の図柄要素の検出結果を送信し、ステップＳ６０４で表示制御回路６２に中列の変動停止コマンドを送信する。この表示制御回路６２は中列の図柄要素の検出結果および中列の変動停止コマンドを受信した場合には中列の図柄要素の変動表示を受信結果で停止し、図６８の（ｄ）に示すように、中変動領域Ｃ内に中列の図柄要素の受信結果を変動停止状態で表示する。
［９−２−３］装飾図柄遊技停止処理
図６９はステップＳ５４１の装飾図柄遊技停止処理であり、演出制御回路６１のＣＰＵはステップＳ６１１で確定図柄格納部９５から左列の図柄要素と中列の図柄要素と右列の図柄要素のそれぞれの設定結果を消去し、ステップＳ６０２でコマンド格納部９１から図柄情報コマンドを消去する。
［１０］大当り遊技演出処理
図７０はステップＳ５２３の大当り遊技演出処理であり、演出制御回路６１のＣＰＵはステップＳ６２１でコマンド格納部９１に大当り遊技開始コマンドが記録されているか否かを判断する。ここでコマンド格納部９１に大当り遊技開始コマンドが記録されていると判断した場合にはステップＳ６２２でコマンド格納部９１から大当り遊技開始コマンドを消去し、ステップＳ６２３で表示制御回路６２に再生開始コマンドを送信する。
【０１３５】
演出制御回路６１のＣＰＵはステップＳ６２１でコマンド格納部９１に大当り遊技開始コマンドが記録されていないと判断すると、ステップＳ６２４でコマンド格納部９１に大当り遊技停止コマンドが記録されているか否かを判断する。ここでコマンド格納部９１に大当り遊技停止コマンドが記録されていると判断した場合にはステップＳ６２５でコマンド格納部９１から大当り遊技停止コマンドを消去し、ステップＳ６２６で表示制御回路６２に再生停止コマンドを送信する。
【０１３６】
表示制御回路６２は再生開始コマンドを受信した場合にはＶＲＯＭから再生開始コマンドに応じた大当り遊技演出用のビデオデータを検出する。この大当り遊技演出用のビデオデータは表示制御回路６２のＶＲＯＭに予め記録されたものであり、表示制御回路６２は大当り遊技演出用のビデオデータを検出した場合には大当り遊技演出用のビデオデータを再生開始することで装飾図柄表示器４９に大当り遊技演出の映像を表示開始する。この大当り遊技演出の映像は大当り遊技を視覚的に演出するものであり、表示制御回路６２は再生停止コマンドを受信した場合には大当り遊技演出用のビデオデータの再生処理を終えることで大当り遊技演出の映像を停止する。
［１１］異常判定機能の説明
［１１−１］主電源の投入について
パチンコホールの従業員が主電源を投入する場合にはリモートコントローラ１１３のレンズ１１５を窓１１０に接触させ、リモートコントローラ１１３の操作スイッチ１１４を操作する。そして、前枠ロック機構９を鍵でロック状態からアンロック状態に切換え、前枠ロック機構９のアンロック状態で前枠６を閉鎖状態から開放状態に操作する。この前枠６の開放状態で内枠ロック機構の操作子に操作力を加え、内枠ロック機構をロック状態からアンロック状態に切換える。この内枠ロック機構のアンロック状態で内枠２を閉鎖状態から開放状態に操作し、主電源スイッチ６８の操作子をオフ位置からオン位置に操作することで主電源を投入する。この主電源を投入した場合には内枠２を開放状態から閉鎖状態に戻し、前枠６を開放状態から閉鎖状態に戻し、前枠ロック機構９を鍵でアンロック状態からロック状態に戻す。次にリモートコントローラ１１３のレンズ１１５を窓１１０に再び接触させ、リモートコントローラ１１３の操作スイッチ１１４を再び操作する。
【０１３７】
リモートコントローラ１１３の操作スイッチ１１４が最初に操作された場合には受光回路１１２が光を検出することでセンサ制御回路７７に受光信号を出力し、センサ制御回路７７が受光信号を検出することで処理停止フラグをオン状態に設定する。このリモートコントローラ１１３の操作スイッチ１１４が再び操作された場合には受光回路１１２が光を検出することでセンサ制御回路７７に受光信号を再び出力し、センサ制御回路７７が受光信号を再び検出することで処理停止フラグをオフ状態に設定するので、主電源を投入する一連の作業が処理停止フラグのオン状態で行われる。従って、主電源を投入する一連の作業中に図５６の異常判定処理が実行されないので、Ｘ軸ＭＩセンサ７０〜Ｚ軸ＭＩセンサ７２のそれぞれからの電圧信号に基づいて異常ありと判定されない。この一連の作業は前枠ロック機構９を鍵でロック状態からアンロック状態に切換える作業と前枠６を閉鎖状態から開放状態に操作する作業と内枠ロック機構の操作子に操作力を加える作業と内枠２を閉鎖状態から開放状態に操作する作業と主電源スイッチ６８の操作子をオフ位置からオン位置に操作する作業と内枠２を開放状態から閉鎖状態に戻す作業と前枠６を開放状態から閉鎖状態に戻す作業と前枠ロック機構９を鍵でアンロック状態からロック状態に戻す作業である。
［１１−２］主電源の投入直後について
メイン制御回路５１は主電源の投入状態で内枠２および前枠６のそれぞれが閉鎖状態された場合に発射ソレノイド２１と特別図柄始動口ソレノイド３６と特別入賞口ソレノイド４１とステッピングモータ４４のそれぞれのオフ状態でセンサ制御回路７７に電圧検出コマンド０を送信する。このセンサ制御回路７７は電圧検出コマンド０を受信することでＸ軸ＭＩセンサ７０とＹ軸ＭＩセンサ７１とＺ軸ＭＩセンサ７２のそれぞれからの電圧信号を検出し、発射ソレノイド２１〜ステッピングモータ４４のそれぞれのオフ状態での基準値Ｘ０にＸ軸ＭＩセンサ７０からの電圧信号を設定し、基準値Ｙ０にＹ軸ＭＩセンサ７１からの電圧信号を設定し、基準値Ｚ０にＺ軸ＭＩセンサ７２からの電圧信号を設定する。
【０１３８】
メイン制御回路５１はセンサ制御回路７７に電圧検出コマンド０を送信した場合に電圧検出コマンド１〜１５のそれぞれを順に送信する。電圧検出コマンド１〜４のそれぞれは発射ソレノイド２１〜ステッピングモータ４４のうちの１つのオン状態で送信されるものであり、電圧検出コマンド５〜１０のそれぞれは発射ソレノイド２１〜ステッピングモータ４４のうちの２つのオン状態で送信されるものであり、電圧検出コマンド１１〜１４のそれぞれは発射ソレノイド２１〜ステッピングモータ４４のうちの３つのオン状態で送信されるものであり、電圧検出コマンド１５は発射ソレノイド２１〜ステッピングモータ４４の全てのオン状態で送信されるものであり、センサ制御回路７７は電圧検出コマンド１〜１５のそれぞれを受信した場合にはＸ軸ＭＩセンサ７０とＹ軸ＭＩセンサ７１とＺ軸ＭＩセンサ７２のそれぞれからの電圧信号を検出し、基準値Ｘ１〜Ｘ１５のうち電圧検出コマンドの受信結果に応じた１つにＸ軸ＭＩセンサ７０からの電圧信号を設定し、基準値Ｙ１〜Ｙ１５のうち電圧検出コマンドの受信結果に応じた１つにＹ軸ＭＩセンサ７１からの電圧信号を設定し、基準値Ｚ１〜Ｚ１５のうち電圧検出コマンドの受信結果に応じた１つにＺ軸ＭＩセンサ７２からの電圧信号を設定する。これら基準値Ｘ０〜Ｘ１５とＹ０〜Ｙ１５とＺ０〜Ｚ１５のそれぞれは内枠２が閉鎖状態に操作されたＸ軸ＭＩセンサ７０とＹ軸ＭＩセンサ７１とＺ軸ＭＩセンサ７２のそれぞれの正規の姿勢で設定されるものであり、基準値Ｘ０〜Ｘ１５とＹ０〜Ｙ１５とＺ０〜Ｚ１５のそれぞれが正確に設定される。
［１１−３］主電源の投入状態について
メイン制御回路５１は電圧検出コマンド０〜電圧検出コマンド１５の全てを送信した場合には一定時間が経過する毎にセンサ制御回路７７にカウンタデータＭＮ３の値を送信する。このカウンタデータＭＮ３は発射ソレノイド２１〜ステッピングモータ４４のそれぞれの運転状態に相当するものであり、センサ制御回路７７は最新の１つのカウンタデータＭＮ３の値をＲＡＭに記録する。
【０１３９】
センサ制御回路７７は一定時間が経過する毎にＸ軸ＭＩセンサ７０〜Ｚ軸ＭＩセンサ７２のそれぞれからの電圧信号を検出し、電圧値ＸｖにＸ軸ＭＩセンサ７０からの電圧信号の検出結果を設定し、電圧値ＹｖにＹ軸ＭＩセンサ７１からの電圧信号の検出結果を設定し、電圧値ＺｖにＺ軸ＭＩセンサ７２からの電圧信号の検出結果を設定する。このセンサ制御回路７７は電圧値Ｘｖ〜電圧値Ｚｖのそれぞれを設定した場合に現在のカウンタデータＭＮ３の値を検出し、基準値Ｘ０〜Ｘ１５と基準値Ｙ０〜Ｙ１５と基準値Ｚ０〜Ｚ１５のそれぞれのグループのうちからカウンタデータＭＮ３の値の検出結果に応じた１つを選択する。そして、基準値Ｘ０〜Ｘ１５のうちの１つの選択結果に応じて電圧値Ｘｖ用の許容範囲を設定し、基準値Ｙ０〜Ｙ１５のうちの１つの選択結果に応じて電圧値Ｙｖ用の許容範囲を設定し、基準値Ｚ０〜Ｚ１５のうちの１つの選択結果に応じて電圧値Ｚｖ用の許容範囲を設定し、電圧値Ｘｖの設定結果を許容範囲の設定結果と比較することで異常の有無を判定し、電圧値Ｙｖの設定結果を許容範囲の設定結果と比較することで異常の有無を判定し、電圧値Ｚｖの設定結果を許容範囲の設定結果と比較することで異常の有無を判定する。このため、遊技盤２３の前面に前方から前枠６の窓８を介して永久磁石または電磁石を近付けることで遊技球を吸引する不正行為が行われた場合には電圧値Ｘｖの設定結果が許容範囲の設定結果から逸脱または電圧値Ｙｖの設定結果が許容範囲の設定結果から逸脱または電圧値Ｚｖの設定結果が許容範囲の設定結果から逸脱し、ブザー１２２が鳴動し、装飾図柄表示器４９に異常報知映像が表示され、両スピーカ１１のそれぞれから異常音が出力され、複数の電飾ＬＥＤ１３のそれぞれが発光する。従って、不正行為が行われた場合に発射ソレノイド２１〜ステッピングモータ４４のそれぞれからの磁気に影響されることなく不正行為を検出できる。しかも、遊技球が普通図柄始動口センサ３２の検出領域内に進入した場合の磁気変化と特別図柄始動口センサ３３の検出領域内に進入した場合の磁気変化と特別入賞口センサ３８の検出領域内に進入した場合の磁気変化のそれぞれを含んで電圧値Ｘｖ用の許容範囲と電圧値Ｙｖ用の許容範囲と電圧値Ｚｖ用の許容範囲のそれぞれが設定されるので、不正行為が行われた場合に特別図柄始動口センサ３３〜特別入賞口センサ３８のそれぞれの磁気変化にも影響されることなく不正行為を検出できる。
［１１−４］主電源の遮断直前について
パチンコホールの従業員が主電源を遮断する直前には遊技者が遊技を行っておらず、メイン制御回路５１がセンサ制御回路７７にカウンタデータＭＮ３として発射ソレノイド２１〜ステッピングモータ４４のそれぞれがオフ状態にされている場合の値（０）を送信し、センサ制御回路７７がカウンタデータＭＮ３として（０）を記録する。
［１１−５］主電源の遮断について
パチンコホールの従業員が主電源を遮断する場合にはリモートコントローラ１１３のレンズ１１５を窓１１０に接触させ、リモートコントローラ１１３の操作スイッチ１１４を操作する。そして、主電源を投入する場合と同一の手順で内枠２および前枠６のそれぞれを閉鎖状態から開放状態に操作し、主電源スイッチ６８の操作子を内枠２の開放状態でオン位置からオフ位置に操作し、内枠２および前枠６のそれぞれを閉鎖状態に戻す。次にリモートコントローラ１１３のレンズ１１５を窓１１０に再び接触させ、リモートコントローラ１１３の操作スイッチ１１４を再び操作する。
【０１４０】
リモートコントローラ１１３の操作スイッチ１１４が最初に操作された場合にはセンサ制御回路７７が受光回路１１２からの受光信号を検出することで処理停止フラグをオン状態に設定し、リモートコントローラ１１３の操作スイッチ１１４が再び操作された場合にはセンサ制御回路７７が受光回路１１２からの受光信号を再び検出することで処理停止フラグをオフ状態に設定するので、主電源を遮断する一連の作業が処理停止フラグのオン状態で行われる。従って、主電源を遮断する一連の作業中に図５６の異常判定処理が実行されないので、Ｘ軸ＭＩセンサ７０〜Ｚ軸ＭＩセンサ７２のそれぞれからの電圧信号に基づいて異常ありと判定されない。
［１１−６］主電源の遮断状態について
センサ制御回路７７は一定時間が経過する毎にＸ軸ＭＩセンサ７０〜Ｚ軸ＭＩセンサ７２のそれぞれからの電圧信号を検出し、電圧値ＸｖにＸ軸ＭＩセンサ７０からの電圧信号の検出結果を設定し、電圧値ＹｖにＹ軸ＭＩセンサ７１からの電圧信号の検出結果を設定し、電圧値ＺｖにＺ軸ＭＩセンサ７２からの電圧信号の検出結果を設定する。このセンサ制御回路７７は電圧値Ｘｖ〜電圧値Ｚｖのそれぞれを設定した場合に現在のカウンタデータＭＮ３の値として（０）を検出し、カウンタデータＭＮ３の値（０）に応じて基準値Ｘ０と基準値Ｙ０と基準値Ｚ０のそれぞれを選択する。そして、基準値Ｘ０に応じて許容範囲（Ｘ０−α〜Ｘ０＋α）を設定し、基準値Ｙ０に応じて許容範囲（Ｙ０−β〜Ｙ０＋β）を設定し、基準値Ｚ０に応じて許容範囲（Ｚ０−γ〜Ｚ０＋γ）を設定し、電圧値Ｘｖの設定結果を許容範囲（Ｘ０−α〜Ｘ０＋α）と比較することで異常の有無を判定し、電圧値Ｙｖの設定結果を許容範囲（Ｙ０−β〜Ｙ０＋β）と比較することで異常の有無を判定し、電圧値Ｚｖの設定結果を許容範囲（Ｚ０−γ〜Ｚ０＋γ）と比較することで異常の有無を判定する。このため、メイン制御回路５１のＲＯＭを不正に改竄しようとして内枠２が開放状態に操作された場合および内枠２の閉鎖状態でメイン基板ボックス５０が取外された場合のそれぞれには電圧値Ｘｖの設定結果が許容範囲（Ｘ０−α〜Ｘ０＋α）から逸脱または電圧値Ｙｖの設定結果が許容範囲（Ｙ０−β〜Ｙ０＋β）から逸脱または電圧値Ｚｖの設定結果が許容範囲（Ｚ０−γ〜Ｚ０＋γ）から逸脱し、ブザー１２２が鳴動する。従って、主電源の遮断状態で不正行為が行われた場合に主電源の投入状態と同一の電気部品で不正行為を検出できる。しかも、電圧値Ｘｖの設定結果が許容範囲（Ｘ０−α〜Ｘ０＋α）から逸脱または電圧値Ｙｖの設定結果が許容範囲（Ｙ０−β〜Ｙ０＋β）から逸脱または電圧値Ｚｖの設定結果が許容範囲（Ｚ０−γ〜Ｚ０＋γ）から逸脱した場合にはセンサ制御回路７７のＲＡＭに不正データとしてタイマＴの値が記録されるので、メイン制御回路５１のＲＯＭが不正に改竄された後に元の状態に戻された場合であってもセンサ制御回路７７のＲＡＭのデータを外部機器に読み出すことで不正行為が行われたことを検出できる。
【実施例２】
【０１４１】
図７１はセンサ制御回路７７のＲＯＭに予め記録された補正データテーブルである。この補正データテーブルは補正データΔＸ０〜ΔＸ１５と補正データΔＹ０〜ΔＹ１５と補正データΔＺ０〜ΔＺ１５のそれぞれにカウンタデータの値を割付けたものであり、補正データΔＸ０〜ΔＺ１５のそれぞれは次の通りである。
【０１４２】
補正データΔＸ０とΔＹ０とΔＺ０のそれぞれは（０）に設定されたものである。補正データΔＸ１は発射ソレノイド２１と特別図柄始動口センサ３６と特別入賞口ソレノイド４１とステッピングモータ４４の４つのそれぞれがオフ状態にある基準状態でＸ軸ＭＩセンサ７０から出力される電圧信号および発射ソレノイド２１の１つがオン状態にある第１の状態でＸ軸ＭＩセンサ７０から出力される電圧信号相互間の差分に相当し、補正データΔＹ１は基準状態でＹ軸ＭＩセンサ７１から出力される電圧信号および第１の状態でＹ軸ＭＩセンサ７１から出力される電圧信号相互間の差分に相当し、補正データΔＺ１は基準状態でＺ軸ＭＩセンサ７２から出力される電圧信号および第１の状態でＺ軸ＭＩセンサ７２から出力される電圧信号相互間の差分に相当する。
【０１４３】
補正データΔＸ２は基準状態でＸ軸ＭＩセンサ７０から出力される電圧信号および特別図柄始動口ソレノイド３６の１つがオン状態にある第２の状態でＸ軸ＭＩセンサ７０から出力される電圧信号相互間の差分に相当し、補正データΔＹ２は基準状態でＹ軸ＭＩセンサ７１から出力される電圧信号および第２の状態でＹ軸ＭＩセンサ７１から出力される電圧信号相互間の差分に相当し、補正データΔＺ２は基準状態でＺ軸ＭＩセンサ７２から出力される電圧信号および第２の状態でＺ軸ＭＩセンサ７２から出力される電圧信号相互間の差分に相当する。補正データΔＸ３は基準状態でＸ軸ＭＩセンサ７０から出力される電圧信号および特別入賞口ソレノイド４１の１つがオン状態にある第３の状態でＸ軸ＭＩセンサ７０から出力される電圧信号相互間の差分に相当し、補正データΔＹ３は基準状態でＹ軸ＭＩセンサ７１から出力される電圧信号および第３の状態でＹ軸ＭＩセンサ７１から出力される電圧信号相互間の差分に相当し、補正データΔＺ３は基準状態でＺ軸ＭＩセンサ７２から出力される電圧信号および第３の状態でＺ軸ＭＩセンサ７２から出力される電圧信号相互間の差分に相当する。
【０１４４】
補正データΔＸ４は基準状態でＸ軸ＭＩセンサ７０から出力される電圧信号およびステッピングモータ４４の１つがオン状態にある第４の状態でＸ軸ＭＩセンサ７０から出力される電圧信号相互間の差分に相当し、補正データΔＹ４は基準状態でＹ軸ＭＩセンサ７１から出力される電圧信号および第４の状態でＹ軸ＭＩセンサ７１から出力される電圧信号相互間の差分に相当し、補正データΔＺ４は基準状態でＺ軸ＭＩセンサ７２から出力される電圧信号および第４の状態でＺ軸ＭＩセンサ７２から出力される電圧信号相互間の差分に相当する。補正データΔＸ５は基準状態でＸ軸ＭＩセンサ７０から出力される電圧信号および発射ソレノイド２１・特別図柄始動口ソレノイド３６の２つがオン状態にある第５の状態でＸ軸ＭＩセンサ７０から出力される電圧信号相互間の差分に相当し、補正データΔＹ５は基準状態でＹ軸ＭＩセンサ７１から出力される電圧信号および第５の状態でＹ軸ＭＩセンサ７１から出力される電圧信号相互間の差分に相当し、補正データΔＺ５は基準状態でＺ軸ＭＩセンサ７２から出力される電圧信号および第５の状態でＺ軸ＭＩセンサ７２から出力される電圧信号相互間の差分に相当する。
【０１４５】
補正データΔＸ６は基準状態でＸ軸ＭＩセンサ７０から出力される電圧信号および発射ソレノイド２１・特別入賞口ソレノイド４１の２つがオン状態にある第６の状態でＸ軸ＭＩセンサ７０から出力される電圧信号相互間の差分に相当し、補正データΔＹ６は基準状態でＹ軸ＭＩセンサ７１から出力される電圧信号および第６の状態でＹ軸ＭＩセンサ７１から出力される電圧信号相互間の差分に相当し、補正データΔＺ６は基準状態でＺ軸ＭＩセンサ７２から出力される電圧信号および第６の状態でＺ軸ＭＩセンサ７２から出力される電圧信号相互間の差分に相当する。補正データΔＸ７は基準状態でＸ軸ＭＩセンサ７０から出力される電圧信号および発射ソレノイド２１・ステッピングモータ４４の２つがオン状態にある第７の状態でＸ軸ＭＩセンサ７０から出力される電圧信号相互間の差分に相当し、補正データΔＹ７は基準状態でＹ軸ＭＩセンサ７１から出力される電圧信号および第７の状態でＹ軸ＭＩセンサ７１から出力される電圧信号相互間の差分に相当し、補正データΔＺ７は基準状態でＺ軸ＭＩセンサ７２から出力される電圧信号および第７の状態でＺ軸ＭＩセンサ７２から出力される電圧信号相互間の差分に相当する。
【０１４６】
補正データΔＸ８は基準状態でＸ軸ＭＩセンサ７０から出力される電圧信号および特別図柄始動口ソレノイド３６・特別入賞口ソレノイド４１の２つがオン状態にある第８の状態でＸ軸ＭＩセンサ７０から出力される電圧信号相互間の差分に相当し、補正データΔＹ８は基準状態でＹ軸ＭＩセンサ７１から出力される電圧信号および第８の状態でＹ軸ＭＩセンサ７１から出力される電圧信号相互間の差分に相当し、補正データΔＺ８は基準状態でＺ軸ＭＩセンサ７２から出力される電圧信号および第８の状態でＺ軸ＭＩセンサ７２から出力される電圧信号相互間の差分に相当する。補正データΔＸ９は基準状態でＸ軸ＭＩセンサ７０から出力される電圧信号および特別図柄始動口ソレノイド３６・ステッピングモータ４４の２つがオン状態にある第９の状態でＸ軸ＭＩセンサ７０から出力される電圧信号相互間の差分に相当し、補正データΔＹ９は基準状態でＹ軸ＭＩセンサ７１から出力される電圧信号および第９の状態でＹ軸ＭＩセンサ７１から出力される電圧信号相互間の差分に相当し、補正データΔＺ９は基準状態でＺ軸ＭＩセンサ７２から出力される電圧信号および第９の状態でＺ軸ＭＩセンサ７２から出力される電圧信号相互間の差分に相当する。
【０１４７】
補正データΔＸ１０は基準状態でＸ軸ＭＩセンサ７０から出力される電圧信号および特別入賞口ソレノイド４１・ステッピングモータ４４の２つがオン状態にある第１０の状態でＸ軸ＭＩセンサ７０から出力される電圧信号相互間の差分に相当し、補正データΔＹ１０は基準状態でＹ軸ＭＩセンサ７１から出力される電圧信号および第１０の状態でＹ軸ＭＩセンサ７１から出力される電圧信号相互間の差分に相当し、補正データΔＺ１０は基準状態でＺ軸ＭＩセンサ７２から出力される電圧信号および第１０の状態でＺ軸ＭＩセンサ７２から出力される電圧信号相互間の差分に相当する。補正データΔＸ１１は基準状態でＸ軸ＭＩセンサ７０から出力される電圧信号および発射ソレノイド２１・特別図柄始動口ソレノイド３６・特別入賞口ソレノイド４１の３つがオン状態にある第１１の状態でＸ軸ＭＩセンサ７０から出力される電圧信号相互間の差分に相当し、補正データΔＹ１１は基準状態でＹ軸ＭＩセンサ７１から出力される電圧信号および第１１の状態でＹ軸ＭＩセンサ７１から出力される電圧信号相互間の差分に相当し、補正データΔＺ１１は基準状態でＺ軸ＭＩセンサ７２から出力される電圧信号および第１１の状態でＺ軸ＭＩセンサ７２から出力される電圧信号相互間の差分に相当する。
【０１４８】
補正データΔＸ１２は基準状態でＸ軸ＭＩセンサ７０から出力される電圧信号および発射ソレノイド２１・特別図柄始動口ソレノイド３６・ステッピングモータ４４の３つがオン状態にある第１２の状態でＸ軸ＭＩセンサ７０から出力される電圧信号相互間の差分に相当し、補正データΔＹ１２は基準状態でＹ軸ＭＩセンサ７１から出力される電圧信号および第１２の状態でＹ軸ＭＩセンサ７１から出力される電圧信号相互間の差分に相当し、補正データΔＺ１２は基準状態でＺ軸ＭＩセンサ７２から出力される電圧信号および第１２の状態でＺ軸ＭＩセンサ７２から出力される電圧信号相互間の差分に相当する。補正データΔＸ１３は基準状態でＸ軸ＭＩセンサ７０から出力される電圧信号および発射ソレノイド２１・特別入賞口ソレノイド４１・ステッピングモータ４４の３つがオン状態にある第１３の状態でＸ軸ＭＩセンサ７０から出力される電圧信号相互間の差分に相当し、補正データΔＹ１３は基準状態でＹ軸ＭＩセンサ７１から出力される電圧信号および第１３の状態でＹ軸ＭＩセンサ７１から出力される電圧信号相互間の差分に相当し、補正データΔＺ１３は基準状態でＺ軸ＭＩセンサ７２から出力される電圧信号および第１３の状態でＺ軸ＭＩセンサ７２から出力される電圧信号相互間の差分に相当する。
【０１４９】
補正データΔＸ１４は基準状態でＸ軸ＭＩセンサ７０から出力される電圧信号および特別図柄始動口ソレノイド３６・特別入賞口ソレノイド４１・ステッピングモータ４４の３つがオン状態にある第１４の状態でＸ軸ＭＩセンサ７０から出力される電圧信号相互間の差分に相当し、補正データΔＹ１４は基準状態でＹ軸ＭＩセンサ７１から出力される電圧信号および第１４の状態でＹ軸ＭＩセンサ７１から出力される電圧信号相互間の差分に相当し、補正データΔＺ１４は基準状態でＺ軸ＭＩセンサ７２から出力される電圧信号および第１４の状態でＺ軸ＭＩセンサ７２から出力される電圧信号相互間の差分に相当する。補正データΔＸ１５は基準状態でＸ軸ＭＩセンサ７０から出力される電圧信号および発射ソレノイド２１・特別図柄始動口ソレノイド３６・特別入賞口ソレノイド４１・ステッピングモータ４４の４つがオン状態にある第１５の状態でＸ軸ＭＩセンサ７０から出力される電圧信号相互間の差分に相当し、補正データΔＹ１５は基準状態でＹ軸ＭＩセンサ７１から出力される電圧信号および第１５の状態でＹ軸ＭＩセンサ７１から出力される電圧信号相互間の差分に相当し、補正データΔＺ１５は基準状態でＺ軸ＭＩセンサ７２から出力される電圧信号および第１５の状態でＺ軸ＭＩセンサ７２から出力される電圧信号相互間の差分に相当する。
【０１５０】
図７２のテスト運転処理はメイン制御回路５１のＣＰＵが図２４のテスト運転処理に換えて実行するものであり、メイン制御回路５１のＣＰＵは内枠スイッチ１２３および前枠スイッチ１２４のそれぞれのオン状態でテスト処理０を実行することでセンサ制御回路７７に電圧検出コマンド０のみを送信し、テスト処理０を終えた場合にはステップＳ３９でテスト済フラグをオン状態に設定する。即ち、センサ制御回路７７のＣＰＵは図５４の外部割込み処理１で電圧検出コマンド０のみを受信し、Ｘ軸ＭＩセンサ７０からの電圧信号を発射ソレノイド２１と特別図柄始動口ソレノイド３６と特別入賞口ソレノイド４１とステッピングモータ４４のそれぞれのオフ状態での基準値Ｘ０に設定し、Ｙ軸ＭＩセンサ７１からの電圧信号を発射ソレノイド２１と特別図柄始動口ソレノイド３６と特別入賞口ソレノイド４１とステッピングモータ４４のそれぞれのオフ状態での基準値Ｙ０に設定し、Ｚ軸ＭＩセンサ７２からの電圧信号を発射ソレノイド２１と特別図柄始動口ソレノイド３６と特別入賞口ソレノイド４１とステッピングモータ４４のそれぞれのオフ状態での基準値Ｚ０に設定する。
【０１５１】
図７３の異常判定処理はセンサ制御回路７７のＣＰＵが図５８の異常判定処理に換えて実行するものであり、センサ制御回路７７のＣＰＵはステップＳ４５７でデータ格納部１０４からカウンタデータを検出した場合にはステップＳ４７１でＲＯＭから図７１の補正データテーブルを検出する。そして、ステップＳ４７２で補正データテーブルからカウンタデータの検出結果に応じた補正データ（ΔＸｎ，ΔＹｎ，ΔＺｎ）を選択し、ステップＳ４７３で基準値格納部１０２から基準値（Ｘ０，Ｙ０，Ｚ０）を検出する。
【０１５２】
センサ制御回路７７のＣＰＵはステップＳ４７３で基準値（Ｘ０，Ｙ０，Ｚ０）を検出すると、ステップＳ４７４で電圧値Ｘｖの設定結果が下限値および上限値の範囲内にあるか否かを判断する。下限値は基準値Ｘ０の検出結果に補正データΔＸｎの選択結果を加算し、基準値Ｘ０および補正データΔＸｎの加算結果から許容値αを減算することで算出されるものであり、上限値は基準値Ｘ０の検出結果に補正データΔＸｎの選択結果を加算し、基準値Ｘ０および補正データΔＸｎの加算結果に許容値αを加算することで算出されるものであり、センサ制御回路７７のＣＰＵはステップＳ４７４で電圧値Ｘｖの設定結果が下限値および上限値の範囲内にあると判断した場合にはステップＳ４７５へ移行する。
【０１５３】
センサ制御回路７７のＣＰＵはステップＳ４７５へ移行すると、電圧値Ｙｖの設定結果が下限値および上限値の範囲内にあるか否かを判断する。下限値は基準値Ｙ０の検出結果に補正データΔＹｎの選択結果を加算し、基準値Ｙ０および補正データΔＹｎの加算結果から許容値βを減算することで算出されるものであり、上限値は基準値Ｙ０の検出結果に補正データΔＹｎの選択結果を加算し、基準値Ｙ０および補正データΔＹｎの加算結果に許容値βを加算することで算出されるものであり、センサ制御回路７７のＣＰＵはステップＳ４７５で電圧値Ｙｖの設定結果が下限値および上限値の範囲内にあると判断した場合にはステップＳ４７６へ移行する。
【０１５４】
センサ制御回路７７のＣＰＵはステップＳ４７６へ移行すると、電圧値Ｚｖの設定結果が下限値および上限値の範囲内にあるか否かを判断する。下限値は基準値Ｚ０の検出結果に補正データΔＺｎの選択結果を加算し、基準値Ｚ０および補正データΔＺｎの加算結果から許容値γを減算することで算出されるものであり、上限値は基準値Ｚ０の検出結果に補正データΔＺｎの選択結果を加算し、基準値Ｚ０および補正データΔＺｎの加算結果に許容値γを加算することで算出されるものであり、センサ制御回路７７のＣＰＵはステップＳ４７６で電圧値Ｚｖの設定結果が下限値および上限値の範囲内にあると判断した場合にはステップＳ４６６で電圧値格納部１０２から電圧値Ｘｖの値と電圧値Ｙｖの値と電圧値Ｚｖの値のそれぞれを消去する。
【０１５５】
センサ制御回路７７のＣＰＵはステップＳ４７４で電圧値Ｘｖの設定結果が下限値および上限値の範囲内から逸脱またはステップＳ４７５で電圧値Ｙｖの設定結果が下限値および上限値の範囲内から逸脱またはステップＳ４７６で電圧値Ｚｖの設定結果が下限値および上限値の範囲内から逸脱していると判断すると、ステップＳ４６２でタイマＴの値の加算結果を検出し、ステップＳ４６３でタイマＴの値の検出結果を異常格納部１０６に異常データとして記録する。そして、ステップＳ４６４で演出制御回路６１に異常コマンドを送信し、ステップＳ４６５でブザー１２２をオンすることで異常を報知し、ステップＳ４６６で電圧値格納部１０２から電圧値Ｘｖの値と電圧値Ｙｖの値と電圧値Ｚｖの値のそれぞれを消去する。
【０１５６】
次の［発明１］は実施例１に記載されたものであり、［発明２］は実施例２に記載されたものである。［発明３］は実施例１および実施例２のそれぞれに記載されたものであり、［発明４］は実施例１および実施例２のそれぞれに記載されたものである。
［発明１］
遊技者側である前面に遊技球が転動可能な遊技領域を有する遊技盤と、
前記遊技盤に設けられ、遊技球が入球可能な入球口と、
前記遊技盤の前面に前方から隙間を介して対向するものであって、前記入球口を前方から覆う透明な窓と、
遊技部品を駆動するためのものであって、パチンコホールの電源設備が供給する主電源の有効状態でオフ状態およびオン状態相互間で電気的に制御される電磁石と、
前記遊技盤に前記窓を介して磁石を近付ける不正行為を検出するためのものであって、磁気の変化量に応じた大きさの信号を出力する磁気センサと、
前記主電源が無効状態から有効状態に切換えられた場合に前記電磁石のオフ状態での前記磁気センサからの出力信号をオフ基準値として検出し、前記電磁石のオン状態での前記磁気センサからの出力信号をオン基準値として検出する基準値検出手段と、
前記基準値検出手段のオフ基準値の検出結果およびオン基準値の検出結果のそれぞれが記録されるメモリと、
前記メモリにオフ基準値の検出結果およびオン基準値の検出結果のそれぞれが記録された場合に前記磁気センサからの出力信号を一定時間毎に検出する信号検出手段と、
前記電磁石がオフ状態およびオン状態のいずれにあるかを一定時間毎に検出するオンオフ検出手段と、
前記信号検出手段が前記磁気センサからの出力信号を検出する毎に当該出力信号の検出結果を閾値と比較することで前記遊技盤に前記窓を介して磁石を近付ける不正行為の有無を判定する不正判定手段を備え、
前記不正判定手段は、
前記信号検出手段が前記磁気センサからの出力信号を検出した時点での前記オンオフ検出手段の検出結果がオフ状態である場合には前記メモリのオフ基準値に応じて前記閾値を設定し、オン状態である場合には前記メモリのオン基準値に応じて前記閾値を設定することを特徴とするパチンコ遊技機。
［発明２］
遊技者側である前面に遊技球が転動可能な遊技領域を有する遊技盤と、
前記遊技盤に設けられ、遊技球が入球可能な入球口と、
前記遊技盤の前面に前方から隙間を介して対向するものであって、前記入球口を前方から覆う透明な窓と、
遊技部品を駆動するためのものであって、パチンコホールの電源設備が供給する主電源の有効状態でオフ状態およびオン状態相互間で電気的に制御される電磁石と、
前記遊技盤に前記窓を介して磁石を近付ける不正行為を検出するためのものであって、磁気の変化量に応じた大きさの信号を出力する磁気センサと、
前記主電源が無効状態から有効状態に切換えられた場合に前記電磁石のオフ状態での前記磁気センサからの出力信号を基準値として検出する基準値検出手段と、
前記基準値検出手段の基準値の検出結果が記録される基準値メモリと、
前記電磁石のオン状態での前記磁気センサからの出力信号および前記電磁石のオフ状態での前記磁気センサからの出力信号相互間の差分に相当する補正値が予め記録された補正値メモリと、
前記基準値メモリに基準値の検出結果が記録された場合に前記磁気センサからの出力信号を一定時間毎に検出する信号検出手段と、
前記電磁石がオフ状態およびオン状態のいずれにあるかを一定時間毎に検出するオンオフ検出手段と、
前記信号検出手段が前記磁気センサからの出力信号を検出する毎に当該出力信号の検出結果を閾値と比較することで前記遊技盤に前記窓を介して磁石を近付ける不正行為の有無を判定する不正判定手段を備え、
前記不正判定手段は、
前記信号検出手段が前記磁気センサからの出力信号を検出した時点での前記オンオフ検出手段の検出結果がオフ状態である場合には前記基準値メモリの基準値に応じて前記閾値を設定し、オン状態である場合には前記基準値メモリの基準値を前記補正値メモリの補正値に応じて補正することで前記閾値を設定することを特徴とするパチンコ遊技機。
［発明３］
オン状態およびオフ状態相互間で電気的な状態が変化するものであって、遊技球が前記入球口に入球することでオン状態になる球センサと、
前記球センサのオン状態での前記磁気センサからの出力信号および前記球センサのオフ状態での前記磁気センサからの出力信号相互間の差分に相当する許容値が予め記録された許容値メモリを備え、
前記不正判定手段は、
前記信号検出手段が前記磁気センサからの出力信号を検出した時点での前記オンオフ検出手段の検出結果がオフ状態である場合およびオン状態である場合のそれぞれで前記許容値メモリの許容値を使用して前記閾値を設定することを特徴とする発明１または発明２に記載のパチンコ遊技機。
［発明４］
パチンコホールの台島に設置される外枠と、
オフ位置およびオン位置相互間で変位可能な操作子を有するものであって、当該操作子のオン位置で前記主電源を有効状態にすると共に当該操作子のオフ位置で前記主電源を無効状態にする電源スイッチと、
前記外枠に設けられ、閉鎖状態および開放状態相互間で操作されるものであって前記遊技盤と前記窓と前記磁気センサと前記電源スイッチのそれぞれを保持する内枠と、
前記内枠が閉鎖状態にあるか否かに応じて電気的な状態が変化する内枠センサを備え、
前記電源スイッチの操作子は、
前記内枠の閉鎖状態で前方から操作不能であって、前記内枠の開放状態で前方から操作可能になるものであり、
前記基準値検出手段は、
前記電源スイッチの操作子がオフ位置からオン位置に操作されることで前記主電源が無効状態から有効状態に切換えられた場合に前記内枠センサの電気的な状態に応じて前記内枠が閉鎖状態にあるか否かを判断するものであって、前記内枠が閉鎖状態にあると判断した場合に前記オフ基準値および前記オン基準値のそれぞれを検出することを特徴とする発明１または発明２に記載のパチンコ遊技機。
【０１５７】
上記実施例１においては、メイン制御回路５１がテスト運転処理で発射ソレノイド２１用のソレノイド運転コマンドおよびステッピングモータ４４用のモータ運転コマンドのそれぞれを送信せず、センサ制御回路７７が異常の有無を判定するための基準値として発射ソレノイド２１からの磁気およびステッピングモータ４４からの磁気の双方が反映されていないものをＸ軸ＭＩセンサ７０からの電圧信号とＹ軸ＭＩセンサ７１からの電圧信号とＺ軸ＭＩセンサ７２からの電圧信号のそれぞれに応じて設定する構成としても良い。この構成の場合には許容値αと許容値βと許容値γのそれぞれとして発射ソレノイド２１からの磁気およびステッピングモータ４４からの磁気の双方を含むものをセンサ制御回路７７のＲＯＭに予め記録しておくと良い。
【０１５８】
上記実施例１においては、メイン制御回路５１がテスト運転処理でステッピングモータ４４用のモータ運転コマンドを送信してからモータ運転コマンドに応じた一定個数の遊技球がステッピングモータ４４から排出されるまでの期間内にはメイン制御回路５１または払出制御回路５７がダンパを外部排出状態に切換え、当該期間を除いてはダンパを通常排出状態にする構成としても良い。このダンパはモータまたは電磁ソレノイドを駆動源として外部排出状態および通常排出状態相互間で切換えられるものであり、ダンパの外部排出状態ではステッピングモータ４４から排出された遊技球の転動方向がバケツ等の外部容器に設定されることで遊技球が外部容器に排出され、ダンパの通常排出状態ではステッピングモータ４４から排出された遊技球の転動方向が上皿１４に設定されることで遊技球が上皿１４内に排出される。即ち、テスト運転処理ではステッピングモータ４４が回転しても遊技球が上皿１４内に払出されない構成にすると良い。
【０１５９】
上記実施例１においては、センサ制御回路７７のＲＯＭに補正データΔＸｎと補正データΔＹｎと補正データΔＺｎ（ｎ＝０〜１５）を予め記録しておく構成としても良い。これら補正データΔＸｎ〜ΔＺｎのそれぞれは発射ソレノイド２１と特別図柄始動口ソレノイド３６と特別入賞口ソレノイド４１とステッピングモータ４４の製品毎の組付け誤差および製品毎の電気的なばらつきに相当するものであり、補正データΔＸｎは発射ソレノイド２１〜ステッピングモータ４４のうち補正データΔＸｎに対応する１以上のものを試験的に運転した場合のＸ軸ＭＩセンサ７０からの電圧信号に応じて設定され、補正データΔＹｎは補正データΔＹｎに対応する１以上のものを試験的に運転した場合のＹ軸ＭＩセンサ７１からの電圧信号に応じて設定され、補正データΔＺｎは補正データΔＺｎに対応する１以上のものを試験的に運転した場合のＺ軸ＭＩセンサ７２からの電圧信号に応じて設定されている。この構成の場合にはセンサ制御回路７７のＣＰＵが図５８のステップＳ４５８でＲＯＭから基準値Ｘｎの値に応じた補正データΔＸｎの値と基準値Ｙｎの値に応じた補正データΔＹｎの値と基準値Ｚｎの値に応じた補正データΔＺｎの値のそれぞれを検出し、図５８のステップＳ４５９で基準値Ｘｎの値を補正データΔＸｎの値の検出結果に応じて補正して使用し、図５８のステップＳ４６０で基準値Ｙｎの値を補正データΔＹｎの値の検出結果に応じて補正して使用し、図５８のステップＳ４６１で基準値Ｚｎの値を補正データΔＺｎの値の検出結果に応じて補正して使用すると良い。
【０１６０】
上記実施例１においては、センサ制御回路７７のＣＰＵがＥＥＰＲＯＭ等の不揮発性のメモリに基準値Ｘ０〜Ｘ１５と基準値Ｙ０〜Ｙ１５と基準値Ｚ０〜Ｚ１５と異常データのそれぞれを記録する構成としても良い。
【０１６１】
上記実施例２においては、カウンタデータＭＮ３の値に補正データΔＸｎと補正データΔＹｎと補正データΔＺｎのそれぞれとして発射ソレノイド２１と特別図柄始動口ソレノイド３６と特別入賞口ソレノイド４１とステッピングモータ４４の製品毎の組付け誤差および製品毎の電気的なばらつきを含む値を使用しても良い。これら補正データΔＸｎ〜ΔＺｎは発射ソレノイド２１と特別図柄始動口ソレノイド３６と特別入賞口ソレノイド４１とステッピングモータ４４のそれぞれを試験的に運転することで実測された値である。
【０１６２】
上記実施例２においては、センサ制御回路７７のＣＰＵがＥＥＰＲＯＭ等の不揮発性のメモリに基準値Ｘ０と基準値Ｙ０と基準値Ｚ０と異常データのそれぞれを記録する構成としても良い。
【０１６３】
上記実施例１〜２のそれぞれにおいては、電源基板６６の後面にＬＥＤを搭載しても良い。この構成の場合にはセンサ制御回路７７のＣＰＵが次のプロセスでＬＥＤを制御すると良い。
１）タイマＴの値がＲＡＭに記録されているか否かを判断する。
２）タイマＴの値がＲＡＭに記録されていると判断した場合にタイマＴの値をＲＯＭに予め記録された下限値および上限値のそれぞれと比較する。下限値はパチンコホールの閉店時刻に相当するものであり、上限値はパチンコホールの開店時刻に相当するものであり、タイマＴの値が下限値および上限値の範囲内にある場合にはパチンコホールの閉店中に不正行為が行われたと判断してＬＥＤを点灯する。このＬＥＤは内枠２の開放状態で視覚的に認識可能となるものであり、パチンコホールの従業員が開店時に主電源を投入しようとして内枠２を開放状態に操作した場合にＬＥＤの点灯の有無を確認できる。
【０１６４】
上記実施例１〜２のそれぞれにおいては、メイン制御回路５１が図２４のステップＳ２２で前枠スイッチ１２４のオンを判断してから一定の待機時間が経過した後にステップＳ２３のテスト処理０へ移行する構成としても良い。この待機時間は内枠２および前枠６のそれぞれが開放状態から閉鎖状態に勢い良く操作された場合に内枠２および前枠６のそれぞれの振動が治まるまでに必要な時間であり、基準値Ｘ０〜Ｘ１５と基準値Ｙ０〜Ｙ１５と基準値Ｚ０〜Ｚ１５のそれぞれをＸ軸ＭＩセンサ７０〜Ｚ軸ＭＩセンサ７２の全ての完全な静止状態で設定できる。
【０１６５】
上記実施例１〜２のそれぞれにおいては、電源基板６６にリセットスイッチを搭載し、センサ制御回路７７がリセットスイッチの電気的な状態を検出する構成としても良い。このリセットスイッチは内枠２の開放状態で操作可能となる操作子を有するものであり、操作子が操作された場合に電気的なオン状態となり、操作子が操作されていない場合には電気的なオフ状態となる。この構成の場合にはセンサ制御回路７７がリセットスイッチのオンを検出することでＲＡＭからタイマＴの値を消去すると良い。
【０１６６】
上記実施例１〜２のそれぞれにおいては、予備電源７８としてコンデンサを用いても良い。
上記実施例１〜２のそれぞれにおいては、Ｘ軸ＭＩセンサ７０とＹ軸ＭＩセンサ７１とＺ軸ＭＩセンサ７２のそれぞれに換えてホール素子を利用した磁気センサを使用しても良い。
【０１６７】
上記実施例１〜２のそれぞれにおいては、Ｘ軸ＭＩセンサ７０とＹ軸ＭＩセンサ７１とＺ軸ＭＩセンサ７２のうちの１つまたは２つを廃止し、１つの磁気センサまたは２つの磁気センサで不正行為の有無を検出しても良い。
【０１６８】
上記実施例１〜２のそれぞれにおいては、センサ制御回路７７を廃止しても良い。この構成の場合にはメイン制御回路５１がセンサ制御回路７７の機能を分担すると良い。
上記実施例１〜２のそれぞれにおいては、Ｘ軸ＭＩセンサ７０とＹ軸ＭＩセンサ７１とＺ軸ＭＩセンサ７２とセンサ制御回路７７のそれぞれに専用電源から電源を供給する構成としても良い。この専用電源は電源基板６６に搭載されたものであり、主電源スイッチ６８の電気的な状態とは無関係に主電源の投入状態および遮断状態のそれぞれでＸ軸ＭＩセンサ７０〜センサ制御回路７７に電源を供給する。
【０１６９】
上記実施例１〜２のそれぞれにおいては、主電源回路６７が主電源スイッチ６８のオン状態で予備電源回路７８の電池に電源を供給することで予備電源回路７８の電池を充電する構成としても良い。
【０１７０】
上記実施例１〜２のそれぞれにおいては、電源設備６９をオン状態およびオフ状態相互間で操作可能に構成しても良い。この電源設備６９のオン状態は電源設備６９から主電源回路６７に主電源を供給する状態であり、電源設備６９のオフ状態は電源設備６９から主電源回路６７に主電源を供給しない状態であり、電源設備６９のオン状態ではインバータ回路７６とセンサ制御回路７７と受光回路１１２とブザー回路１２１のそれぞれに主電源回路６７から電源を供給し、電源設備６９のオフ状態ではインバータ回路７６〜ブザー回路１２１のそれぞれに予備電源回路７８から電源を供給する。この構成の場合には予備電源スイッチ７９に換えて電源リレーを予備給電路に介在し、センサ制御回路７７に電源リレーおよび停電検出回路を接続すると良い。電源リレーは電気的なオン状態で予備給電路を閉鎖すると共に電気的なオフ状態で予備給電路を開放するものである。停電検出回路は主電源回路６７が電源設備６９からの主電源に基づいて電源を生成していない状態で検出信号を出力せず、主電源回路６７が電源設備６９からの主電源に基づいて電源を生成している状態で検出信号を出力するものであり、センサ制御回路７７は停電検出回路からの検出信号の有無を判断し、停電検出回路が検出信号を出力開始したと判断した場合に電源リレーをオン状態からオフ状態に切換えることで予備給電路を開放し、停電検出回路が検出信号を出力停止したと判断した場合に電源リレーをオフ状態からオン状態に切換えることで予備給電路を閉鎖する。
【０１７１】
上記実施例１〜２のそれぞれにおいては、主電源スイッチ６８のオフ状態ではセンサ制御回路７７がＸ軸ＭＩセンサ７０からの電圧信号とＹ軸ＭＩセンサ７１からの電圧信号とＺ軸ＭＩセンサ７２からの電圧信号のそれぞれをＲＡＭに記録し、主電源スイッチ６８がオフ状態からオン状態に切換えられた主電源の投入時にＲＡＭの電圧信号の記録結果に応じて主電源スイッチ６８のオフ状態での異常の有無を判定する構成としても良い。この構成の場合にはセンサ制御回路７７が停電検出回路からの検出信号に応じて主電源スイッチ６８のオンオフを判断すると良い。
【符号の説明】
【０１７２】
８は窓、２３は遊技盤、２８は遊技領域、３１は特別図柄始動口（入球口）、３７は特別入賞口（入球口）、６９は電源設備、７０はＸ軸ＭＩセンサ（磁気センサ）、７１はＹ軸ＭＩセンサ（磁気センサ）、７２はＺ軸ＭＩセンサ（磁気センサ）、７７はセンサ制御回路（異常判定手段）である。
【要約】
【課題】主電源スイッチ６８のオフ状態での不正行為をＸ軸ＭＩセンサ７０で検出すること。
【解決手段】主電源スイッチ６８のオフ状態では予備電源回路７８からＸ軸ＭＩセンサ７０に駆動電源が供給され、センサ制御回路７７は主電源スイッチ６８のオフ状態でＸ軸ＭＩセンサ７０に外力が加えられることでＸ軸ＭＩセンサ７０の地磁気に対する相対的な姿勢が変動した場合にＸ軸ＭＩセンサ７０の検出結果を閾値と比較することで異常有りと判定する。
【選択図】図７【図１】
0005435170.tif 000002
【図２】
0005435170.tif 000003
【図３】
0005435170.tif 000004
【図４】
0005435170.tif 000005
【図５】
0005435170.tif 000006
【図６】
0005435170.tif 000007
【図７】
0005435170.tif 000008
【図８】
0005435170.tif 000009
【図９】
0005435170.tif 000010
【図１０】
0005435170.tif 000011
【図１１】
0005435170.tif 000012
【図１２】
0005435170.tif 000013
【図１３】
0005435170.tif 000014
【図１４】
0005435170.tif 000015
【図１５】
0005435170.tif 000016
【図１６】
0005435170.tif 000017
【図１７】
0005435170.tif 000018
【図１８】
0005435170.tif 000019
【図１９】
0005435170.tif 000020
【図２０】
0005435170.tif 000021
【図２１】
0005435170.tif 000022
【図２２】
0005435170.tif 000023
【図２３】
0005435170.tif 000024
【図２４】
0005435170.tif 000025
【図２５】
0005435170.tif 000026
【図２６】
0005435170.tif 000027
【図２７】
0005435170.tif 000028
【図２８】
0005435170.tif 000029
【図２９】
0005435170.tif 000030
【図３０】
0005435170.tif 000031
【図３１】
0005435170.tif 000032
【図３２】
0005435170.tif 000033
【図３３】
0005435170.tif 000034
【図３４】
0005435170.tif 000035
【図３５】
0005435170.tif 000036
【図３６】
0005435170.tif 000037
【図３７】
0005435170.tif 000038
【図３８】
0005435170.tif 000039
【図３９】
0005435170.tif 000040
【図４０】
0005435170.tif 000041
【図４１】
0005435170.tif 000042
【図４２】
0005435170.tif 000043
【図４３】
0005435170.tif 000044
【図４４】
0005435170.tif 000045
【図４５】
0005435170.tif 000046
【図４６】
0005435170.tif 000047
【図４７】
0005435170.tif 000048
【図４８】
0005435170.tif 000049
【図４９】
0005435170.tif 000050
【図５０】
0005435170.tif 000051
【図５１】
0005435170.tif 000052
【図５２】
0005435170.tif 000053
【図５３】
0005435170.tif 000054
【図５４】
0005435170.tif 000055
【図５５】
0005435170.tif 000056
【図５６】
0005435170.tif 000057
【図５７】
0005435170.tif 000058
【図５８】
0005435170.tif 000059
【図５９】
0005435170.tif 000060
【図６０】
0005435170.tif 000061
【図６１】
0005435170.tif 000062
【図６２】
0005435170.tif 000063
【図６３】
0005435170.tif 000064
【図６４】
0005435170.tif 000065
【図６５】
0005435170.tif 000066
【図６６】
0005435170.tif 000067
【図６７】
0005435170.tif 000068
【図６８】
0005435170.tif 000069
【図６９】
0005435170.tif 000070
【図７０】
0005435170.tif 000071
【図７１】
0005435170.tif 000072
【図７２】
0005435170.tif 000073
【図７３】
0005435170.tif 000074